(57)【特許請求の範囲】
【請求項１】
配列番号：１０、配列番号：１２、配列番号：１４、配列番号：２６、配列番号：２８または配列番号：３４のアミノ酸配列よりなる殺虫性ハイブリッドデルタ−エンドトキシンポリペプチド。
【請求項２】
請求項１のポリペプチドをコードする遺伝子を含む、単離された核酸セグメント。
【請求項３】
該遺伝子がＳｐｏｄｏｐｔｅｒａ ｆｒｕｇｉｐｅｒｄａ、Ｓｐｏｄｏｐｔｅｒａ ｅｘｉｇｕａ、Ｈｅｌｉｏｔｈｉｓ ｖｉｒｅｓｃｅｎｓ、Ｈｅｌｉｃｏｖｅｒｐａ ｚｅａまたはＯｓｔｒｉｎｉａ ｎｕｂｉｌａｌｉｓに対する殺虫活性を有するポリペプチドをコードする、請求項２記載の核酸セグメント。
【請求項４】
該核酸セグメントがＢａｃｉｌｌｕｓ ｔｈｕｒｉｎｇｉｅｎｓｉｓ ＮＲＲＬ Ｂ−２１５７９、ＮＲＲＬ Ｂ−２１５８０、ＮＲＲＬ Ｂ−２１５８１、ＮＲＲＬ Ｂ−２１６３５、ＮＲＲＬ Ｂ−２１６３６またはＮＲＲＬ Ｂ−２１７８１から単離可能である請求項２または３記載の核酸セグメント。
【請求項５】
該核酸セグメントが配列番号：９、配列番号：１１、配列番号：１３、配列番号：２５、配列番号：２７または配列番号：３３の核酸配列を含む請求項２ないし４いずれか１項に記載の核酸セグメント。
【請求項６】
さらにＤＮＡセグメントとして定義された、請求項２ないし５いずれか１項に記載の核酸セグメント。
【請求項７】
該遺伝子が宿主細胞中で該遺伝子を発現させるプロモーターに作動可能に連結された請求項２ないし６いずれか１項に記載の核酸セグメント。
【請求項８】
組換えベクター内に含まれる請求項２ないし７いずれか１項に記載の核酸セグメント。
【請求項９】
プラスミド、コスミド、ファージ、ファージミド、ウイルス、バキュロウイルス、細菌人工染色体、または酵母人工染色体組換えベクター内に含まれる請求項８記載の核酸セグメント。
【請求項１０】
組換えポリペプチドを調製するための組換え発現方法で用いる請求項２ないし９いずれか１項に記載の核酸セグメント。
【請求項１１】
昆虫耐性トランスジェニック植物の調製で用いる請求項２ないし９いずれか１項に記載の核酸セグメント。
【請求項１２】
宿主細胞中で該遺伝子を発現させ、次いで、発現されたポリペプチドを収集することを特徴とする請求項２ないし９いずれか１項に記載の核酸セグメントの使用方法。
【請求項１３】
組換えポリペプチド組成物の調製における請求項２ないし９いずれか１項に記載の核酸セグメントの使用。
【請求項１４】
昆虫−耐性トランスジェニック植物の生産で使用されるベクターの創製における請求項２ないし９いずれか１項に記載の核酸セグメントの使用。
【請求項１５】
昆虫−耐性トランスジェニック植物の創製における請求項２ないし９いずれか１項に記載の核酸セグメントの使用。
【請求項１６】
請求項２ないし９いずれか１項に記載の核酸セグメントを含む宿主細胞。
【請求項１７】
該宿主細胞が細菌細胞である請求項１６記載の宿主細胞。
【請求項１８】
該細胞がＥ．ｃｏｌｉ、Ｂ．ｔｈｕｒｉｎｇｉｅｎｓｉｓ、Ｂ．ｓｕｂｔｉｌｉｓ、Ｂ．ｍｅｇａｔｅｒｉｕｍ、またはＰｓｅｕｄｏｍｏｎａｓ ｓｐｐ．細胞である請求項１７記載の宿主細胞。
【請求項１９】
該細胞が、ＮＲＲＬ Ｂ−２１５７９、ＮＲＲＬ Ｂ−２１５８０、ＮＲＲＬ Ｂ−２１６３５、ＮＲＲＬ Ｂ−２１５８１、ＮＲＲＬ Ｂ−２１６３６またはＮＲＲＬ Ｂ−２１７８１下で各々寄託されたＢ．ｔｈｕｒｉｎｇｉｅｎｓｉｓ ＥＧ１１０６３、ＥＧ１１０７４、ＥＧ１１０９２、ＥＧ１１７３５、ＥＧ１１７５１またはＥＧ１１７６８である請求項１８記載の宿主細胞。
【請求項２０】
該細胞が真核生物細胞である請求項１６記載の宿主細胞。
【請求項２１】
該宿主細胞が植物細胞である請求項２０記載の宿主細胞。
【請求項２２】
該細胞が穀物、樹木、野菜、果実、ベリー、ナッツ、草、サボテン、多肉多汁植物、または観葉植物細胞である請求項２１記載の宿主細胞。
【請求項２３】
該細胞がトウモロコシ、米、タバコ、ジャガイモ、トマト、亜麻、カノラ、ヒマワリ、綿、小麦、オート麦、大麦、大豆またはライ麦の細胞である請求項２２記載の宿主細胞。
【請求項２４】
該細胞がトランスジェニック植物内に含まれる請求項２０ないし２３いずれか１項に記載の宿主細胞。
【請求項２５】
該細胞がＳｐｏｄｏｐｔｅｒａ ｆｒｕｇｉｐｅｒｄａ、Ｓｐｏｄｏｐｔｅｒａ ｅｘｉｇｕａ、Ｈｅｌｉｏｔｈｉｓ ｖｉｒｅｓｃｅｎｓ、Ｈｅｌｉｃｏｖｅｔｐａ ｚｅａまたはＯｓｔｒｉｎｉａ ｎｕｂｉｌａｌｉｓに対する殺虫活性を有するポリペプチドを産生する、請求項１６ないし２４いずれか１項に記載の宿主細胞。
【請求項２６】
組換えポリペプチドの発現で使用される請求項１６ないし２５いずれか１項に記載の宿主細胞。
【請求項２７】
トランスジェニック植物の調製で用いる請求項２１ないし２５いずれか１項に記載の宿主細胞。
【請求項２８】
植物細胞の形質転換における請求項２１ないし２５いずれか１項に記載の宿主細胞の使用。
【請求項２９】
殺虫性ポリペプチド製剤の調製における請求項１６ないし２５いずれか１項に記載の宿主細胞の使用。
【請求項３０】
請求項１に記載の殺虫性ハイブリッドデルタ−エンドトキシンポリペプチドを含む、昆虫細胞を殺すのに用いられる組成物。
【請求項３１】
該ポリペプチドがＳｐｏｄｏｐｔｅｒａ ｆｒｕｇｉｐｅｒｄａ、Ｓｐｏｄｏｐｔｅｒａ ｅｘｉｇｕａ、Ｈｅｌｉｏｔｈｉｓ ｖｉｒｅｓｃｅｎｓ、ＨｅｌｉｃｏｖｅｒｐａｚｅａまたはＯｓｔｒｉｎｉａ ｎｕｂｉｌａｌｉｓに対して殺虫的に活性である請求項３０記載の組成物。
【請求項３２】
該ポリペプチドが、ＮＲＲＬ Ｂ−２１５７９、ＮＲＲＬ Ｂ−２１５８０、ＮＲＲＬ Ｂ−２１６３５、ＮＲＲＬ Ｂ−２１５８１、ＮＲＲＬＢ−２１６３６またはＮＲＲＬＢ−２１７８１下で各々寄託されたＢａｃｉｌｌｕｓ ｔｈｕｒｉｎｇｉｅｎｓｉｓＥＧ１１０６３、ＥＧ１１０７４、ＥＧ１１０９２、ＥＧ１１７３５、ＥＧ１１７５１またはＥＧ１１７６８から単離可能である請求項３０または３１記載の組成物。
【請求項３３】
該ポリペプチドが０．５重量％ないし９９重量％の該組成物を含む請求項３０ないし３２いずれか１項に記載の組成物。
【請求項３４】
該ポリペプチドが５０重量％ないし９９重量％の該組成物を含む請求項３３記載の組成物。
【請求項３５】
（ａ）Ｂ．ｔｈｕｒｉｎｇｉｅｎｓｉｓポリペプチドを含む組成物を産生するのに効果的な条件下で、ＮＲＲＬ Ｂ−２１５７９、ＮＲＲＬＢ−２１５８０、ＮＲＲＬ Ｂ−２１６３５、ＮＲＲＬ Ｂ−２１５８１、ＮＲＲＬ Ｂ−２１６３６またはＮＲＲＬ Ｂ−２１７８１下で各々寄託されたＢ．ｔｈｕｒｉｎｇｉｅｎｓｉｓＥＧ１１０６３、ＥＧ１１０７４、ＥＧ１１０９２、ＥＧ１１７３５、ＥＧ１１７５１またはＥＧ１１７６８細胞を培養し、次いで
（ｂ）該組成物を該細胞から得る；
工程を含むことを特徴とする製法により調製できるポリペプチドを含む、昆虫細胞を殺すのに用いられる組成物。
【請求項３６】
殺虫性製剤の調製における請求項３０ないし３５いずれか１項に記載の組成物の使用。
【請求項３７】
植物保護スプレイ製剤の調製における請求項３０ないし３５いずれか１項に記載の組成物の使用。
【請求項３８】
（ａ）Ｂ．ｔｈｕｒｉｎｇｉｅｎｓｉｓ結晶蛋白質を産生するのに効果的な条件下で、ＮＲＲＬ Ｂ−２１５７９、ＮＲＲＬＢ−２１５８０、ＮＲＲＬ Ｂ−２１６３５、ＮＲＲＬ Ｂ−２１５８１、ＮＲＲＬ Ｂ−２１６３６またはＮＲＲＬ Ｂ−２１７８１下で各々寄託されたＢ．ｔｈｕｒｉｎｇｉｅｎｓｉｓＥＧ１１０６３、ＥＧ１１０７４、ＥＧ１１０９２、ＥＧ１１７３５、ＥＧ１１７５１またはＥＧ１１７６８細胞を培養し、次いで
（ｂ）該Ｂ．ｔｈｕｒｉｎｇｉｅｎｓｉｓ結晶蛋白質を該細胞から得る；
工程を含むことを特徴とするＢ．ｔｈｕｒｉｎｇｉｅｎｓｉｓ結晶蛋白質の製法。
【請求項３９】
殺虫有効量の請求項３０ないし３５いずれか１項に記載の組成物を昆虫細胞に供することを含む、昆虫細胞を殺す方法。
【請求項４０】
該昆虫細胞が昆虫内に含まれる請求項３９記載の方法。
【請求項４１】
該昆虫が該組成物で被覆した植物を摂取することによって該組成物を摂取する請求項４０記載の方法。
【請求項４２】
該昆虫が該組成物を発現するトランスジェニック植物を摂取することによって該組成物を摂取する請求項４０記載の方法。
【請求項４３】
請求項１に記載の殺虫性ハイブリッドデルタ−エンドトキシンポリペプチドをコードするトランスジーンをそのゲノムに取り込んだトランスジェニック植物。
【請求項４４】
該トランスジーンが配列番号：９、配列番号：１１、配列番号：１３、配列番号：２５、配列番号：２７、または配列番号：３３の核酸配列を含む請求項４３記載のトランスジェニック植物。
【請求項４５】
子孫が該トランスジーンを含む、請求項４３または４４記載の植物の子孫。
【請求項４６】
種子が該トランスジーンを含む、請求項４３ないし４５いずれか１項に記載の植物または子孫からの種子。
【請求項４７】
植物が該トランスジーンを含む、請求項４６記載の種子からの植物。
【発明の詳細な説明】
１．０  発明の背景
本出願は１９９６年１１月２０日出願の米国特許出願第０８／７５４，４９０号の一部継続出願である１９９７年９月３日出願の米国特許出願第０８／９２２，５０５号の一部継続出願であり、その全内容を参照により本明細書に組み込む。
１．１  発明の分野
本発明は、甲虫、双翅目および鱗翅目の昆虫に毒性であるＢａｃｉｌｌｕｓ  ｔｈｕｒｉｎｇｉｅｎｓｉｓ結晶蛋白質をコードする新しい遺伝子を提供する。また、増強された殺虫活性および増大された昆虫特異性を有するキメラ結晶蛋白質を含む蛋白質組成物が提供される。
１．２  先行技術の記載
１．２．１  Ｂ．ＴＨＵＲＩＮＧＩＥＮＳＩＳ結晶蛋白質
グラム陰性土壌細菌Ｂ．ｔｈｕｒｉｎｇｉｅｎｓｉｓは、種々の鱗翅目、甲虫および双翅目幼虫に対して毒性の蛋白質性パラスポラル結晶またはδ−エンドトキシンのその生産でよく知られている。Ｂ．ｔｈｕｒｉｎｇｉｅｎｓｉｓは胞子形成の間に、ある種の昆虫に対して特異的に毒性である結晶蛋白質を生成する。Ｂ．ｔｈｕｒｉｎｇｉｅｎｓｉｓの多くの異なる株は、殺虫性結晶蛋白質を生産することが示されており、殺虫活性を有する蛋白質を生成するＢ．ｔｈｕｒｉｎｇｉｅｎｓｉｓ株を含む組成物は、特異的標的昆虫に対するそれらの毒性、および植物および他の非標的生物に対する非毒性のため、環境に許容される殺虫剤として商業的に使用されてきた。
天然に生じるＢ．ｔｈｕｒｉｎｇｉｅｎｓｉｓ単離体の商業的製剤は、長い間、農業害虫の生物学的制御に使用されてきた。商業的生産においては、発酵プロセスから得られた胞子および結晶を濃縮し、通常の農業実践に従って、茎葉散布用に処方される。
１．２．２  結晶蛋白質の命名
Ｈｏｆｔｅら（１９８９）のレビューは、鱗翅目の昆虫、すなわち青虫昆虫に対して活性であると同定されてきた昆虫Ｂ．ｔｈｕｒｉｎｇｉｅｎｓｉｓ株の大部分に関して技術分野の一般的状況を記載している。この論文は、双翅目（すなわち、ハエおよび蚊）および髄翅目（すなわち、カブトムシ）の昆虫に対する昆虫活性を有するＢ．ｔｈｕｒｉｎｇｉｅｎｓｉｓ株も記載する。結晶蛋白質をコードする多数の遺伝子がＢ．ｔｈｕｒｉｎｇｉｅｎｓｉｓのいくつかの株からクローン化されている。Ｈｏｆｔｅら（１９８９）は１９９０年に先立ってＢ．ｔｈｕｒｉｎｇｉｅｎｓｉｓで同定された遺伝子および蛋白質について議論し、Ｂ．ｔｈｕｒｉｎｇｉｅｎｓｉｓ遺伝子および蛋白質に対して伝統的に適用されてきた命名法および分類スキームを記載している。ｃｒｙｌ遺伝子は鱗翅目毒性Ｃｒｙ１蛋白質をコードする。ｃｒｙ２遺伝子は鱗翅目および双翅目双方に対して毒性であるＣｒｙ２蛋白質をコードする。ｃｒｙ３遺伝子は甲虫−毒性Ｃｒｙ３蛋白質をコードし、他方、ｃｒｙ４遺伝子は双翅目−毒性Ｃｒｙ４蛋白質等をコードする。
最近、新しい命名法が提案されており、それは昆虫の標的特異性によりもむしろアミノ酸配列相同性に基づいてＣｒｙ蛋白質を組織的に分類している。この分類スキームを表１に要約する。
0004389075.tif 000002
0004389075.tif 000003
0004389075.tif 000004
１．２．３  結晶蛋白質毒性の様式
全てのδ−エンドトキシン結晶は摂取によって昆虫の幼虫に対して毒性である。昆虫の中腸における結晶の可溶化によりδ−エンドトキシンのプロトキシン形態を放出させ、ほとんどの場合引き続いて、中腸プロテアーゼによって活性トキシンに加工される。活性化されたトキシンは受容体蛋白質を介して昆虫中腸上皮の刷子縁を認識しそれに結合する。いくつかの推定昆虫蛋白質受容体がある種の昆虫の幼虫から単離された（Ｋｎｉｇｈｔら、１９９５：Ｇｉｌｌら、１９９５；Ｍａｓｓｏｎら、１９９５）。活性トキシンの結合の後に、トキシン分子の挿入、凝集が続き、中腸上皮内にポアーを形成する。このプロセスは、中腸上皮の細胞ライニングの浸透圧アンバランス、膨潤、溶解、ひいては死滅をもたらす。
１．２．４  δ−エンドトキシンの分子生物学
分子遺伝学技術の到来で、種々のδ−エンドトキシンが単離され、それらのＤＮＡ配列が決定された。これらの遺伝子を用いて、商業的使用に認可されたある種の遺伝子工学的に作成されたＢ．ｔｈｕｒｉｎｇｉｅｎｓｉｓ産物が構築されてきた。最近の開発では、遺伝子工学で作成されたδ−エンドトキシン遺伝子を含有しそれを発現する植物を含めた、δ−エンドトキシンの新しい送達システムが開発された。
種々のＢａｃｉｌｌｕｓ  ｔｈｕｒｉｎｇｉｅｎｓｉｓ株からの多数のδ−エンドトキシン遺伝子のクローニングおよび配列決定がＨｏｆｔｅおよびＷｈｉｔｅｌｅｙ、１９８９によって記載され、要約されている。Ｅ．ｃｏｌｉまたはＢ．ｔｈｕｒｉｎｇｉｅｎｓｉｓにおけるδ−エンドトキシン遺伝子のクローニングおよび発現につき設計されたプラスミドシャトルベクターが、Ｇａｗｒｏｎ−ＢｕｒｋｅおよびＢａｕｍ（１９９１）によって記載されている。米国特許第５，４４１，８８４号は、Ｂ．ｔｈｕｒｉｎｇｉｅｎｓｉｓの天然のものではないＤＮＡを含まないδ−エンドトキシン遺伝子を含有する組換えＢ．ｔｈｕｒｉｎｇｉｅｎｓｉｓ株についての部位特異的組換え系を開示している。
鱗翅目害虫に対して主として活性な結晶蛋白質のＣｒｙ１ファミリーは、δ−エンドトキシンの最も研究されたクラスである。Ｃｒｙ１  δ−エンドトキシンのプロトキシン形態は２つのほぼ等しいサイズのセグメントよりなる。カルボキシル半部分、またはプロトキシンセグメントは毒性ではなく、結晶形成に重要であると考えられている（Ａｒｖｉｄｓｏｎら、１９８９）。該プロトキシンのアミノ半部分はＣｒｙ１分子の活性トキシンセグメントを含み、Ｃｒｙ１Ａａδ−エンドトキシンの活性トキシンセグメントについての最近記載された結晶構造によって測定して３つの構造ドメインにさらに分割される（Ｇｒｏｃｈｕｌｓｋｉら、１９９５）。ドメイン１は活性トキシンの１／３を占め、チャネル形成に必須である（Ｔｈｏｍｐｓｏｎら、１９９５）。ドメイン２およびドメイン３は、各々、活性トキシンの中央および最後の１／３を占める。ドメイン２および３は、調査されるべき昆虫およびδ−エンドトキシンに依存して、受容体結合および昆虫特異性に関係付けられてきた（Ｔｈｏｍｐｓｏｎら、１９９５）。
１．２．５  キメラ結晶蛋白質
近年、研究者は、増強された活性または改良された特性を持つ蛋白質を生産することを期待して、ハイブリッドδ−エンドトキシンの構築に努力を集中してきた。過去１０年間にわたる分子遺伝学の技術の進歩は、改良された特性を持つ蛋白質を作成するための理論的かつ整然としたアプローチを容易としてきた。部位特異的およびランダム突然変異誘発方法、ポリメラーゼ鎖反応（ＰＣＲTM）方法の出現、および遺伝子融合を生じキメラ蛋白質を構築する組換え方法の開発は、蛋白質のアミノ酸配列を変化させ、単一組換え蛋白質における２以上の蛋白質の一部を融合させ、商業的関心を引く蛋白質をコードする遺伝子配列を改変する方法の類別を促進してきた。
残念ながら、結晶蛋白質については、これらの技術は限定された様式で開発されてきたに過ぎない。同定されている多数の天然蛋白質の一部からの増強された特性を持つキメラ蛋白質を任意に生成させる見込みは、蛋白質構造の複合体性質、折り畳み、オリゴマー化、活性化および活性部位へのキメラプロトキシンの正しいプロセッシングを想定すれば、遠いものである。各蛋白質内の特異的標的領域の注意深い選択、および続いての蛋白質の作成によってのみ、改良された殺虫活性が合成される。
しかしながら、該領域におけるいくつかの成功が文献で報告されている。例えば、以下の関連文献では少ないδ−エンドトキシンの構築が報告されている：Ｉｎｔｌ．Ｐａｔ．Ａｐｐｌ．Ｐｕｂｌ．Ｎｏ．ＷＯ  ９５／３０７５３は、Ｐｓｅｕｄｏｍｏｎａｓ  ｆｌｕｏｒｅｓｃｅｎｓにおける産生のためのハイブリッドＢ．ｔｈｕｒｉｇｉｅｎｓｉｓ  δ−エンドトキシンの構築を開示しており、ここにＣｒｙ１Ｆの非毒性プロトキシン断片が米国特許第５，１２８，１３０号に開示されたＣｒｙ１Ａｃ／Ｃｒｙ１Ａｂからの非毒性プロトキシン断片によって置き換えられている。
米国特許第５，１２８，１３０号は、Ｐ．ｆｌｕｏｒｅｓｃｅｎｓにおける産生のためのハイブリッドＢ．ｔｈｕｒｉｎｇｉｅｎｓｉｓ  δ−エンドトキシンの構築を開示しており、ここにＣｒｙ１Ａｃの非毒性プロトキシンセグメントがＡｒｙｌＡｂの対応する非毒性プロトキシン断片で置き換えられている。米国特許第５，０５５，２９４号は、Ｐ．ｆｌｕｏｒｅｓｃｅｎｓにおける産生のためのＣｒｙ１Ａｃ（アミノ酸残基１−４６６）およびＣｒｙ１Ａｃ（アミノ酸残基４６６−１１５５）の間の特異的ハイブリッドδ−エンドトキシンの構築を開示している。前記特許は活性トキシンセグメント内のハイブリッドトキシンの構築を開示するが、ハイブリッドトキシンの昆虫活性に関して特異性は呈されていない。Ｉｎｔｌ．Ｐａｔ．Ａｐｐｌ．Ｐｕｂｌ．Ｎｏ．ＷＯ  ９５．３０７５２は、Ｐ．ｆｌｕｏｒｅｓｃｅｎｓにおける産生のためのハイブリッドＢ．ｔｈｕｒｉｎｇｉｅｎｓｉｓの構築を開示しており、ここで、Ｃｒｙ１Ｃの非毒性プロトキシンセグメントがＣｒｙ１Ａｂからの非毒性プロトキシンセグメントによって置き換えられている。前記した出願は、さらに、ハイブリッドδ−エンドトキシンについてのＳｐｏｄｏｐｔｅｒａ  ｅｘｉｇｕａに対する活性が活性トキシンＣｒｙ１Ｃのものよりも改良されていることを開示している。
国際公開Ｎｏ．ＷＯ  ９５／０６７３０は、ドメイン３に結合したＣｒｙ１Ｅのドメイン１および２およびＣｒｙ１Ｃの非毒性プロトキシンよりなるハイブリッドＢ．ｔｈｕｒｉｎｇｉｅｎｓｉｓ  δ−エンドトキシンの構築を開示している。Ｍａｎｄｕｃａ  ｓｅｘｔａ（Ｃｒｙ１ＣおよびＣｒｙ１Ｃに対して感受性）、Ｓｐｏｄｏｐｔｅｒａ  ｅｘｉｇｕａ（Ｃｒｙ１Ｅに対して感受性）、およびＭａｍｅｓｔｒａ  ｂｒａｓｓｉｃａｅ（Ｃｒｙ１Ｃに対して感受性）に対して行われた昆虫バイオアッセイは、ハイブリッドＣｒｙ１Ｅ／Ｃｒｙ１ＣハイブリッドトキシンがＭ．ｓｅｘｔａ、Ｓ．ｅｘｉｇｕａおよびＭ．ｂｒａｓｓｉｃａｅに対して活性であることを示す。バイオアッセイの結果は、ＬＣ50値（５０％死亡率を与えるトキシン濃度）よりもむしろＥＣ50値（５０％増殖低下を与えるトキシン濃度）として表される。バイオアッセイで使用されるδ−エンドトキシンは、Ｂ．ｔｈｕｒｉｎｇｉｅｎｓｉｓで産生され、δ−エンドトキシンの人工的に生成された活性セグメントのみが使用され、商業的Ｂ．ｔｈｕｒｉｎｇｉｅｎｓｉｓ製剤に存在するＢ．ｔｈｕｒｉｎｇｉｅｎｓｉｓによって典型的には生産された天然に生じる結晶は使用されていない。バイオアッセイの結果は、Ｓ．ｆｒｕｇｉｐｅｒｄａに対するハイブリッドＣｒｙ１Ｅ／Ｃｒｙ１Ｃ結晶についてのＬＣ50値は天然Ｃｒｙ１Ｃについてよりも１．５ないし１．７倍低い（より活性である）ことを示した。この国際公開は、Ｃｒｙ１Ａｂ（ドメイン１および２）およびＣｒｙ１Ｃ（ドメシン３および非毒性プロトキシンセグメント）の間のハイブリッドＢ．ｔｈｕｒｉｎｇｉｅｎｓｉｓ  δ−エンドトキシンの構築も開示しているが、ハイブリッドトキシンの活性または非有用性に関してデータを示していない。
Ｌｅｅら（１９９５）は、活性トキシンセグメント内のＣｒｙ１ＡｃおよびＣｒｙ１Ａａ間のハイブリッドＢ．ｔｈｕｒｉｎｇｉｅｎｓｉｓδ−エンドトキシンの構築を報告している。ハイブリッドトキシンの人工的に生成された活性セグメントを用いて、罹患性昆虫刷子縁膜小胞（ＢＢＭＶ）における蛋白質相互作用を調べた。ハイブリッドトキシンの生物活性は報告されなかった。
Ｈｏｎｅｅら（１９９１）は、Ｃｒｙ１Ｃ（ドメイン１）およびＣｒｙ１Ａｂ（ドメイン２および３）の間のハイブリッドδ−エンドトキシンおよびＣｒｙ１Ａｂ（ドメイン１）およびＣｒｙ１Ｃ（ドメイン２および３）の間のハイブリッドδ−エンドトキシンの構築を報告している。これらのハイブリッドは、罹患性昆虫に対する活性のいずれの有意な増加も示さない。さらに、Ｃｒｙ１Ｃ（ドメイン）／Ｃｒｙ；Ａｂ（ドメイン２および３）ハイブリッドトキシンはプロテアーゼ分解に対して過剰感受性であることが判明した。Ｓｃｈｎｅｐｆら（１９９０）は、Ｃｒｙ１Ａｃハイブリツドトキシンの構築を開示しており、ここで、罹患性昆虫幼虫に対する活性の有意な増加は観察されなかったが、ドメイン２の小さな部分がＣｒｙ１Ａａの対応する領域によって置き換えられた。
１．３  先行技術における欠点
改良された活性を有するキメラ結晶蛋白質の生産における成功が限られていることは、商業的開発用の組換えにより作成された結晶蛋白質を産生し、公知のエンドトキシンの毒性特性および宿主特異性を拡大する努力を妨害し、該分野に否定的に影響を与えた。従って、当該分野で欠けているものは、信頼性のある方法および改良された昆虫活性、広域宿主範囲の特異性を有する、およびＢ．ｔｈｕｒｉｎｇｉｅｎｓｉｓにおける商業的生産に適した組換え作成結晶蛋白質を含む組成物である。
２．０  発明の概要
本発明は、改良された昆虫特性、および広い範囲の特異性を有する新規なキメラδ−エンドトキシンを提供することによってこれらのおよび他の制限を克服する。
天然Ｃｒｙ１ＡｃおよびＣｒｙ１Ｆ結晶蛋白質からのアミノ酸配列を含むＢ．ｔｈｕｒｉｎｇｉｅｎｓｉｓハイブリッドδ−エンドトキシンの構築方法を開示する。Ｃｒｙ１Ａｃドメインの全てまたは一部、Ｃｒｙ１Ａｃドメイン３の全てまたは一部、およびＣｒｙ１Ａｃプロトキシンセグメントの全てまたは一部がＣｒｙ１Ｆの対応する一部によって置き換えられたこれらのハイブリッド蛋白質は、親δ−エンドトキシンの昆虫特性を保有するのみならず、それからキメラ蛋白質が作成された天然δ−エンドトキシンのいずれかによってもうまく発揮されていない増強された広い範囲の特異性の予測されないおよび顕著な特性も有する。
具体的には、本発明は、Ｃｒｙ１Ｆ結晶蛋白質の一部に融合したＣｒｙ１Ａｃ結晶蛋白質の一部を含む遺伝子工学的に作成されたハイブリッドδ−エンドトキシンを開示し、特許請求する。これらのキメラ・エンドトキシンはここに記載する害虫についての広い範囲の特異性を有する。
さらなる具体例において、本発明は、Ｃｒｙ１Ａｂ、Ｃｒｙ１ＦおよびＣｒｙ１Ａｃの一部を含み、ここでＣｒｙ１Ａｂドメインの全てまたは一部またはＣｒｙＡｂドメイン３の全てまたは一部がＣｒｙ１Ｆの対応する一部によって置き換えられ、Ｃｒｙ１Ａｂプロトキシンの全てまたは一部がＣｒｙ１Ａｃの対応する一部によって置き換えられた組換えＢ．ｔｈｕｒｉｎｇｉｅｎｓｉｓハイブリッドδ−エンドトキシンを開示し、特許請求する。Ｃｒｙ１ＡｂおよびＣｒｙ１Ｆとの例示的ハイブリッドδ−エンドトキシンは、配列番号：１３および配列番号：１４に同定される。
本発明の１つの局面は、Ｃｒｙ１ＡｃおよびＣｒｙ１Ｆ蛋白質から由来するある種のハイブリッドδ−エンドトキシンが親δ−エンドトキシンの昆虫特性を呈するのみならず、親δ−エンドトキシンのいずれかによってもうまく呈されない昆虫活性を保有するという予測されない結果を示す。
本発明のもう１つの局面は、ある種のキメラＣｒｙ１Ａｂ／Ｃｒｙ１Ｆ蛋白質が親δ−エンドトキシンの昆虫特徴を維持するのみならず、天然Ｃｒｙ１ＡｂまたはＣｒｙ１Ｆエンドトキシンによって呈されない昆虫活性を呈するという予測されない結果を示す。
本発明は、また、Ｂ．ｔｈｕｒｉｎｇｉｅｎｓｉｓにおける商業的生産に必要な望ましい特徴を維持するＣｒｙ１Ａｃ／Ｃｒｙ１ＦおよびＣｒｙ１Ａｂ／Ｃｒｙ１Ｆハイブリッドδ−エンドトキシンも含む。具体的には、配列番号：１０、配列番号：１２、配列番号：１４、配列番号：２６、配列番号：２８、配列番号：３０、および配列番号：３４で同定されるハイブリッドδ−エンドトキシンは、Ｂ．ｔｈｕｒｉｎｇｉｅｎｓｉｓにおける蛋白質性パラスポラル封入体を効果的に形成でき、親δ−エンドトキシンの溶解性、プロテアーゼ罹患性および殺虫活性の好都合な特性を有する。
さらなる具体例において、本発明は、Ｃｒｙ１Ａｃドメイン３の全てまたは一部がＣｒｙ１Ｃの対応する一部によって置き換えられ、Ｃｒｙ１Ａｃプロトキシンセグメントの全てまたは一部が、Ｃｒｙ１Ｃの対応する一部によって置き換えられたＣｒｙ１ＡｃおよびＣｒｙ１ａＣの一部を含む組換えＢ．ｔｈｕｒｉｎｇｉｅｎｓｉｓハイブリッドδ−エンドトキシンを開示し、特許請求する。Ｃｒｙ１ＡｃおよびＣｒｙ１ａＣの間の例示的ハイブリッドδ−エンドトキシンは配列番号：２９および配列番号：３０に同定される。
本発明の１つの局面は、Ｃｒｙ１ＡｃもＣｒｙ１ＣもＳ．ｆｒｕｇｉｐｅｒｄａ活性を保有しないが、配列番号：２０および配列番号：３０によって同定されるＣｒｙ１Ａｃ／Ｃｒｙ１Ｃハイブリッドδ−エンドトキシンがＳ．ｆｒｕｇｉｐｅｒｄａに対する有意な活性を有するという予測されない結果を示す。さらに、配列番号：２９および配列番号：３０によって同定されるＣｒｙＡｃ／Ｃｒｙ１Ｃハイブリッドδ−エンドトキシンはＣｒｙ１Ｃ親δ−エンドトキシンよりもＳ．ｅｘｉｇｕａに対してかなり良好な活性を有する。
これらのおよび他のハイブリッドδ−エンドトキシンを構築は、改良された昆虫活性、増加した宿主範囲特異性、および改良された生産特徴を持つ新規トキシンを創製することを促進する。表８に挙げたＤＮＡ配列は、本発明に重要なハイブリッドδ−エンドトキシンについての交換点を規定し、オリゴヌクレオチドプライマーとして用いて、中程度ないし高ストリンジェンシーの条件下でサザンまたはコロニーハイブリダイゼーションによって同様または類似のハイブリッドδ−エンドトキシンを特定することができる。２以上のδ−エンドトキシンの間で選択された交換部位の重要性を認識する当該分野の研究者は、多数のイン・ビボまたはイン・ビトロ分子遺伝技術を用いて達成することができる。２以上のδ−エンドトキシンの間の交換領域における小さな変異は同様の効果を有し得るか、ＥＧ１１０６２およびＥＧ１１０６３について証明されているように、所望の特性に悪影響を及ぼし得る。同様に、二つまたはそれ以上のδ−エンドトキシンの間の交換点における大きな変異は、ＥＧ１１０６３およびＥＧ１１０７４について示されたように、所望の特性に影響を与えないか、ＥＧ１１０６０およびＥＧ１１０６３によって証明されたように、所望の特性に悪影響を及ぼし得る。
改良された殺虫活性、増大した宿主範囲および改良された生産特徴に関する特性は、限定されるものではないが、ｃｒｙ１、ｃｒｙ２、ｃｒｙ３、ｃｒｙ４、ｃｒｙ５、ｃｒｙ６、ｃｒｙ７、ｃｒｙ８、ｃｒｙ９、ｃｒｙ１０、ｃｒｙ１１、ｃｒｙ１２、ｃｒｙ１３、ｃｒｙ１４、ｃｒｙ１５クラスのδ−エンドトキシン遺伝子およびＢ．ｔｈｕｒｉｎｇｉｅｎｓｉｓ細胞溶解ｃｙｔｌおよびｃｙｔ２遺伝子を含めた他のこのようなハイブリッドδ−エンドトキシンによって達成することができる。Ｂ．ｔｈｕｒｉｎｇｉｅｎｓｉｓ殺虫蛋白質のこれらのクラスのメンバーは、限定されるものではないが、Ｃｒｙ１Ａａ、Ｃｒｙ１Ａｂ、Ｃｒｙ１Ａｃ、Ｃｒｙ１Ａｄ、Ｃｒｙ１Ａｅ、Ｃｒｙ１Ｂａ、Ｃｒｙ１Ｂｂ、Ｃｒｙ１Ｃａ、Ｃｒｙ１Ｃｂ、Ｃｒｙ１Ｄａ、Ｃｒｙ１Ｄｂ、Ｃｒｙ１Ｅａ、Ｃｒｙ１Ｅｂ、Ｃｒｙ１Ｆａ、Ｃｒｙ１Ｆｂ、Ｃｒｙ１Ｇａ、Ｃｒｙ１Ｈａ、Ｃｒｙ２ａ、Ｃｒｙ２ｂ、Ｃｒｙ１Ｊａ、Ｃｒｙ１Ｋａ、Ｃｒｙ１１Ａｂ、Ｃｒｙ１１Ａｂ、Ｃｒｙ１２Ａａ、Ｃｒｙ３Ｂａ、Ｃｒｙ３Ｂｂ、Ｃｒｙ３Ｃ、Ｃｒｙ４ａ、Ｃｒｙ４Ｂａ、Ｃｒｙ５ａ、Ｃｒｙ５Ａｂ、Ｃｒｙ６Ａａ、Ｃｒｙ６Ｂａ、Ｃｒｙ７Ａａ、Ｃｒｙ７Ａｂ、Ｃｒｙ８Ａａ、Ｃｒｙ８Ｂａ、Ｃｒｙ８Ｃａ、Ｃｒｙ９Ａａ、Ｃｒｙ９Ｂａ、Ｃｒｙ９Ｃａ、Ｃｒｙ１０Ａａ、Ｃｒｙ１１Ａａ、Ｃｒｙ１２Ａａ、Ｃｒｙ１３Ａａ、Ｃｒｙ１４Ａａ、Ｃｒｙ１５Ａａ、Ｃｒｙ１ＡａおよびＣｒｙ２Ａａを含む。関連ハイブリッドδ−エンドトキシンは、前記δ−エンドトキシンのもう１つからドメトン３の全てまたは一部に融合した、ドメイン１またはドメイン２の全てまたは一部を含めた、前記δ−エンドトキシンの１つのアミノ部分よりなるであろう。このようなハイブリッドδ−エンドトキシンの非活性プロトキシン断片は、ＥＧ１１０８７およびＥＧ１１０９１によって示された（例えば、表５参照）ハイブリツドδ−エンドトキシンを安定化するように働き得る前記δ−エンドトキシンのいずれかからのプロトキシン断片よりなり得る。本発明で記載された同様の特性を保有するハイブリツドδ−エンドトキシンは、ハイブリッドδ−エンドトキシン内のアミノ酸の保存的または「同様の」置換によって構築することができよう。このような置換は当該蛋白質のいずれかの一部の天然アミノ酸の生化学的および生物学的特性を模倣するものであろう。同様であると考えられるアミノ酸は、例えば、限定されるものではないが、
Ａｌａ、ＳｅｒおよびＴｈｒ；
ＡｓｐおよびＧｌｕ；
ＡｓｎおよびＧｌｎ；
ＬｙｓおよびＡｒｇ；
Ｉｌｅ、Ｌｅｕ、ＭｅｔおよびＶａｌ；および
Ｐｈｅ、ＴｙｒおよびＴｒｐ
を含む。
当該分野で技量のある研究者であれば、ハイブリッドδ−エンドトキシンに付与された改良された殺虫活性、増大した宿主範囲および改良された生産特徴は、ハイブリッドδ−エンドトキシンにおける１以上のアミノ酸位置につきコードする遺伝暗号を、その位置または複数位置がいずれかの他のアミノ酸によって置き換えられるように、改変することによって、さらに改良できることを認識するであろう。これは、本発明に関連する手法を含めた、いずれかの数の確立された突然変異誘発技術による突然変異誘発につき当該蛋白質の領域または複数領域を標的化することによって達成しうる。このような技術は部位特異的突然変異誘発（Ｋｕｎｋｅｌ、１９８５；Ｋｕｎｋｅｌら、１９８７）、ＤＮＡシャッフリング（Ｓｔｅｍｍｅｒ、１９９４）、およびＰＣＲTM重複延長（Ｈｏｒｔｏｎら、１９８９）を含む。蛋白質の表面または近くに位置するアミノ酸は他の蛋白質性または非タンパク質性部分とのその相互作用に関係していようから、これらアミノ酸は突然変異誘発についての「標的」領域となり得る。このような表面露出領域は、限定されるものではないが、蛋白質の活性トキシン断片内の表面露出アミノ酸残基よりなり得、ドメイン１内のα−ラセンおよびドメイン２およびドメイン３内のβ−鎖を分離するδ−エンドトキシンのα−ラセン間またはβ−鎖間「ループ」−領域を含む。このような手法は、好ましくは、蛋白質の生化学および生物物理学的特徴またはセクション２に概説した作用様式を変化させることができる。これらは、限定されるものではないが、１）改良された結晶形成、２）改良された蛋白質安定性または減少したプロテアーゼ分解、３）改良された昆虫膜受容体認識および結合、４）改良されたオリゴマー化または昆虫中腸上皮におけるチャネル形成、および５）前記した理由のいずれかまたは全てにおける改良された昆虫活性または昆虫特異性を含む。
本発明は、配列番号：１０、配列番号：１２、配列番号：１４、配列番号：２６、配列番号：２８、配列番号：３０、または配列番号：３４のアミノ酸配列を含むポリペプチドをコードする単離された核酸セグメントを提供する。好ましくは、核酸セグメントは、Ｓｐｏｄｏｐｔｅｒａ  ｆｒｕｇｉｐｅｒｄａ、Ｓｐｏｄｏｐｔｅｒａ  ｅｘｉｇｕａ、Ｈｅｌｉｏｔｈｉｓ  ｖｉｒｅｓｃｅｎｓ、ＨｅｌｉｃｏｖｅｒｐａｚｅａまたはＯｓｔｒｉｎｉａ  ｂｕｂｉｌａｌｉｓに対する殺虫活性を有するポリペプチドをコードする。このような核酸セグメントは、各々、Ｂａｃｉｌｌｕｓ  ｔｈｕｒｉｎｇｉｅｎｓｉｓ  ＮＲＲＬ  Ｂ−２１５７９、ＮＲＲＬ  Ｂ−２１５８０、ＮＲＲＬ  Ｂ−２１５８１、ＮＲＲＬ  Ｂ−２１６５３、ＮＲＲＬ  Ｂ−２１６３６、ＮＲＲＬ  Ｂ−２１７８０、またはＮＲＲＬ  Ｂ−２１７８１細胞から単離可能である。
好ましい具体例において、これらの核酸セグメントは、配列番号：９、配列番号：１１、配列番号：１３、配列番号：２５、配列番号：２７、配列番号：２９、または配列番号：３３、またはその相補体の配列を有する核酸に特異的にハイブリダイズし、非常に好ましい具体例において、これらの核酸セグメントは、各々、配列番号：９、配列番号：１１、配列番号：１３、配列番号：２５、配列番号：２７、配列番号：２９、および配列番号３３に開示された核酸配列を含む。
このような核酸セグメントは、宿主細胞における核酸セグメントを発現するプロモーターに作動可能に連結することができる。このような具体例において、核酸セグメントはプラスミド、コスミド、ファージ、ファゲミド、ウイルス、バクロウイルス、細菌人工染色体、または酵母人工染色体のような組換えペクター内に含まれ得る。例示的プラスミドベクターは、ベクターｐＥＧ１０６８、ｐＥＧ１０７７、ｐＥＧ１１０９２、ｐＥＧ１０９３、ｐＥＧ３６５、ｐＥＧ３７８及びｐＥＧ３８１が含まれる。
本発明のさらなる局面は、組換えポリペプチド組成物の調製、形質転換された宿主細胞を生産するのに使用するヘクターの創製、および昆虫耐性トランスジェニック植物における、本明細書に記載された核酸セグメントの使用を含む。
また、宿主細胞は本発明の重要な局面である。このような宿主細胞は、一般に、前記したような１以上の核酸セグメントを含む。好ましい宿主細胞は、Ｅ．ｃｏｌｉ、Ｂ．ｔｈｕｒｉｎｇｉｅｎｓｉｓ、Ｂ．ｓｕｂｔｉｌｉｓ、Ｂ．ｍｅｇａｔｅｒｉｕｍ、およびＰｓｅｕｄｏｍｏｎａｓ  ｓｐｐ．細胞のような細菌細胞を含み、Ｂ．ｔｈｕｒｉｎｇｉｅｎｓｉｓＥＧ１１０６０、ＥＧ１１０６２、ＥＧ１１０６３、ＥＧ１１０７１、ＥＧ１１０７３、ＥＧ１１０７４、ＥＧ１１０９０、ＥＧ１１０９１、ＥＧ１１０９２、ＥＧ１１７３５、ＥＧ１１７５１、ＥＧ１１７６８、ＮＲＲＬ  Ｂ−２１５７９、ＮＲＲＬ  Ｂ−２１５８０、ＮＲＲＬ  Ｂ−２１５８１、ＮＲＲＬ  Ｂ−２１６３５、ＮＲＲＬ  Ｂ−２１６３６、ＮＲＲＬ  Ｂ−２１７８０、およびＮＲＲＬ  Ｂ−２１７８１細胞が特に好ましい。また、好ましい宿主細胞は植物および動物細胞のような真核生物細胞を含む。好ましい植物細胞は穀物、樹木、野菜、果実、ベリー、ナッツ、草、サボテン、多肉多汁植物、および観葉植物を含み、トウモロコシ、米、タバコ、ジャガイモ、亜麻、カノーラ（ｃａｎｏｌａ）、ヒマワリ、綿、小麦、オート麦、大麦、およびライ麦のような商業的穀物が特に好ましい。
１つの具体例において、宿主細胞はトランスジェニック植物内に含まれるか、あるいはトランスジェニック植物の調製で使用でき、あるいは植物細胞の創製で使用できる。別法として、宿主細胞は結晶蛋白質の組換え発現、または本明細書に開示された１以上のトキシンを含む殺虫ポリペプチド製剤の調製で使用できる。このような組成物は、好ましくは、配列番号：１０、配列番号：１２、配列番号：１４、配列番号：２６、配列番号：２８、配列番号：３０、または配列番号：３４のアミノ酸配列を有する１以上の単離されたポリペプチドを含む。このような組成物は、昆虫細胞を殺すこと、殺虫製剤の調製、および植物保護スプレイ製剤に特別の用途を有する。
また、本発明は、Ｂ．ｔｈｕｒｉｎｇｉｅｎｓｉｓ結晶蛋白質を調製する方法を提供する。このような方法は、一般に、Ｂ．ｔｈｕｒｉｎｇｉｅｎｓｉｓ  ＮＲＲＬ  Ｂ−２１５７９、ＮＲＲＬ  Ｂ−２１５８０、ＮＲＲＬ  Ｂ−２１５８１、ＮＲＲＬ  Ｂ−２１６３５、ＮＲＲＬ  Ｂ−２１６３６、ＮＲＲＬ  Ｂ−２１７８０、ＮＲＲＬ  Ｂ−２１７８１、ＥＧ１１７６８、ＥＧ１１０９０、ＥＧ１１０６３、ＥＧ１１０７４、ＥＧ１１０９２、ＥＧ１１７３５またはＥＧ１１７５１細胞をＢ．ｔｈｕｒｉｎｇｉｅｎｓｉｓ結晶蛋白質を生産するのに有効な条件下で培養し、次いで、該細胞から該Ｂ．ｔｈｕｒｉｎｇｉｅｎｓｉｓ結晶蛋白質を得ることを含む。このような方法は本明細書に開示した結晶蛋白質の組換え生産でかなり有用である。
また、本発明は、昆虫細胞を殺す方法を開示し、特許請求する。該方法は、一般に、本明細書に開示された１以上の殺虫有効量の殺虫組成物を昆虫細胞に供することを含む。このような細胞は単離れさた細胞、または昆虫自体内に含ませることができる。典型的には、該組成物は、昆虫にスプレイすることによって、あるいは直接的に組成物を昆虫摂取させることによって、あるいは組成物で被覆されている植物を摂取させることによって、あるいは１以上の殺虫組成物を発現するトランスジェニック植物の一部を摂取させることによって昆虫に供することができる。
本発明のさらなる局面は、配列番号：１０、配列番号：１２、配列番号：１４、配列番号：２６、配列番号：２８、配列番号：３０または配列番号：３４のアミノ酸配列を含むポリペプチドに特異的に結合する精製された抗体である。このような抗体は、免疫検出キット中に供された検出ラベルに作動可能に添付され、あるいは免疫複合体の形成を可能とするのに効果的な条件下で、該殺虫性ポリペプチドを含有することが疑われる生物学的試料をこのような抗体と接触させ、次いで、形成された免疫複合体を検出することによって、生物学的試料中の殺虫性ポリペプチドを検出する方法で使用される。
本発明のもう１つの重要な局面は、配列番号：１０、配列番号：１２、配列番号：１４、配列番号：２６、配列番号：２８、配列番号：３０、配列番号：３４のアミノ配列を含むポリペプチドをコードするトランスジーンをそのゲノムに組み込んだトランスジェニック植物に関する。好ましくは、このようなトランスジェニック植物は配列番号：９、配列番号：１１、配列番号：１３、配列番号：２５、配列番号：２７、配列番号：２９、配列番号：３３に開示された１以上の核酸配列を含むであろう。このようなトランスジェニック植物およびそれらの子孫または後代からの子孫および種子も本明細書に記載された本発明の重要に局面である。
２．１  結晶蛋白質トランスジーンおよびトランスジェニック植物
なおさらなる局面において、本発明は、本発明の新規キメラ結晶蛋白質をコードする核酸セグメントを発現するトランスジェニック植物を生産する方法を提供する。トランスジェニック植物を生産するプロセスは、当該分野でよく知られている。一般に、該方法は、Ｂ．ｔｈｕｒｉｎｇｉｅｎｓｉｓ  Ｃｒｙ１Ａｃ−１ＦまたはＣｒｙ１Ａｂ−１Ｆ、Ｃｒｙ１Ａｃ−１Ｃ、またはＣｒｙ１Ａｂ−１Ａｃ−１Ｆキメラ結晶蛋白質をコードするコーディング領域に作動可能に連結されたプロモーターを含有するＤＮＡセグメントで適当な宿主細胞を形質転換することを含む。このようなコーディング領域は、一般に、転写−終始領域に作動可能に連結しており、それにより、該プロモーターは細胞中のコーディング領域の転写を駆動でき、従って、イン・ビボで組換え蛋白質を生産する能力を当該細胞に供する。別法として、特定のトランスジェニック細胞で発現された特定の組換え結晶蛋白質の量を制御し、調節しまたは低下させるのが望ましい場合、本発明は結晶蛋白質アンチセンスｍＲＮＡの発現を提供する。細胞において注目する所与の蛋白質の量を制御または低下させる手段としてのアンチセンスｍＲＮＡの使用は当該分野でよく知られている。
本発明のもう１つの局面は、本明細書に開示された１以上の新規ポリペプチド組成物をコードするまたは遺伝子セグメントを発現するトランスジェニック植物を含む。本明細書で使用する「トランスジェニック植物」という用語は、限定されるものではないが、恐らくは通常は存在しない遺伝子、通常はＲＮＡに転写されないまたは（「発現された」）蛋白質に翻訳されないＤＮＡ、または非形質転換植物に存在できるが、遺伝子工学的に作成し、または改変された発現をさせようと望む遺伝子のような、非形質転換植物に導入しようと望むいずれかの他の遺伝子またはＤＮＡを含めた、ＤＮＡ配列が取り込まれた植物をいうことを意図する。植物中の合成Ｂ．ｔｈｕｒｉｎｇｉｅｎｓｉｓ遺伝子の構築および発現は米国特許第５，５００，３６５号および第５，３８０，８３１号（各々、参照により本明細書に組み込む）に詳細に記載されている。
いくつかの場合において、本発明のトランスジェニック植物のゲノムは、１以上のＣｒｙ１Ａｃ−１Ｆ、Ｃｒｙ１Ａｂ−１Ｆ、Ｃｒｙ１Ａｃ−１Ｃ、またはＣｒｙ１Ａｂ−１Ａｃ−１Ｆトランスジーン（天然または合成により修飾されたもの、またはさらには突然変異させたもの）の安定な導入を介して増加させられよう。いくつかの場合において、１を超えるトランスジーンが形質転換された宿主植物細胞のゲノムに組み込まれるであろう。１を超える結晶蛋白質をコードするＤＮＡセグメントをこのような植物のゲノムに取り込んだ場合がそれである。ある状況では、１、２、３、４のまたはそれを超えてさえＢ．ｔｈｕｒｉｎｇｉｅｎｓｉｓ結晶蛋白質（天然または組換えにより作成した）が組み込まれ、形質転換トランスジェニック植物で安定に発現させるのが望ましいであろう。
導入することができる配列番号：９、配列番号：１１、配列番号：１３、配列番号：２５、配列番号：２７、配列番号：２９、および配列番号：３３に開示されたもののような好ましい遺伝子は、例えば、細菌起源からの結晶蛋白質をコードするＤＮＡ配列、特にＢａｃｉｌｌｕｓ  ｓｐｐ．から得られた本明細書に記載されたものの１以上を含む。非常に好ましい核酸配列はＢ．ｔｈｕｒｉｎｇｉｅｎｓｉｓから得られたもの、またはこのような形質転換宿主細胞における結晶蛋白質の殺虫活性を低下または増加させるように遺伝子工学的に作成されている配列のいずれかである。
植物細胞を形質転換する手段およびトランスジェニック細胞系の調製は当該分野でよく知られており、本明細書で議論する。このような細胞を形質転換するのに使用されるベクター、プラスミド、コスミド、酵母人工染色体（ＹＡＣ）および核酸セグメントは、勿論、一般に、本発明のオペレーター、遺伝子類、または遺伝子−由来配列（天然または合成由来）、および特に開示する蛋白質をコードするものを含む。これらのＤＮＡ構築体は、さらに、プロモーター、エンハンサー、ポリリンカー、所望の注目する特定の遺伝子に対して正にまたは負に調製する活性を有する遺伝子配列のような構造を含む。該ＤＮＡセグメントまたは遺伝子は、得られた組換え細胞で発現されるであろう、および／または再生された植物に改良された表現型を付与するであろう天然または修飾された結晶蛋白質いずれかをコードできる。植物中での発現につき最適化された核酸配列は、国際公開Ｎｏ．ＷＯ  ９３／０７２７８（参照により本明細書に組み込む）に開示されている。
このようなトランスジェニック植物は、このような植物に、広い昆虫特異性を保有するＣｒｙ１Ａｃ−１Ｆおよび／またはＣｒｙ１Ａｃ−１Ｃおよび／またはＣｒｙ１Ａｂ−１Ｆおよび／またはＣｒｙ１Ａｂ−１Ａｃ−１Ｆ結晶蛋白質をコードするトランスジェニックＤＮＡセグメントを取り込むことによって、単子葉植物または双子葉植物の殺虫抵抗性を増加させるのが望ましいであろう。特に好ましいのは、限定されるものではないが、コーン、小麦、オート麦、米、トウモロコシおよび大麦；綿；大豆および他のマメ科植物を含めた穀物；限定されるものではないが、観葉植物、低木、果実、ナッツを含めた樹木；野菜、芝生および牧草、ベリー、柑橘類、および（庭園穀物および／またはハウス植物、多肉多汁植物、サボテンおよび開花種のような）商業的興味の他の穀物のようなものである。
関連する局面において、また、本発明は、形質転換した植物によって生産された種子、このような種子からの子孫、および前記プロセスにより生産されたオリジナルのトランスジェニック植物の子孫によって生産された種子も含む。このような子孫および種子は、そのゲノムに安定に取り込まれた安定な結晶蛋白質トランスジーンを有するであろうし、このような子孫植物はメンデル様式にて安定なトランスジーンの導入によって付与された特性を受け継ぐであろう。１以上のキメラ結晶蛋白質またはポリペプチドをコードするトランスジェニックＤＮＡセグメントがそれらのゲノムに取り込まれた全てのこのようなトランスジェニック植物は本発明の局面である。
２．２  結晶蛋白質スクリーニングおよび免疫検出キット
本発明は、結晶蛋白質ポリペプチドまたは結晶蛋白質関連ポリペプチド、またはこのようなポリペプチドを生産する細胞を含有することが疑われる試料をスクリーニングする方法およびそのためのキットを含む。例示的蛋白質は、配列番号：１０、配列番号：１２、配列番号：１４、配列番号：２６、配列番号：２８、配列番号：３０、および配列番号：３４に開示されたものを含む。該キットは本発明の核酸セグメントまたは抗体を含有できる。該キットは試料および本発明の核酸または抗体の間の相互作用を検出する試薬を含有できる。提供された試薬は放射、蛍光または酵素標識できる。該キットは、本発明の核酸または抗体と結合または相互作用できる公知の放射標識剤を含有することができる。
該キットの試薬は、固体支持体に付着した液状溶液としてまたは乾燥粉末として供することができる。好ましくは、該試薬が液状溶液にて供される場合、該液状溶液は水性溶液である。好ましくは、供されて試薬が固体支持体に付着された場合、該支持体はクロマトグラフィー媒体、複数のウェルを有するテストプレートまたは顕微鏡スライドであり得る。供された試薬が乾燥粉末である場合、該粉末は供され得る適当な溶媒の添加によって復元することができる。
なおさらなる具体例において、本発明は、免疫検出方法および関連するキットに関する。本発明の結晶蛋白質またはペプチドは、それとの反応性を有する抗体を検出するのに使用することができ、あるいは本発明により調製された抗体は結晶蛋白質または結晶蛋白質−関連エピトープ含有ペプチドを検出するのに使用することができると提案される。一般に、これらの方法は、まずこのような蛋白質、ペプチドまたは抗体を含有することが疑われる試料を得、場合によっては、免疫複合体の形成を可能とするのに効果的な条件下で、該試料を本発明による抗体またはペプチドと接触させ、次いで免疫複合体の存在を検出することを含む。
一般に、免疫複合体機能の検出は当該分野でかなりよく知られており、多数のアプローチの適用を介して達成することができる。例えば、本発明は、ＥＬＩＳＡ、ＲＩＡ、免疫ブロット（例えば、ドットブロット）、間接的免疫蛍光技術等の適用が考えられる。一般に、免疫複合体形成は、放射標識または（アルカリ性ホスファターゼ、ホースラディシュペルオキシダーゼ等）のような標識の使用を介して検出されるであろう。勿論、当該分野で知られているように、二次抗体またはビオチン／アビジンリガンド結合配置のような二次結合リガンドの使用を介してさらなる利点を見いだすであろう。
アッセイする目的では、検出することが目的の結晶蛋白質またはペプチドまたは検出蛋白質−関連ペプチドまたは抗体いずれかを含むことが疑われる実質的にいずれの試料も、場合によっては、使用できることが提案される。このような具体例は、抗原または抗体試料の力価測定において、ハイブリドーマ等の選択において、適用し得ることが考えられる。関連する具体例においては、本発明は、試料中の結晶蛋白質または関連ペプチドおよび／または抗体の存在を検出するのに使用できるキットの調製が考えられる。試料は結晶蛋白質またはペプチドを含有することが疑われる細胞上清、細胞懸濁液、細胞抽出物、酵素画分、蛋白質抽出物、または他の無細胞組成物を含み得る。一般的に言って、本発明によるキットは、免疫検出試薬および当該抗体または抗原および試薬を含有する手段と共に、適当な結晶蛋白質、ペプチドまたはこのような蛋白質またはペプチドに向けられた抗体を含むであろう。該免疫検出試薬は、典型的には、抗体または抗原と会合させた、または二次結合リガンドと会合させた標識を含む。例示的リガンドは、第１抗体または抗原に向けられた二次抗体または会合した標識を有するビオチンまたはアビジン（またはストレプトアビジン）リガンドを含む。勿論、前記したように、多数の例示的標識が当該分野で知られており、このような標識は本発明と組み合わせて使用することができる。
該容器は、一般に、抗体、抗原または検出試薬を入れることができ、好ましくは適当にはアリコートできるバイアルを含むであろう。また、本発明のキットは、典型的には、商業的販売用の密封して詰められた抗体、抗原および試薬容器を含有する手段も含む。そのような容器は、所望のバイアルを含ませるインジェクション又は使い捨て型プラスチック容器を含む。
２．３  ＥＬＩＳＡおよび免疫沈降
ＥＬＩＳＡを本発明と組み合わせて使用することができる。ＥＬＩＳＡアッセイでは、結晶蛋白質抗原配列を取り込んでいる蛋白質またはペプチドは、選択された表面、好ましくはポリスチレンマイクロタイタープレートのウェルのような蛋白質親和性を呈する表面に固定化される。洗浄して不完全に吸着された物質を除去した後、ウシ血清アルブミン（ＢＳＡ）、カゼインまたは乳粉末の溶液のようなテスト抗血清に関して抗原的に中性であることが知られている非特異的蛋白質にアッセイプレートを結合させ、または該蛋白質でコートするのが望ましい。これは固定化表面の非特異的な吸着部位のブロックし、表面の結合によるバックグラウンドを減少させる。
抗原性物質をウェルに結合させ、非反応性物質でコートしてバツクグラウンドを減少させ、洗浄して未結合物質を除去した後、固定化表面を抗血清または臨床的もしくは生物学的抽出物と接触させて免疫複合体（抗原／抗体）形成まで導くようにテストする。このような条件は、好ましくは、ＢＳＡ、ウシガンマグロブリン（ＢＧＧ）およびリン酸緩衝生理食塩水（ＰＢＳ）／Ｔｗｅｅｎ（登録商標）のような希釈剤で抗血清を希釈することを含む。また、これらの添加された剤は、非特異的バツクグラウンドの減少を助ける傾向にある。次いで、層とした抗血清を、好ましくは約２５°ないし約２７℃程度の温度にて、約２ないし約４時間インキュベートする。インキュベーションに続き、抗血清に接触させた表面を洗浄して、非免疫複合体化物質を除去する。好ましい洗浄手法は、ＰＢＳ／Ｔｗｅｅｎ（登録商標）またはホウ酸緩衝液のような溶液での洗浄を含む。
テスト試料および結合抗原の間の特異的免疫複合体の形成、および引き続いての洗浄に続き、一次抗体に特異性を有する二次抗体にそれを付すことによって、免疫複合体形成の出現および量を測定することができる。検出する手段を供するには、二次抗体は、好ましくは、適当な色原体基質と共にインキュベートすることによって、発色を生成するであろう会合した酵素を有するであろう。このように、例えば、免疫複合体形成の開発に好都合な条件下で一定の時間、抗血清結合表面をウレアーゼまたはペルオキシダーゼ−コンジュゲーテッド抗−ヒトＩｇＧと接触させ、またはそれと共にインキュベートするのが望まれるであろう（例えば、ＰＢＳ−Ｔｗｅｅｎ（登録商標）のようなＰＢＳ−含有溶液中にて室温で２時間のインキュベーション）。
二次酵素タグ付き抗体と共にインキュベートし、引き続いて洗浄して未結合物質を除去した後、酵素標識としてのペルオキシダーゼの場合、尿素およびブロモクレゾールパープルまたは２，２’−アジノ−ジ−（３−エチル−ベンズチアリン）−６−スルホン酸（ＡＢＴＳ）およびＨ2Ｏ2のような色原体基質とのインキュベーションによって、標識の量を定量する。次いで、例えば、可視スペクトル分光光度計を用い、色生成の程度を測定することによって、定量を達成する。
本発明の抗結晶蛋白質抗体は、免疫沈降による他の結晶蛋白質抗原の単離に特に有用である。免疫沈降は、複合体混合物からの標的抗原成分の分離を含み、微量の蛋白質を区別しまたは単離するのに用いる。膜蛋白質の単離には、細胞を界面活性剤ミセルに可溶化しなければならない。胆汁塩のような他の剤は酸性ｐＨにてまたは二価カチオンの存在下で沈殿するので非イオン性塩が好ましい。
別の具体例において、本発明の抗体は、２つの抗原の近接した並置において有用である。これは、抗原、例えば酵素−基質対の局所化濃度を増加させるのに有用である。
２．４  ウェスタンブロット
本発明の組成物は、免疫ブロットまたはウェスタンブロット分析での大きな用途があろう。抗−ペプチド抗体はニトロセルロース、ナイロンまたはその組合せのような、固体支持体マトリックスに固定化された蛋白質の同定用の高親和性一次試薬として使用することができる。免疫沈降、続いてのゲル電気泳動と組み合わせて、これらを、それに対して抗原の検出で用いる二次試薬が不利なバックグラウンドを引き起こす抗原を検出するのに使用される単一工程試薬として用いることができる。これは、特に、研究する抗原が免疫グロブリンである場合（免疫グロブリン結合細菌細胞壁成分の使用の排除）、研究する抗原が検出剤と交差反応する場合、またはそれらが交差−反応シグナルとして同一の相対的分子量にて移動する場合に有用である。
ウェスタンブロッティングと組み合わせて使用する免疫学的ベースの検出方法は、トキシン部位に対する酵素、放射標識または蛍光タグ付き二次抗体を含み、この点に関して特別の用途であると考えられる。
２．５  エピトープのコア配列
また、本発明は、１以上の抗結晶蛋白質抗体と免疫学的に交差反応するエピトープを取り込んでいる精製蛋白質またはペプチドを含む、全細胞および他のペプチドを含まない蛋白質またはペプチド組成物に向けられている。特に、本発明は、Ｃｒｙ蛋白質またはペプチドに由来するエピトープのコア配列に関する。
本明細書で用いるように、「１以上の抗結晶蛋白質抗体と免疫学的に交差反応性であるエピトープを取り込んでいる」という用語は、結晶蛋白質またはポリペプチド内に位置するエピトープと同様の一次、二次または三次構造を含むペプチドまたは蛋白質抗原をいうことを意図する。同様性のレベルは、一般に、結晶蛋白質またはポリペプチドに対して向けられたモノクローナルまたはポリクローナル抗体が該交差反応性のペプチドまたは蛋白質抗原にやはり結合し、それと反応し、またはそうでなければそれを認識するであろう程度であろう。種々の免疫アッセイ方法は、例えば、その全てが当業者に知られているウェスタンブロッティング、ＥＬＩＳＡ、ＲＩＡ等のようなこのような抗体と組み合わせて使用することができる。
ワクチンで使用するのに適当なＣｒｙ免疫調節エピトープおよび／またはそれらの機能的同等体の特定は、比較的直接的事項である。例えば、親水性の基礎に基づいたアミノ酸配列からのエピトープの同定および調製を教示する、参照により本明細書に組み込む米国特許第４，５５４，１０１号に教示されているように、Ｈｏｐｐの方法を使用することができる。また、いくつかの他の論文に記載されている方法、およびそれに基づくソフトウェアプログラムを用いて、エピトープのコア配列を同定することもできる（例えば、ＪａｍｅｓｏｎおよびＷｏｌｆ、１９８８；Ｗｏｌｆら、１９８８；米国特許第４，５５４，１０１号）。次いで、これらの「エピトープのコア配列」のアミノ酸配列はペプチド合成または組換え技術の適用によりペプチドに容易に取り込むことができる。
本発明に関して使用される好ましいペプチドは、一般に、約８ないし約２０アミノ酸の長さ程度、より好ましくは約８ないし約１５アミノ酸の長さである。より短い抗原結晶蛋白質由来ペプチドは、例えば、免疫学的検出アッセイの調製において、ある状況で利点を提供するであろうことが提案される。例示的利点は、調製および精製の容易性、生産の比較的低コストおよび改良された再現性、および有利な生体内分布を含む。
本発明の特別の利点は、結晶蛋白質、特にＣｒｙおよびＣｒｙ関連配列に向けられた「普遍的」エピトープペプチドを結果的にもたらす修飾されたおよび／または拡大されたエピトープ／免疫原性コア配列を含む合成ペプチドの調製を介して認識することができることを提案する。これらのエピトープのコア配列は、特別のポリペプチド−抗原の疎水性領域として特別の局面として本明細書に特定されている。これらの領域はＴ−細胞またはＢ−細胞刺激を促進するようであり、従って、特定の抗体産生を惹起するものを表すことが提案される。
本明細書で用いるエピトープのコア配列は、ここに開示する抗体に向けられた結晶蛋白質上の抗原結合部位に対して「相補的」、従って、それに結合するアミノ酸の比較的短いストレッチである。加えてまたは別法として、エピトープのコア配列は、本発明のペプチド組成物に対して向けられる抗体と交差反応性の抗体を惹起するであろうものである。本開示の意味において、「相補的」という用語は、相互に対して誘引力を呈するアミノ酸またはペプチドをいう。このように、本発明のある種のエピトープのコア配列は、所望の蛋白質抗原と対応する蛋白質に向けられた抗血清との結合と競合する、または恐らくはそれと置き換わるそれらの能力の点で、使用上定義できる。
一般に、ポリペプチド抗原のサイズは、それが少なくとも同定されたコア配列または配列類を担うのに十分大きい限り、特に重要であるとは考えられない。本開示によって予測される最小の有用な配列は、一般に、約８アミノ酸の長さの程度であり、１０ないし２０の程度の配列がより好ましい。このように、このサイズは、一般に、本発明により調製された最小ペプチド抗原に対応するであろう。しかしながら、該抗原のサイズは、それが基本的エピトープのコア配列を含有する限り、所望であればより長くすることができる。
エピトープのコア配列の同定は、親水性を基礎とするアミノ酸配列からのエピトープの同定および調製を教示する、参照より本明細書に組み込む、例えば、米国特許第４，５５４，１０１号に記載されているように、当業者に知られている。さらに、多数のコンピュータープログラムが、蛋白質の抗原性部分を予測する使用のために入手可能である（例えば、ＪａｍｅｓｏｎおよびＷｏｌｆ、１９８８、Ｗｏｌｆら、１９８８）。コンピュータ化されたペプチド配列解析プログラム（例えば、ＤＮＡＳｔａｒ（登録商標）ソフトウェア、ＤＮＡＳｔａｒ，Ｉｎｃ．，Ｍａｄｉｓｏｎ、ＷＩ）は、本開示に従った合成ペプチドを設計するのにも有用であり得る。
エピトープ配列またはそれらの配列内に抗原性エピトープを含むペプチドの合成は、（例えば、Ａｐｐｌｉｅｄ  Ｂｉｏｓｙｓｔｅｍｓ  Ｍｏｄｅｌ  ４３０Ａ  Ｐｅｐｔｉｄｅ  Ｓｙｎｔｈｅｓｉｚｅｒのような商業的に入手できるシンセサイザーのような商業的に入手可能なペプチドシンセサイザーの使用を介する）固相方法のような通常の合成技術を用いて容易に達成される。次いで、このようにして合成されたペプチド抗原は、所定量にアリコートし、水溶液におけるように、またはより好ましくは粉末または凍結乾燥された状態のままでの使用においてさえのように、通常の方法で保存される。
一般に、ペプチドの比較的安定性のため、それらは、抗原性活性の認識可能な質低下または喪失なくして、実質的にいずれの水溶液にても、所望のかなりの長時間、例えば６カ月以上まで、水溶液中に容易に保存することができる。しかしながら、延長された水性貯蔵が考えられる場合、一般に、トリスまたはリン酸緩衝液のような緩衝液を含めた剤を含ませて、ｐＨを約７．０ないし約７．５に維持するのが望ましいであろう。さらに、アジ化ナトリウムまたはメルチオレート（Ｍｅｒｔｈｉｏｌａｔｅ）のような、生物増殖を阻害する剤を含ませるのが望ましいであろう。水性状態における延長された貯蔵では、溶液を約４℃で、またはより好ましくは凍結させて貯蔵するのが望ましいであろう。勿論、該ペプチドを凍結乾燥または粉末状態で貯蔵する場合、それらは、例えば使用に先立って所定量の水（好ましくは蒸留水）または緩衝液で再水和させることができる物質アリコート中にて、実質的に無限に貯蔵することができる。
２．６  結晶蛋白質キメラをコードする核酸セグメント
本発明は、合成でき、または実質的にいずれの源からも単離でき、全ゲノムＤＮＡを含まず、ここに開示する新規キメラペプチドをコードするＤＮＡセグメント（天然、合成双方、および突然変異誘発）にも関する。これらのペプチド種をコードするＤＮＡセグメントは、結晶蛋白質関連のまたは他の非関連遺伝子産物の蛋白質、ポリペプチド、サブユニット、機能的ドメイン等をコードすることが判明するであろう。加えて、これらのＤＮＡセグメントは、当業者によく知られた方法を用い、完全にイン・ビトロで合成することができる。
本明細書で用いる「ＤＮＡセグメント」という用語は、特定の種の全ゲノムＤＮＡから単離されているＤＮＡ分子をいう。従って、結晶蛋白質またはペプチドをコードするＤＮＡセグメントとは、結晶蛋白質コーディング配列を含有するが、それから当該ＤＮＡが得られた種、これは本ケースではグラム陽性細菌属、Ｂａｃｉｌｌｕｓ、特にＢ．ｔｈｕｒｉｎｇｉｅｎｓｉｓとして知られているＢａｃｉｌｌｕｓの種のゲノムである種の全ゲノムＤＮＡから単離された、またはそれから精製されたＤＮＡセグメントをいう。「ＤＮＡセグメント」に含まれるものとは、ＤＮＡセグメントおよびこのようなセグメントのより小さい断片および組換えベクターであり、例えば、プラスミド、コスミド、ファゲミド、ファージ、ウイルス等を含む。
同様に、単離されたまたは精製された結晶蛋白質をコードする遺伝子を含むＤＮＡセグメントとは、ペプチドコーディング配列に加えて、他の天然に生じる遺伝子または蛋白質をコードする配列から実質的に分離されている調節配列のようなある種の他のエレメントを含めることができるＤＮＡセグメントをいう。この点に関し、「遺伝子」という用語は、機能的蛋白質−、ポリペプチド−またはペプチド−コーディングユニットをいうのに簡便のために使用する。当業者に理解されるように、この機能的用語は、ゲノム配列、オペロン配列および蛋白質、ポリペプチドまたはペプチドを発現する、または発現するように適合させることができるより小さな作成遺伝子セグメントを共に含む。
「他のコーディング配列から実質的に単離された」とは、注目する遺伝子、本ケースでは、細菌結晶蛋白質をコードする遺伝子がＤＮＡセグメントのコーディング領域の重要な部分を形成すること、および該ＤＮＡセグメントが大きな染色体断片または他の機能的遺伝子またはオペロンコーディング領域のような天然に生じるコーディングＤＮＡの大きな一部を含有しないことを意味する。勿論、これは、元来単離されたＤＮＡセグメントをいい、人の手によって後に付加された遺伝子、組換え遺伝子、合成リンカー、またはコーディング領域を排除しない。
特別の具体例において、本発明は、単離されたＤＮＡセグメントおよびそのアミノ酸配列内に配列番号：１０、配列番号：１２、配列番号：１４、配列番号：２６、配列番号：２８、配列番号：３０、配列番号：３４に実質的に記載されたアミノ酸配列を含むＣｒｙペプチド種をコードするＤＮＡ配列を取り込む組換えベクターに関する。
「配列番号：１０、配列番号：１２、配列番号：１４、配列番号：２６、配列番号：２８、配列番号：３０、配列番号：３４に実質的に記載された配列」とは、該配列が配列番号：１０、配列番号：１２、配列番号：１４、配列番号：２６、配列番号：２８、配列番号：３０、配列番号：３４いずれかの配列の一部に実質的に対応し、これらの配列のいずれかのアミノ酸と同一ではない、または該アミノ酸と生物学的に機能的に同等である比較的少ないアミノ酸を有することを意味する。「生物学的に機能的同等」という用語は当該分野でよく理解されており、本明細書にてさらに詳細に定義される（例えば、例示的具体例参照）。従って、配列番号：１０、配列番号：１２、配列番号：１４、配列番号：２６、配列番号：２８、配列番号：３０、配列番号：３４に対して約７０％および約８０％の間、より好ましくは約８１％および約９０％の間、なおより好ましくは約９１％および約９９％の間のアミノ酸配列同一性または機能的同等性を有する配列は、「配列番号：１０、配列番号：１２、配列番号：１４、配列番号：２６、配列番号：２８、配列番号：３０、配列番号：３４に実質的に記載された」配列であろう。
また、アミノ酸および核酸配列は、さらなるＮ−またはＣ−末端アミノ酸あるいは５’または３’配列のようなさらなる残基を含むことができ、該配列が、蛋白質発現に関する生物学的蛋白質活性の維持を含めた、前記の基準に適合する限り、本明細書に開示する配列のうちの１つになお依然として実質的に記載されている。末端配列の付加は、特に、例えば、コーディング領域の５’または３’部分いずれかにフランキングする種々の非コーディング配列を含み得るかあるいは遺伝子内に起こることが知られている種々の内部配列、すなわちイントロンを含み得る核酸配列に適用される。
本発明の核酸セグメントは、コーディング配列それ自体の長さに拘わらず、全長がかなり変化し得るように、プロモーター、ポリアデニル化シグナル、さらなる制限酵素部位、多重クローニング部位、他のクローニング部位のような他のＤＮＡ配列と組み合わせることができる。従って、ほとんどいずれもの長さの核酸断片を使用することができ、全長は好ましくは意図した組換えＤＮＡプロトコルにおける調製および使用の場合に制限されると考えられる。例えば、配列番号：１０、配列番号：１２、配列番号：１４、配列番号：２６、配列番号：２８、配列番号：３０、配列番号：３４に開示されたペプチド配列いずれかをコードする短い隣接ストレッチを含む、あるいは配列番号：１０、配列番号：１２、配列番号：１４、配列番号：２６、配列番号：２８、配列番号：３０、配列番号：３４に開示されたペプチドのいずれかをコードするＤＮＡ配列と同一のまたはそれに相補的な核酸断片、特に配列番号：９、配列番号：１１、配列番号：１３、配列番号：２５、配列番号：２７、配列番号：２９、配列番号：３３に開示されたＤＮＡセグメントを調製することができる。例えば、１４ヌクレオチドのような、約１０，０００、約５，０００、約３，０００、約２，０００、約１，０００、約５００、約２００、約１００、約５０、および約１４塩基対までの長さのＤＮＡ配列（全ての中間的長さを含む）は有用であると考えられる。
これらの文脈では、「中間的長さ」は、１４、１５、１６、１７、１８、１９、２０等；２１、２２、２３等；３０、３１、３２等；５１、５２、５３等；１００、１０１、１０２、１０３等；１５０、１５１、１５２、１５３等のような、２００−５００；５００−１，０００；１，０００−２，０００；２，０００−３，０００；３，０００−５，０００を通じた全ての整数を含み、約１０，０００ヌクレオチド等の配列までのおよびそれを含めた引用範囲の間のいずれの長さも意味することは容易に理解されるであろう。
また、本発明は、本発明のペプチドをコードする、あるいは配列番号：９、配列番号：１１、配列番号：１３、配列番号：２５、配列番号：２７、配列番号：２９、配列番号：３３に特に開示されたＤＮＡ配列を含めた、配列番号：１０、配列番号：１２、配列番号：１４、配列番号：２６、配列番号：２８、配列番号：３０、配列番号：３４のアミノ酸配列をコードする特定の核酸配列に限定されない。組換えベクターおよび単離されたＤＮＡセグメントは、従って、ペプチド−コーディング領域それ自体、基本的コーディング領域に選択された改変または修飾を担うコーディング領域を種々に含むことができるか、あるいはそれらは、それにも拘わらずこれらのペプチド−コーディング領域を含めたより大きいポリペプチドをコードすることができるか、あるいは変異体アミノ酸配列を有する生物学的機能的同等蛋白質またはペプチドをコードすることができる。
本発明のＤＮＡセグメントは生物学的機能的同等ペプチドを含む。このような配列は、核酸配列およびこのようにコードされた蛋白質内に生じることが知られているコドンの縮重および機能的同等性の結果として生起する。あるいは、機能的同等蛋白質またはペプチドは組換えＤＮＡ技術の適用を介して生成させることができ、ここで蛋白質構造の変化は、交換すべきアミノ酸の特性の考慮に基づいて行うことができる。人によって設計された変化は、例えば、分子レベルで活性を調べるために蛋白質の抗原性に改良を導入し、または突然変異体をテストするための部位特異的突然変異誘発技術の適用を介して導入することができる。
所望ならば、例えば、ペプチド−コーディング領域を、精製または免疫検出目的のためのような、所望の機能を有する他の蛋白質またはペプチドと同一発現ユニット内で整列させた融合蛋白質およびペプチド（例えば、各々、アフィニティークロマトグラフィーによって精製することができる蛋白質および酵素標識コーディング領域）を調製することもできる。
組換えベクターは本発明のさらなる局面を形成する。特に有用なベクターは、全長蛋白質またはより小さなペプチドをコードするかに拘わらず、ＤＮＡセグメントのコーディング部分がプロモーターの制御下にあるベクターであると考えられる。該プロモーターは、本発明のペプチドをコードする遺伝子に天然で会合するプロモーターの形態であり得るものであり、例えば、本明細書に開示した組成物と組み合わせて、組換えクローニングおよび／またはＰＣＲTM技術を用い、コーディングセグメントまたはエクソンの上流に位置する５’−非コーディング配列を単離することによって得ることができる。
２．７  組換えベクターおよび蛋白質発現
他の具体例において、コーディングＤＮＡセグメントを組換えまたは異種プロモーターの制御下に置くことによってある種の利点を得ることができると考えられる。本明細書で用いるように、組換えまたは異種プロモーターは、その天然の環境において結晶蛋白質またはペプチドをコードするＤＮＡセグメントに通常は会合しないプロモーターをいうことを意図する。このようなプロモーターは、他の遺伝子と通常は会合したプロモーター、および／またはいずれかの細菌、ウイルス、真核生物または植物細胞から単離したプロモーターを含み得る。当然、発現用に選択された細胞型、生物または動物におけるＤＮＡセグメントの発現を効果的に指令するプロモーターを使用するのが重要であろう。蛋白質発現用のプロモーターおよび細胞型組合せの使用は、一般に、分子生物学の分野の当業者に知られている。例えば、Ｓａｍｂｒｏｏｋら、１９８９参照。使用するプロモーターは構成的であっても誘導的であってもよく、組換え蛋白質またはペプチドの大規模な生産において有利なように、導入されたＤＮＡセグメントの高レベルの発現を指令する適当な条件下で使用することができる。高レベル発現で使用することが考えられる適当なプロモーター系は、限定されるものではないが、Ｐｉｃｈｉａ発現ベクター系（Ｐｈａｒｍａｃｉａ  ＬＫＢ  Ｂｉｏｔｅｃｈｎｏｌｏｇｙ）を含む。
組換え蛋白質およびペプチドを調製するための発現具体例との関係では、より長いＤＮＡセグメントを最もしばしば使用することが考えられ、全ペプチド配列をコードするＤＮＡセグメントが最も好ましい。しかしながら、抗−結晶蛋白質抗体を生成させるのに使用することができるように、結晶ペプチドまたはエピトープコア領域の発現を指令するためのより短いＤＮＡセグメントの使用も本発明の範囲内に入ることが認められよう。長さが約８ないし約５０アミノ酸、より好ましくは長さが約８ないし約３０アミノ酸、さらにより好ましくは長さが約８ないし約２０アミノ酸のペプチド抗原をコードするＤＮＡセグメントは特に有用であると考えられる。このようなペプチドエピトープは、配列番号：１０、配列番号：１２、配列番号：１４、配列番号：２６、配列番号：２８、配列番号：３０、または配列番号：３４からの連続アミノ酸配列を含むアミノ酸配列であり得るか、あるいは配列番号：９、配列番号：１１、配列番号：１３、配列番号：２５、配列番号：２７、配列番号：２９、配列番号：３３の核酸配列によってコードされたいずれかのペプチドエピトープであり得る。
結晶蛋白質をコードするＤＮＡ構築体の発現で有用な結晶蛋白質およびベクターの組換え発現のための方法は、参照により本明細書に組み込む国際公開Ｎｏ．ＷＯ  ９５／０２９５８に記載されている。
２．８  組換え宿主細胞
ブダペスト条約の規定下で寄託された本発明の組換え宿主細胞を表２に挙げる。
0004389075.tif 000005
２．９  ハイブリダイゼーションプローブおよびプライマーとしてのＤＮＡセグメント
本発明の結晶蛋白質またはペプチドの発現の指令におけるそれらの使用に加えて、ここに意図されている核酸は種々の他の用途も有する。例えば、それらは核酸ハイブリダイゼーション具体例においてプローブまたはプライマーとしての利用性を有する。それ自体、配列番号：９、配列番号：１１、配列番号：１３、配列番号：２５、配列番号：２７、配列番号：２９、配列番号：３３の１５ヌクレオチド長さの連続ＤＮＡセグメントと同一の配列を有すると、それに相補的な少なくとも１４ヌクレオチド長さの連続配列よりなる配列領域を含む核酸セグメントが特別の用途であると考えられる。また、配列番号：１０、配列番号：１２、配列番号：１４、配列番号：２６、配列番号：２８、配列番号：３０、または配列番号：３４からの少なくとも６つのアミノ酸連続配列をコードする核酸セグメントも好ましい。より長い連続する同一または相補的配列、例えば約２０、３０、４０、５０、１００、２００、５００、１０００、２０００、５０００、１００００等（全ての中間的長さを含み、全長配列までおよびそれを含む）もある具体例の用途である。
結晶蛋白質をコードする配列に特異的にハイブリダイズするこのような核酸プローブの能力は、それらを所与の試料中の相補的配列の存在を検出することにおいて使用できるようにするであろう。しかしながら、突然変異体種プライマーの調製のための配列情報の使用、または他の遺伝的構築体を調製することにおける使用用のプライマーを含めた、他の使用も考えられる。
配列番号：９、配列番号：１１、配列番号：１３、配列番号：２５、配列番号：２７、配列番号：２９、配列番号：３３のＤＮＡ配列と同一または相補的な、１０−１４、１５−２０、３０、５０、または１００−２００ヌクレオチド等の連続ヌクレオチドストレッチよりなる配列領域を有する核酸ヌクレオチドは、例えば、サザンおよびノーザンブロッティングで使用されるハイブリダイゼーションプローブとして特に考えられる。より小さな断片は、一般に、ハイブリダイゼーションの具体例で使用され、ここに連続する相補的領域の長さは、約１０−１４および約１００または２００ヌクレオチドの間のように変化させることができるが、検出することを望む長さ相補的配列に従って、より大きな連続相補的ストレッチを使用することもできる。
勿論、断片は、例えば機械的剪断によって、または制限酵素消化によるような他の技術によって得ることもできる。小核酸セグメントまたは断片は、例えば、自動オレゴヌクレオチドシンセサイザーを用いて通常は行うように、化学的手段によって該断片を直接的に合成することによって容易に調製することができる。また、断片は、（各々、参照により本明細書に組み込む）米国特許第４，６８３，１９５号および４，６８３，２０２号のＰＣＲTM技術のような、核酸再生技術の適用によって、選択された配列を組換え生産のための組換えベクターに導入することによって、および分子生物学の分野における当業者に一般的に知られた他の組換えＤＮＡ技術によって得ることができる。
従って、本発明のヌクレオチド配列は、ＤＮＡ断片の相補的ストレッチとでデュプレックス（二本鎖）分子を選択的に形成できるそれらの能力につき使用することができる。考えられる適用に応じて、標的配列に対するプローブの選択性の種々の程度を達成するためにハイブリダイゼーションの種々の条件を使用するのが望まれるであろう。高選択性が必要な適用では、典型的には、比較的ストリンジェントな条件を用いてハイブリッドを形成することが望まれ、例えば、約５０℃ないし約７０℃の温度での約０．０２Ｍないし約０．１５Ｍ  ＮａＣｌによって供されるように、比較的低塩および／または高温度条件が選択されるであろう。このような選択的条件は、もしあっても、プローブおよび鋳型または標的鎖の間のミスマッチをほとんど許容せず、結晶蛋白質をコードするＤＮＡセグメントを単離するのに特に適するであろう。ハイブリダイゼーションを介するＤＮＡセグメントの検出は当業者によく知られており、（各々、参照により本明細書に組み込む）米国特許第４，９６５，１８８号および第５，１７６，９９５号の教示は、ハイブリダイゼーション分析の方法の例である。Ｍａｌｏｙら、１９９４；Ｓｅｇａｌ  １９７６；Ｐｒｏｋｏｐ、１９９１；およびＫｕｂｙ、１９９４のテキストに見いだされるもののような教示は特に適切である。
勿論、いくつかの適用では、例えば、基礎をなす鋳型にハイブリダイズした突然変異体プライマーを使用した突然変異体を調製することを望む場合、または関連種、機能的同等体等から結晶蛋白質をコードする配列を単離することを望む場合、低ストリンジェンシーのハイブリダイゼーション条件が、典型的には、ヘテロデュプレックスの形成を行うのに必要であろう。これらの状況において、約２０℃ないし約５５℃の範囲の温度にて約０．１５Ｍないし約０．９Ｍ塩のような条件を使用するのが望ましいであろう。交差−ハイブリダイゼーション種は、それにより、対照ハイブリダイゼーションに関して積極的にハイブリダイズするシグナルとして容易に同定できる。いずれの場合においても、上昇した温度の様式としてハイブリッドデュプレックスを脱安定化させるように働き得る、ホルムアミドの量を増加させて添加することによって条件はよりストリンジェントとなり得ることが一般に認められる。このように、ハイブリダイゼーション条件は容易に操作することができ、このように、一般に、所望の結果に依存して選択される方法であろう。
ある具体例において、ハイブリダイゼーションを測定するための標識のような適当な手段と組み合わせて、本発明の核酸配列を使用するのが有利である。検出可能なシグナルを与えることができるアビジン／ビオチンのような蛍光、放射性、酵素または他のリガンドを含めた、広い範囲の種々の適当なインジケーター手段が当該分野で知られている。好ましい具体例において、放射性または他の環境に望ましくない試薬の代わりに、ウレアーゼ、アルカリ性ホスファターゼまたはペルオキシダーゼのような蛍光標識または酵素タグを使用するのが望ましいであろう。酵素タグの場合において、比色インジケーター基質が知られており、これを使用してヒトの目に見えるまたは分光光学的な手段を供して、相補的核酸含有試料との特異的ハイブリダイゼーションを同定することができる。
一般に、本明細書に記載したハイブリダイゼーションプローブは、溶液ハイブリダイゼーションならびに固相を使用する具体例において試薬として有用である。固相を含む具体例において、テストＤＮＡ（またはＲＮＡ）は選択されたマトリックスまたは表面に吸着され、あるいはそうでなければそれらに付加される。次いで、この固定された一本鎖核酸は所望の条件下で選択されたプローブとの特異的ハイブリダイゼーションに付される。選択された条件は、（例えば、Ｇ＋Ｃ含有量、標的核酸のタイプ、核酸の源、ハイブリダイゼーションプローブのサイズ等に依存して）、必要な特定の基準に基づいて特定の状況に依存するであろう。非特異的に結合したプローブ分子を除去するようにハイブリダイズした表面を洗浄した後、特異的ハイブリダイゼーションを検出するか、あるいは標識によって定量さえする。
２．１０  生物学的機能同等性
本発明のペプチドおよびそれをコードし、望ましい特徴を持つ蛋白質またはペプチドをコードする機能的分子を依然として得るＤＮＡセグメントの構造において修飾および変化させることができる。以下に、同等のまたは改良されされた第二世代の分子を創製するために蛋白質のアミノ酸を変化させることに基づき考察する。本発明の特別の具体例において、突然変異した結晶蛋白質は、該蛋白質の殺虫活性を増加させるのに、およびその結果として殺虫活性および／または植物細胞において組換えトランスジーンの発現を増加させるのに有用であると考えられる。
0004389075.tif 000006
例えば、ある種のアミノ酸は、例えば、抗体の抗原−結合領域または基質分子上の結合部位のような構造との相互反応的結合能力の認識し得る喪失無しに、蛋白質構造において他のアミノ酸と置換することができる。その蛋白質の生物学的機能的活性を定義するのは蛋白質の相互反応的能力および性質であるので、あるアミノ酸配列置換を蛋白質配列および、勿論、その基礎となるＤＮＡコーディング配列でなすことができ、それにも拘わらず同様の特性を持つ蛋白質を得ることができる。このように、それらの生物学的利用性または活性の認識できる喪失無しに開示した組成のペプチド配列、または該ペプチドをコードする対応するＤＮＡ配列において種々の変化を成し得ることが考えられる。
このような変化をさせる際、アミノ酸のヒドロパシー指標が考慮される。相互反応的生物学的機能を蛋白質に付与することにおいてヒドロパシーアミノ酸指標の重要性は、一般に、当該分野で理解されている（参照により本明細書に組み込む、ＫｒｔｅおよびＤｏｏｌｉｔｔｌｅ、１９８２）。アミノ酸の相対的ヒドロパシー性質は得られた蛋白質の二次構造に寄与し、二次構造は他の分子、例えば、酵素、基質、受容体、ＤＮＡ、抗体、抗原等と蛋白質との相互作用を規定する。
各アミノ酸にはそれらの疎水性および荷電特徴に基づいてヒドロパシー指標が割り当てられていて（ＫｙｔｅおよびＤｏｏｌｉｔｔｌｅ、１９８２）、これらはイソロイシン（＋４．５）；バリン（＋４．２）；ロイシン（＋３．８）；フェニルアラニン（＋２．８）；システイン／シスチン（＋２．５）；メチオニン（＋１．９）；アラニン（＋１．８）；グリシン（−０．４）；トレオニン（−０．７）；セリン（−０．８）；トリプトファン（−０．９）；チロシン（−１．３）；プロリン（−１．６）；ヒスチジン（−３．２）；グルタメート（−３．５）；グルタミン（−３．５）；アスパルテート（−３．５）；アスパラギン（−３．５）；リシン（−３．９）；およびアルギニン（−４．５）である。
当該分野では、ある種のアミノ酸は、同様のヒドロパシー指標またはスコアを有する他のアミノ酸によって置換することができ、その結果、同様の生物学的活性を持つ蛋白質が依然としてもたらされ、すなわち、生物学的機能同等蛋白質が依然として得られる。このような変化をさせる際、そのヒドロパシー指標が±２以内にあるアミノ酸の置換が好ましく、±１以内にあるものが特に好ましく、±０．５以内にあるものがさらにより特に好ましい。
また、同様のアミノ酸の置換は親水性に基づいて効果的に行うことができるのが当該分野で理解されている。参照により本明細書に組み込む米国特許第４，５５４，１０１号は、その連続アミノ酸の親水性によって支配される蛋白質の最大局所的平均親水性が蛋白質の生物学的特性に相関することを述べている。
米国特許第４，５５４，１０１号に記載されているように、以下の親水性値がアミノ酸残基に割り当てられている：アルギニン（＋３．０）；リシン（＋３．０）；アスパルテート（＋３．０±１）；グルタメート（＋３．０±１）；セリン（＋３．０）；アスパラギン（＋０．２）；グルタミン（＋２．０）；グリシン（０）；トレオニン（−０．４）；プロリン（−０．５±１）；アラニン（−０．５）；ヒスチジン（−０．５）；システイン（−１．０）；メチオニン（−１．３）；バリン（−１．５）；ロイシン（−１．８）；イソロイシン（−１．８）；チロシン（−２．３）；フェニルアラニン（−２．５）；トリプトファン（−３．４）。
同様の親水性値を有するもう１つのものに代えてアミノ酸を置換することができ、生物学的に同等の、特に免疫学的に同等の蛋白質が依然として得られることが理解される。このような変化において、その親水性値が±２以内であるアミノ酸の置換が好ましく、±１以内であるものが特に好ましく、±０．５以内であるものがなおさらに特に好ましい。
前記で概説したように、従って、アミノ酸置換は一般的にはアミノ酸側鎖置換基の相対的同様性、例えば、それらの疎水性、親水性、荷電、サイズ等に基づく。種々の前記特性を考慮した例示的置換は当業者によく知られている；アルギニンおよびリシン；グルタメートおよびアスパルテート；セリンおよびトレオニン；グルタミンおよびアスパラギン；およびバリン、ロイシンおよびイソロイシン。
２．１１  部位特異的突然変異誘発
部位特異的突然変異誘発は、基礎となるＤＮＡの特異的突然変異誘発を介して、個々のペプチドまたは生物学的機能同等蛋白質またはペプチドの調製で有用な技術である。該技術は、さらに、１以上のヌクレオチド配列変化をＤＮＡに導入することによって、１以上の前記した考慮を取り込む配列変異体を調製しそれをテストする容易な能力を提供する。部位特異的突然変異誘発は、所望の突然変異のＤＮＡ配列をコードする特異的オリゴヌクレオチド配列、ならびに十分な数の隣接ヌクレオチドの使用を介する突然変異体の生産を可能として、十分なサイズおよび配列の複合体形成のプライマー配列を提供して、中間にある欠失連結の両側に安定なデュプレックスを形成する。典型的には、改変されている配列の連結の両側の約５ないし１０残基を有する長さが約１７ないし２５ヌクレオチドのプライマーが好ましい。
一般に、部位特異的突然変異誘発は、種々の刊行物によって例示されているように、当該分野でよく知られている。認識されるであろうように、該技術は典型的には一本鎖および二本鎖形態双方に存在するファージベクターを使用する。部位特異的突然変異誘発で有用な典型的なベクターはＭ１３ファージのようなベクターを含む。これらのファージは容易に商業的に入手でき、それらの使用は一般に当業者によく知られている。二本鎖プラスミドは注目する遺伝子をプラスミドからファージに移動させる工程を不必要にする部位特異的突然変異誘発でルーチン的にも使用されている。
一般に、それに従った部位特異的突然変異誘発は、まず一本鎖ベクターを得るか、あるいは所望のペプチドをコードするＤＮＡ配列をその配列内に含む二本鎖ベクターの２つの鎖を融解して離すことによって行われる。所望の突然変異した配列を担うオリゴヌクレオチドプライマーは一般的には合成により調製される。次いで、このプライマーを一本鎖ベクターとでアニールし、Ｅ．ｃｏｌｉポリメラーゼＩクレノウ断片のようなＤＮＡポリメラーゼ酵素に付して、突然変異担持鎖の合成を完了する。このように、１つの鎖が元々の非突然変異配列をコードし、第２の鎖が所望の突然変異を担うヘテロデュプレックスが形成される。次いで、このヘテロデュプレックスベクターを用いて、Ｅ．ｃｏｌｉ細胞のような適当な細胞を形質転換し、突然変異した配列配置を担う組換えベクターを含むクローンを選択する。
部位特異的突然変異誘発を用いる選択されたペプチド−コーディングＤＮＡセグメントの配列変異体の調製が、潜在的に有用な種を生産する手段として提供され、ペプチドの配列変異体およびそれらをコードするＤＮＡ配列を得ることができる他の方法があるので、これに限定されることを意味しない。例えば、所望のペプチド配列をコードする組換えベクターは、ヒドロキシルアミンのような突然変異誘発剤で処理して配列変異体を得ることができる。
２．１２  殺虫剤としての結晶蛋白質組成物および使用方法
本発明者らは、本明細書で開示したキメラ結晶蛋白質組成物は、フィールドの穀物、草、果実および野菜および観葉植物への局所的および／または全体適用用の殺虫剤としての特別の用途があると考えている。好ましい具体例において、生物殺虫性組成物は、本明細書に開示した新規結晶蛋白質を発現する細菌細胞の油流動性懸濁液を含む。好ましくは、該細胞はＢ．ｔｈｕｒｉｎｇｉｅｎｓｉｓであるが、本明細書で開示した新規核酸セグメントを発現し、結晶蛋白質を生産するような、Ｂ．ｍｅｇａｔｅｒｉｕｍ、Ｂ．ｓｕｂｔｉｌｉｓ、Ｅ．ｃｏｌｉまたはＰｓｅｕｄｏｍｏｎａｓ  ｓｐｐ．のような、いずれの細菌宿主細胞も有用であると考えられる。
もう１つの重要な具体例において、生物殺虫性組成物は水分散性顆粒を含む。この顆粒は本明細書に開示した新規結晶蛋白質を発現する細菌細胞を含む。好ましい細菌細胞はＢ．ｔｈｕｒｉｎｇｉｅｎｓｉｓであるが、本明細書で開示したＤＮＡセグメントで形質転換し、結晶蛋白質を発現するＢ．ｍｅｇａｔｅｒｉｕｍ、Ｂ．ｓｕｂｔｉｌｉｓ、Ｅ．ｃｏｌｉ、またはＰｓｅｕｄｏｍｏｎａｓ  ｓｐｐ．細胞も有用であると考えられる。
第３の重要な具体例において、生物殺虫性組成物は湿潤性粉末、ダスト、ペレット、またはコロイド状濃縮物を含む。この粉末は本明細書で開示する新規結晶蛋白質を発現する細菌細胞を含む。好ましい細胞はＢ．ｔｈｕｒｉｇｉｅｎｓｉｓ細胞であるが、本明細書で開示したＤＮＡセグメントで形質転換し、結晶蛋白質を発現するＢ．ｍｅｇａｔｅｒｉｕｍ、Ｂ．ｓｕｂｔｉｌｉｓ、Ｅ．ｃｏｌｉ、またはＰｓｅｕｄｏｍｏｎａｓ  ｓｐｐ．細胞も有用であると考えられる。殺虫性組成物のこのような乾燥した形態を処方して、湿潤化に際して直ちに溶解させるか、あるいは制御放出、持続放出、または他の時間依存的様式にて溶解させることができる。
第４の重要な具体例において、生物殺虫性組成物は、該結晶蛋白質を発現する前記したもののような細菌細胞の水性懸濁液を含む。このような水性懸濁液は、適用に先立って希釈される濃縮ストック溶液として、あるいは直ぐに適用できる希釈溶液として供することができる。
細菌細胞の適用を含むこれらの方法では、結晶蛋白質遺伝子（類）を含有する細胞宿主をいずれかの便宜な栄養培地中で増殖させることができ、ここでＤＮＡ構築体は選択的利点を供し、実質的に全てのまたは全ての細胞がＢ．ｔｈｕｒｉｎｇｉｅｎｓｉｓ遺伝子を保持するような選択的培地を供する。次いで、これらの細胞を通常の方法で収穫することができる。別法として、該細胞は収穫に先立って処理することができる。
殺虫性組成物が注目する蛋白質を発現する無傷Ｂ．ｔｈｕｒｉｎｇｉｅｎｓｉｓを含む場合、このような細菌は種々の方法で処方することができる。それらは、無機物質（フィロシリケート、カルボネート、スルフェート、ホスフェート等）または植物物質（粉末化したトウモロコシの稲穂、米糠、クルミの殻等）のような種々の不活性物質と混合することによって、湿潤性粉末、顆粒またはダストとして使用することができる。該製剤は、スプレッダー−スティッカーアジュバント、安定化剤、他の農薬添加剤または界面活性剤を含むことができる。液体製剤は水性ベースまたは非水とすることができ、泡状物、懸濁液、乳化性濃縮物等として使用することができる。該成分はレオロジー剤、界面活性剤、乳化剤、分散剤またはポリマーを含むこともできる。
別法として、新規キメラＣｒｙ蛋白質は、組換え細菌発現系によって調製し、引き続いてのフィールド散布のために単離することができる。このような蛋白質は粗製細胞溶解物、懸濁液、コロイド等いずれかとすることができ、あるいは別法として、活性な生物学的製剤に処方する前に精製し、精錬し、緩衝化し、および／またはさらに加工することができる。同様に、ある状況下では、結晶蛋白質を発現する細菌培養から結晶および／または胞子を単離し、活性な生物殺虫性組成物としてこのような結晶および／または胞子の溶液、懸濁液、またはコロイド状調製物を適用するのが望ましいであろう。
適用の方法に拘わらず、該量の有効成分（類）は殺虫有効量で適用され、これは、例えば防除すべき特異的甲虫昆虫、処理すべき特異的植物または穀物、環境条件、および殺虫活性組成物の方法、速度および量のような因子に依存して変化するであろう。
記載した殺虫性組成物は、細菌細胞、結晶および／または胞子懸濁液、または単離された蛋白質成分を所望の農業上許容される担体と共に処方することによって作成することができる。該組成物は、生理食塩水または他の緩衝液のような凍結乾燥した、乾燥した、または水性の担体、培地または適当な希釈剤のような適当な手段中に、投与に先立って処方することができる。処方された組成物は、ダストまたは顆粒物質、または油中懸濁液（植物または鉱物）、または水または油／水エマルジョンの形態とすることができ、あるいは湿潤性粉末としてもよく、あるいは農業適用に適した他の担体物質と組み合わせてもよい。適当な農業担体は農業適用に適したいずれの他の担体物質であってもよい。適当な農業担体は固体または液体であり、当該分野でよく知られている。「農業上許容される担体」という用語は、殺虫性製剤技術で通常使用される全てのアジュバント、例えば、不活性成分、分散剤、界面活性剤、粘着剤、結合剤等をカバーし；これらは殺虫剤製剤の分野の当業者によく知られている。該製剤は１以上の固体または液体アジュバントと混合し、種々の手段によって、例えば、通常の製剤技術を用いて殺虫性組成物を適当なアジュバントと均一に混合、ブレンドおよび／または粉砕することによって混合することができる。
本発明の殺虫性組成物は、通常の方法によって、好ましくはスプレイすることによって、標的の甲虫昆虫の環境に、典型的には、保護すべき植物または穀物の葉に散布される。殺虫適用の強度および持続は、処理すべき特定の害虫（類）、穀物（類）に特異的な条件および特定の環境条件に関して設定されるであろう。担体に対する有効成分の比例する比率は、自然には、殺虫性組成物の化学的性質、溶解性、および安定性、ならびに考えられる特定の製剤に依存するであろう。
他の適用技術、例えば、散布、振りかけ、浸漬、土壌注入、種子コーティング、実生コーティング、噴霧、エアレーション、ミスティング、アトマイジング等も可能であり、例えば、根または茎侵入を引き起こす昆虫のようなある種の環境下で、またはデリケートな野菜または観葉植物への適用のために、必要であり得る。また、これらの適用手法は、当業者によく知られている。
本発明の殺虫組成物は、本発明の方法単独で、あるいは限定されるものではないが他の農薬を含めた他の化合物と組み合わせて使用することができる。また、本発明の方法は、界面活性剤、洗剤、ポリマーまたは時間−放出処方のような他の処理と組み合わせて使用することもできる。本発明の殺虫性組成物は全身または局所使用のために処方することができる。
環境、全体または葉適用で使用される殺虫性組成物の濃度は、特定の製剤の性質、適用手段、環境条件、および殺生物活性の程度に応じて広く変化するであろう。典型的には、殺虫性組成物は、少なくとも約０．５重量％の濃度にて適用製剤中に存在させ、約９９重量％までとし、それを含めることができる。該組成物の乾燥製剤は組成物の約０．５ないし約９９重量％以上とでき、他方、液体製剤は、一般に、有効成分の約０．５重量％ないし約９９重量％以上含むことができる。無傷細菌細胞を含む製剤は、一般に、約１０4ないし約１０12細胞／ｍｇ含有するであろう。
昆虫製剤は、要すれば１以上の適用において、特定の植物または標的に投与することができ、ヘクタール当たりの典型的なフィールド散布は約５０ｇないし約５００ｇの有効成分、または約５００ｇないし約１０００ｇの、または約１０００ｇないし約５０００ｇまたはそれ以上の有効成分の程度の範囲である。
２．１３  抗体組成物および生産方法
特別の具体例において、本発明者らは、本明細書に開示した結晶蛋白質に結合するモノクローナルまたはポリクローナル抗体の使用を意図している。抗体を調製し特徴付ける手段は当該分野でよく知られている（例えば、ＨａｒｌｏｗおよびＬａｎｅ、１９８８参照；参照により本明細書に組み込まれる）。モノクローナル抗体（ｍＡｂｓ）を生成させる方法は、一般的には、ポリクローナル抗体を調製するためのものと同一系列に沿って開始する。略言すれば、動物を本発明の免疫原性組成物で免疫化し、その免疫化動物から抗血清を収集することによって、ポリクローナル抗体は調製される。広い範囲の動物種が抗血清の生産で使用することができる。典型的には、抗−抗血清の生産で使用される動物はウサギ、マウス、ラット、ハムスター、モルモットまたはヤギである。ウサギの比較的大きい血液容量のため、ウサギはポリクローナル抗体を生産するのに好ましい選択である。
当該分野でよく知られているように、所与の組成物はその免疫原性を変化させることができる。ペプチドまたはポリペプチド免疫原を担体にカップリングさせることによって達成できるように、宿主免疫系にブースター注射をするのが従ってしばしば必要である。例示的および好ましい担体はキイホールリンペットヘモシアニン（ＫＬＨ）およびウシ血清アルブミン（ＢＳＡ）である。オバルブミン、マウス血清アルブミンまたはウサギ血清アルブミンのような他のアルブミンを担体として用いることもできる。ポリペプチドを担体蛋白質にコンジュゲートさせるための手段は当該分野でよく知られており、グルタルアルデヒド、ｍ−マレイミドベンコイル−Ｎ−ヒドロキシスクシンイミドエステル、カルボジイミドおよびビス−ビアゾ化ベンジジンを含む。
やはり当該分野でよく知られているように、特定の免疫原組成物の免疫原性は、アジュバントとして知られている免疫応答の非特異的刺激の使用によって増強させることができる。例示的および好ましいアジュバントは、フロイントの完全アジュバント（殺したＭｙｃｏｂａｃｔｅｒｉｕｍ  ｔｕｂｅｒｃｕｌｏｓｉｓを含有する免疫反応の非特異的刺激剤）、フロイントの不完全アジュバントおよび水酸化アルミニウムアジュバントを含む。
ポリクローナル抗体の生産で用いる免疫原組成物の量は、免疫原の性質ならびに免疫化で使用する動物に応じて変化する。種々の経路を用いて、免疫原（皮下、筋肉内、皮内、静脈内および腹腔内）を投与することができる。ポリクローナル抗体の生産は、免疫化後に種々の時点で免疫化動物の血液をサンプリングすることによってモニターすることができる。第２のブースター注射も与えることができる。ブースティングおよび力価測定のプロセスを適当な力価が達成されるまで反復する。所望のレベルの免疫原性が得られると、免疫化動物から採血し、血清を単離し、貯蔵することができ、および／または動物を用いてｍＡｂを生成させることができる。
ｍＡｂは、米国特許第４，１９６，２６５号（参照により本明細書に組み込まれる）に例示されているもののような、よく知られた技術の使用を通じて容易に調製することができる。典型的には、該技術は、選択された免疫原組成物、例えば、精製されたまたは部分的に精製された結晶蛋白質、ポリペプチドまたはペプチドで適当な動物を免疫化することを含む。免疫化組成物は抗体生産細胞を刺激するのに効果的な方法で投与する。マウスおよびラットのような齧歯類が好ましい動物であるが、ウサギ、ヒツジ、カエル細胞も可能である。ラットの使用はある種の利点を供することができる（Ｃｏｄｉｎｇ、１９８６、６０−６１頁）が、マウスが好ましくは、ＢＡＬＢ／ｃマウスは最もルーチン的に使用され、一般に、高パーセントの安定な融合を一般的に与えるのでこれが最も好ましい。
免疫化に続き、抗体、具体的にはＢリンパ球（Ｂ細胞）を生産する能力を持つ体細胞を、ｍＡｂ生成プロトコルで使用するのに選択する。これらの細胞はバイオプシーした脾臓、扁桃またはリンパ節から得ることができ、あるいは末梢血液試料から得ることができる。脾臓細胞および末梢血液細胞が好ましく、前者は分裂する形質芽球段階にある抗体−産生細胞がリッチな源であるからであり、後者は容易にアクセスできる末梢血液だからである。しばしば、動物のパネルが免疫化され、最高抗体力価を持つ動物の脾臓を摘出し、該脾臓をシリンジで均質化することによって脾臓リンパ球が得られる。典型的には、免疫化マウスからの脾臓はほぼ５×１０7ないし２×１０8リンパ球を含有する。
次いで、免疫化動物からの抗体生産Ｂリンパ球を不滅ミエローマ細胞の細胞（一般に不滅化した動物と同一種のうちの１つ）と融合させる。ハイブリドーマ生産融合手法で使用するのに適したミエローマ細胞系は、好ましくは、非抗体生産性であり、高い融合効率、および所望の融合細胞（ハイブリドーマ）のみの増殖を支持するある種の選択的培地中で増殖できなくする酵素欠損を有する。
当業者に知られているように（Ｇｏｄｉｎｇ、６５−６６頁、１９８６；Ｃａｍｐｂｅｌｌ、７５−８３頁、１９８４）、多数のミエローマ細胞のうちのいずれか１つを使用することができる。例えば、免疫化動物がマウスである場合、Ｐ３−Ｘ６３／Ａｇ８、Ｘ６３−Ａｇ８．６５３、ＮＳ１／１．Ａｇ  ４１、Ｓｐ２１０−Ａｇ１４、ＦＯ、ＮＳＯ／Ｕ、ＭＰＣ−１１、ＭＰＣ１１−Ｘ４５−ＧＴＧ１．７およびＳ１９４／５ＸＸ０を使用することができ；ラットについては、Ｒ２１０．ＲＣＹ３、Ｙ３−Ａｇ  １．２．３、ＩＲ９８３Ｆおよび４Ｂ２１０を使用することができ；およびＵ−２６６、ＧＭ１５００−ＧＲＧ２、ＬＩＣＲ−ＬＯＮ−ＨＭｙ２およびＵＣ７２９−６は全てヒト細胞融合に関して有用である。
１つの好ましいネズミミエローマ細胞はＮＳ−１ミエローマ細胞系（Ｐ３−ＮＳ−１−Ａｇ４−１）であり、これは細胞系受託番号ＧＭ３５７３を要求することによって、ＮＩＧＭＳヒト遺伝的突然変異体細胞寄託機関（Ｈｕｍａｎ  Ｇｅｎｅｔｉｃ  Ｍｕｔａｎｔ  Ｃｅｌｌ  Ｒｅｐｏｓｉｔｏｒｙ）から容易に入手することができる。使用することができるもう１つのマウスミエローマ細胞系は８−アザグアニン−耐性マウスネズミミエローマＳＰ２／０非生産者細胞系でである。
抗体生産脾臓またはリンパ節細胞およびミエローマ細胞のハイブリッドを生成させる方法は、通常、２：１の比率で体細胞とミエローマ細胞とを混合することを含むが、該比率は、細胞膜の融合を促進する剤または剤類（化学的または電気的）の存在下で、各々、約２０：１ないし約１：１まで変化させることができる。センダイウイルスを用いる融合方法（ＫｏｈｌｅｒおよびＭｉｌｓｔｅｉｎ、１９７５；１９７６）、および３７％（ｖｏｌ．／ｖｏｌ．）ＰＥＧ、（Ｇｅｆｔｅｒら、１９７７）のようなポリエチレングリコール（ＰＥＧ）を用いるものが記載されている。電気的に誘導された融合方法も適当である（Ｇｏｄｉｎｇ、１９８６、７１−７４頁）。
融合手法は、通常、低頻度約１×１０-6ないし１×１０-8で生存可能なハイブリッドを生産する。しかしながら、これは問題を提起しない。というのは、生存可能な融合ハイブリッドは、選択培地中で培養することによって、親の未融合細胞（特に、通常は無限に分裂し続けるであろう未融合ミエローマ細胞）から分化したものでからである。選択培地は、一般に、組織培養培地中でヌクレオチドのデ・ヌボ合成をブロックする剤を含有するものである。例示的および好ましい剤はアミノプテリン、メトトレキセート、およびアザセリンである。アミノプテリンおよびメトトレキセートはプリンおよびピリミジンの双方のデ・ヌボ合成をブロックし、他方、アザセリンはプリン合成のみをブロックする。アミノプテリンまたはメトトレキセートを使用する場合、ヒポキサンチンおよびチミジンをヌクレオチド（ＨＡＴ培地）の源として該培地に補足する。アザセリンを使用する場合、該培地にヒポキサンチンを補足する。
好ましい選択培地はＨＡＴである。ヌクレオチドサルベージ経路を作動できる細胞のみがＨＡＴ培地で生存できる。該ミエローマ細胞はサルベージ経路の鍵となる酵素、すなわち、ヒポキサンチンホスホリボシルトランスフェラーゼ（ＨＰＲＴ）が欠損し、それらは生存できない。Ｂ−細胞はこの経路で作動するが、それらは培養中に限定された寿命を有し、一般に、約２週間内に死滅する。従って、選択培地中で生存できる細胞のみがミエローマおよびＢ−細胞から形成されたハイブリッドである。
この培養は、それから特異的ハイブリドーマが選択されるハイブリドーマの集団を提供する。典型的には、ハイブリドーマの選択は、マイクロタイタープレート中での単一クローン希釈によって細胞を培養し、続いて個々のクローン上清を所望の反応性につき（約２ないし３週間後に）テストすることによって行われる。該アッセイは、ラジオイムノアッセイ、酵素免疫アッセイ、細胞毒性アッセイ、プラークアッセイ、ドット免疫結合アッセイ等のように、感受性で、単純で迅速であるべきである。
次いで、選択されたハイブリドーマを系列希釈し、個々の抗体生産細胞系にクローン化し、次いで、このクローンを無限に増殖させてｍＡｂを得る。該細胞系は２つの基本的方法でｍＡｂの生産用に開発することができる。ハイブリドーマの試料は、元の融合用の体細胞およびミエローマ細胞を供するのに使用したタイプの組織適合性動物に注入することができる（しばしば、腹腔内に）。注入された動物は、融合された細胞ハイブリッドによって生産された特異的モノクローナル抗体を分泌する腫瘍を発生させる。次いで、血清または腹水液のような動物の体液を出して高濃度のｍＡｂを供する。また、個々の細胞系をイン・ビトロで培養し、ここにｍＡｂは自然に培養培地に分泌され、それからそれは高濃度で容易に得ることができる。いずれかの手段によって生産されたｍＡｂを、要すれば、濾過、遠心およびＨＰＬＣまたはアフィニティークロマトグラフィーのような種々のクロマトグラフィーを用いてさらに精製することができる。
３．０  図面の簡単な記載
図面は本明細書の一部を形成し、本発明のある種の局面をさらに示すために含める。本発明は、ここに提示する具体的具体例の詳細な記載と組み合わせてこれらの図面のうちの１以上を参照して良好に理解される。
図１．  本発明で重要なハイブリッドδ−エンドトキシンを構築するのに使用した野生型δ−エンドトキシンおよび関連成分部位を図１Ａに示す。示されたプラスミド（添字「ｐＥＧ」によって同定される）上に含有されるδ−エンドトキシンをコードするＤＮＡのみを示す。示したプラスミドを含有するＢ．ｔｈｕｒｉｎｇｉｅｎｓｉｓ株を図１Ｂに示し、図１Ａで野生型δ−エンドトキシンと整列させる。
図２．  等量の各洗浄した胞子形成したＢ．ｔｈｕｒｉｎｇｉｅｎｓｉｓ培養によるＳＤＳ−ＰＡＧＥによって分析した。レーンａ：対照ＣｒｙＡｃ生産Ｂ．ｔｈｕｒｉｎｇｉｅｎｓｉｓ株ＥＧ１１０７０、ｂ：ＥＧ１０６０、ｃ：ＥＧ１１０６２、ｄ：ＥＧ１１０６３、ｅ：ＥＧ１１０６５、ｆ：ＥＧ１１０６７、ｇ：ＥＧ１１０７１、ｈ：ＥＧ１１０７３、ｉ：ＥＧ１１０７４、ｊ：ＥＧ１１０８８、ｋ：ＥＧ１１０９０、およびｌ：ＥＧ１１０９１。
図３．  可溶化したハイブリッドδ−エンドトキシンを０、１５、３０、６０および１２０分間トリプシンに暴露した。得られた物質をＳＤＳ−ＰＡＧＥによって分析した。残存する活性δ−エンドトキシン断片の量を、Ｍｏｌｅｃｕｌａｒ  Ｄｙｎａｍｉｃｓモデル３００Ａデンシトメーターを用いデンシトメトリーを走査することにより定量した。残存するパーセント活性トキシンを時間に対してプロットした。野生型Ｃｒｙ１Ａｃδ−エンドトキシン（塗っていない箱型）は対照として供した。
図４．  ｐＥｇ３８１によってコードされ、ＥＧ１１７６８で発現されたハイブリツドδ−エンドトキシンを構築するのに使用した野生型トキシンおよび関連制限部位の模式的ダイアグラム。示したプラスミド（添文「ｐＥＧ」によって確認される）上に含有されるδ−エンドトキシンをコードするＤＮＡのみを示す。
４．０  配列表の簡単な記載
配列番号：１はオリゴヌクレオチドプライマーＡである。
配列番号：２はオリゴヌクレオチドプライマーＢである。
配列番号：３はオリゴヌクレオチドプライマーＣである。
配列番号：４はオリゴヌクレオチドプライマーＤである。
配列番号：５はオリゴヌクレオチドプライマーＥである。
配列番号：６はオリゴヌクレオチドプライマーＦである。
配列番号：７はオリゴヌクレオチドプライマーＧである。
配列番号：８はオリゴヌクレオチドプライマーＨである。
配列番号：９はＥＧ１１０６３ハイブリツドδ−エンドトキシンのヌクレオチドおよび推定アミノ酸配列である。
配列番号：１０は配列番号：９で特定されたハイブリッドδ−エンドトキシンについてのアミノ酸配列を３文字略語形態で示す。
配列番号：１１はＥＧ１１０７４ハイブリッドδ−エンドトキシンのヌクレオチドおよび推定アミノ酸配列である。
配列番号：１２は、配列番号：１１で特定したハイブリッドδ−エンドトキシンについてのアミノ酸配列を３文字略語形態で示す。
配列番号：１３はＥＧ１１７３５ハイブリッドδ−エンドトキシンのヌクレオチドおよび推定アミノ酸配列である。
配列番号：１４は配列番号：１３で特定したハイブリッドδ−エンドトキシンについてのアミノ酸配列を３文字略語形態で示す。
配列番号：１５は、ｐＥＧ１０６５、ｐＥＧ１０７０、およびｐＥＧ１０７４についての５’交換部位である。
配列番号：１６は、ｐＥＧ１０６７、ｐＥＧ１０７２、およびｐＥＧ１０７６についての５’交換部位である。
配列番号：１７は、ｐＥＧ１０６８、ｐＥＧ１０７７、およびｐＥＧ３６５についての５’交換部位である。
配列番号：１８は、ｐＥＧ１０８８およびｐＥＧ１０９２についての５’交換部位である。
配列番号：１９は、ｐＥＧ１０８９についての５’交換部位およびｐＥＧ１０７０およびｐＥＧ１０７２についての３’交換部位である。
配列番号：２０は、ｐＥＧ１０９１についての５’交換部位である。
配列番号：２１は、ｐＥＧ１０６５、ｐＥＧ１０６７、ｐＥＧ１０６８、ｐＥＧ１０９３、ｐＥＧ３７８およびｐＥＧ３６５についての３’交換部位である。
配列番号：２２はｐＥＧ１０８８についての３’交換部位である。
配列番号：２３はオリゴヌクレオチドプライマーＩである。
配列番号：２４はオリゴヌクレオチドプライマーＪである。
配列番号：２５はＥＧ１１０９２のハイブリッド結晶蛋白質をコードする遺伝子の核酸配列および推定アミノ酸配列である。
配列番号：２６は配列番号：２５によってコードされた株ＥＧ１１０９２によって産生されたハイブリッド結晶蛋白質のアミノ酸配列からの３文字略語である。
配列番号：２７はＥＧ１１７５１のハイブリッド結晶蛋白質をコードする遺伝子の核酸配列および推定アミノ酸配列である。
配列番号：２８は配列番号：２７によってコードされた株ＥＧ１１７５１によって産生されたハイブリッド結晶蛋白質のアミノ酸配列からの３文字略語である。
配列番号：２９はＥＧ１１０９１のハイブリッド結晶蛋白質をコードする遺伝子の核酸配列および推定アミノ酸配列である。
配列番号：３０は配列番号：２９によってコードされた株１１０９１によって産生されたハイブリッド結晶蛋白質のアミノ酸配列からの３文字略語である。
配列番号：３１はオリゴヌクレオチドプライマーＫである。
配列番号：３２はｐＥＧ３７８およびｐＥＧ３８１についての５’交換部位である。
配列番号：３３はＥＧ１１７６８のハイブリッド結晶蛋白質をコードする遺伝子の核酸配列および推定アミノ酸配列である。
配列番号：３４は配列番号：３３によってコードされた株ＥＧ１１７６８によって産生されたハイブリッド蛋白質のアミノ酸配列からの３文字略語である。
配列番号：３５は、ｐＥＧ１０７４、ｐＥＧ１０７６、ｐＥＧ１０７７およびｐＥＧ３８１についての３’交換部位である。
５．０  説明的具体例の記載
５．１  Ｂ．ｔｈｕｒｉｎｇｉｅｎｓｉｓを培養して結晶蛋白質を生成させる方法
本明細書に記載したＢ．ｔｈｕｒｉｎｇｉｅｎｓｉｓ株は、標準的な公知の培地および発酵技術を用いて培養することができる。発酵サイクルの完了に際しては、当該分野でよく知られた手段による発酵ブロスからのＢ．ｔｈｕｒｉｎｇｉｅｎｓｉｓ胞子および結晶をまず分離することによって細菌を収穫することができる。回収したＢ．ｔｈｕｒｉｎｇｉｅｎｓｉｓ胞子および結晶は、界面活性剤、分散剤、不活性担体および他の成分を添加して特定の標的害虫に対する取り扱いおよび適用を容易とすることによって、湿潤性粉末、液体濃縮物、顆粒または他の処方に処方することができる。処方および適用手法は当該分野でよく知られており、鱗翅目、例えば青虫に対してＢ．ｔｈｕｒｉｎｇｉｅｎｓｉｓ（ＨＤ−１）の商業的株で使用される。
５．２  結晶の発現用の組換え宿主細胞
本発明のヌクレオチド配列は種々の微生物宿主に導入することができる。トキシン遺伝子の発現の結果、直接的にまたは間接的に、農薬の細胞内産生および維持がもたらされる。適当な宿主、例えば、Ｐｓｅｕｄｏｍｏｎａｓにて、該微生物を鱗翅目昆虫の部位に適用することができ、該部位でそれらは増殖し、該昆虫によって摂取される。その結果、望まない昆虫が防除される。別法として、トキシン遺伝子が入っている微生物を、該細胞中で産生されるトキシンの活性を延長する条件下で処理することができる。次いで、処理した細胞を標的害虫（類）の環境に適用することができる。得られた産物はＢ．ｔｈｕｒｉｎｇｉｅｎｓｉｓトキシンの毒性を保持する。
細胞含有害虫を処理し次いで処理した細胞を標的害虫（類）に適用して該細胞中の活性を延長する場合、適当な宿主細胞は、原核生物または真核生物いずれかを含むことができ、通常は、哺乳動物のような高等生物に際して毒性の物質を生産しない細胞に限定される。しかしながら、該トキシンが不安定であるか、あるいは哺乳動物宿主に対するいずれの可能性または毒性も回避するように十分低い適用レベルであれば、高等生物に対して毒性の物質を生産する生物を使用することができる。宿主としては、特に興味のあるのは、原核生物および真菌のような下等な真核生物である。例示的原核生物（グラム陰性およびグラム陽性）はＥｓｃｈｅｒｉｃｈｉａ、Ｅｒｗｉｎｉａ、Ｓｈｉｇｅｌｌａ、ＳａｌｍｏｎｅｌｌａおよびＰｒｏｔｅｕｓのようなＥｎｔｅｒｏｂａｃｔｅｒｉａｃｅａｅ；Ｂａｃｉｌｌａｃｅａｅ；ＲｈｉｚｏｂｉｕｍのようなＲｈｉｚｏｂｉｃｅａｅ；発光菌属、Ｚｙｍｏｍｏｎａｓ、Ｓｅｒｒａｔｉａ、Ａｅｒｏｍｏｎａｓ、Ｖｉｂｒｉｏ、Ｄｅｓｕｌｆｏｖｉｂｒｉｏ、ＳｐｉｒｉｌｌｕｍのようなＳｐｉｒｉｌｌａｃｅａｅ；Ｌａｃｔｏｂａｃｉｌｌａｃｅａｅ；ＰｓｅｕｄｏｍｏｎａｓおよびＡｃｅｔｏｂａｃｔｅｒのようなＰｓｅｕｄｏｍｏｎｏｄａｃｅａｅ；Ａｚｏｔｏｂａｃｔｅｒａｃｅａｅ、ＡｃｔｉｎｏｍｙｃｅｔａｌｅｓおよびＮｉｔｒｏｂａｃｔｅｒａｃｅａｅを含む。真核生物の内には、ＰｈｙｃｏｍｙｃｅｔｅｓおよびＡｓｃｏｍｙｃｅｔｅｓのような真菌であり、これはＳａｃｃｈａｒｏｍｙｃｅｓおよびＳｃｈｉｚｏｓａｃｃｈａｒｏｍｙｃｅｓのような酵母；およびＲｈｏｄｏｔｏｒｕｌａ、Ａｕｒｅｏｂａｓｉｄｉｕｍ、Ｓｐｏｒｏｂｏｌｏｍｙｃｅｓ等のようなＢａｓｉｄｉｏｍｙｃｅｔｅｓ酵母を含む。
生産目的で宿主細胞を選択するにおいて特に注目する特徴は、Ｂ．ｔｈｕｒｉｎｇｉｅｎｓｉｓ遺伝子を宿主に導入する容易性、発現系の利用可能性、発現の効率、宿主中での農薬の安定性、および補助的遺伝子能力の存在を含む。農薬マイクロカプセル剤として使用する注目する特徴は、厚い細胞壁、着色、および細胞内パッキングまたは封入体の形成のような農薬についての保護的性質；哺乳動物毒性の欠如；摂取のための昆虫に対する誘引性；トキシンに対する損傷なくしての殺菌及び固定の容易性等を含む。他の考慮は処方および取り扱い、経済性、貯蔵安定性等を含む。
特に注目する宿主生物はＲｈｏｄｏｔｏｒｕｌａ  ｓｐ．、Ａｕｒｅｏｂａｓｉｄｉｕｍ  ｓｐ．、Ｓａｃｃｈａｒｏｍｙｃｅｓ  ｓｐ．およびＳｐｏｒｏｂｏｌｏｍｙｃｅｓ  ｓｐ．のような酵母；Ｐｓｅｕｄｏｍｏｎａｓ  ｓｐ．、Ｅｒｗｉｎｉａ  ｓｐ．およびＦｌａｖｏｂａｃｔｅｒｉｕｍ  ｓｐ．のようなｐｈｙｌｌｏｐｌａｎｅ生物；またはＥｓｃｈｅｒｉｃｈｉａ、Ｌａｃｔｏｂａｃｉｌｌｕｓ  ｓｐ．、Ｂａｃｉｌｌｕｓ  ｓｐ．、Ｓｔｒｅｐｔｏｍｙｃｅｓ  ｓｐ．等のような他の生物を含む。特別の生物はＰｓｅｕｄｏｍｏｎａｓ  ａｅｒｕｇｉｎｏｓａ、Ｐ．ｆｌｕｏｒｅｓｃｅｎｓ、Ｓａｃｃｈａｒｏｍｙｃｅｓ  ｃｅｒｅｖｉｓｉａｅ、Ｂ．ｔｈｕｒｉｎｇｉｅｎｓｉｓ、Ｂ．ｓｕｂｔｉｌｉｓ、Ｅ．ｃｏｌｉ、Ｓｔｒｅｐｔｏｍｙｃｅｓ  ｌｉｖｉｄａｎｓ等を含む。
微生物細胞、例えば、Ｂ．ｔｈｕｒｉｎｇｉｅｎｓｉｓトキシンを含有する微生物の処理は、当該技術がトキシンの特性に悪影響せず、またトキシンを保護する細胞能力を無くしない限り、化学的または物理的手段により、または化学的および／または物理的手段によることができる。化学的試薬の例はハロゲン化剤、特に原子番号１７−８０のハロゲンである。さらに詳細には、温和な条件下であって、所望の結果を達成するのに十分な時間、ヨウ素を用いることができる。他の適当な技術は、ホルムアルデヒドおよびグルタルアルデヒドのようなアルデヒド；塩化ゼフィランおよび塩化セチルピリジニウムのような抗感染剤；イソプロピルアルコールおよびエタノールのようなアルコール；ルゴールヨウ素、ブインの固定液およびヘリーの固定液のような組織学的固定液（例えば、Ｈｕｍａｓｏｎ、１９６７）；または細胞を適当な宿主に投与した場合に該細胞で産生されたトキシンの活性を保持し延長する物理的（加熱）および化学的剤の組合せでの処理を含む。物理的手段の例はγ−放射およびＸ−放射、凍結、ＵＶ照射、凍結乾燥等のような短波長放射である。使用する細胞は、通常、無傷であって、胞子形態よりもむしろ処理すると実質的に増殖形態となるが、ある場合には、胞子を使用することもできる。
Ｂ．ｔｈｕｒｉｎｇｉｅｎｓｉｓトキシン遺伝子を適当なベクターを介して微生物宿主に導入し、かつ該宿主を生きた状態で環境に適用する場合、ある種の宿主微生物を使用するのが必須である。注目する１以上の作物の「フィトスフィア」（フィロプレイン、フィロスフィア、リゾスフィアおよび／またはリゾプレイン）を占めることが知られている微生物宿主を選択する。これらの微生物は、野生型微生物と特定の環境（作物および他の昆虫生息地）で首尾よく競合できるように選択され、ポリペプチド農薬を発現する遺伝子の安定な維持および発現が供され、望ましくは、環境低下および不活性化からの農薬の改良された保護が供される。
非常に多数の微生物が、種々の重要な作物のフィロプレイン（植物の葉の表面）および／またはリゾスフィア（植物の根を囲む土壌）に生息することが知られている。これらの微生物は細菌、藻類、真菌を含む。特に注目するのは細菌、例えば、属でＢａｃｉｌｌｕｓ、Ｐｓｅｕｄｏｍｏｎａｓ、Ｅｒｗｉｎｉａ、Ｓｅｒｒａｔｉａ、Ｋｌｅｂｓｉｅｌｌａ、Ｚａｎｔｈｏｍｏｎａｓ、Ｓｔｒｅｐｔｏｍｙｃｅｓ、Ｒｈｉｚｏｂｉｕｍ、Ｒｈｏｄｏｐｓｅｕｄｏｍｏｎａｓ、Ｍｅｔｈｙｌｏｐｈｉｌｉｕｓ、Ａｇｒｏｂａｃｔｅｒｉｕｍ、Ａｃｅｔｏｂａｃｔｅｒ、Ｌａｃｔｏｂａｃｉｌｌｕｓ、Ａｒｔｈｒｏｂａｃｔｅｒ、Ａｚｏｔｏｂａｃｔｅｒ、ＬｅｕｃｏｎｏｓｔｏｃおよびＡｌｃａｌｉｇｅｎｅｓ；真菌、特に酵母、例えば属でＳａｃｃｈａｒｏｍｙｃｅｓ、Ｃｒｙｐｔｏｃｏｃｃｕｓ、Ｋｌｕｙｖｅｒｏｍｙｃｅｓ、Ｓｐｏｒｏｂｏｌｏｍｙｃｅｓ、Ｒｈｏｄｏｔｏｒｕｌａ、およびＡｕｒｅｏｂａｓｉｄｉｕｍのような微生物である。特に興味があるのは、Ｐｓｅｕｄｏｍｏｎａｓ  ｓｙｒｉｎｇａｅ、Ｐｓｅｕｄｏｍｏｎａｓ  ｆｌｕｏｒｅｓｃｅｎｓ、Ｓｅｒｒａｔｉａ  ｍａｒｃｅｓｃｅｎｓ、Ａｃｅｔｏｂａｃｔｅｒ  ｘｙｌｉｎｕｍ、Ａｇｒｏｂａｃｔｅｒｉｕｍ  ｔｕｍｅｆａｃｉｅｎｓ、Ｒｈｏｄｏｂａｃｔｅｒ  ｓｐｈａｅｒｏｉｄｅｓ、Ｘａｎｔｈｏｍｏｎａｓ  ｃａｍｐｅｓｔｒｉｓ、Ｒｈｉｚｏｂｉｕｍ  ｍｅｌｉｏｔｉ、Ａｌｃａｌｉｇｅｎｅｓ  ｅｕｔｒｏｐｈｕｓおよびＡｚｏｔｏｂａｃｔｅｒ  ｖｉｎｌａｎｄｉｉのようなフィトスフィア細菌種；Ｒｈｏｄｏｔｏｒｕｌａ  ｒｕｂｒａ、Ｒ．ｇｌｕｔｉｎｉｓ、Ｒ．ｍａｒｉｎａ、Ｒ．ａｕｒａｎｔｉａｃａ、Ｃｒｙｐｔｏｃｏｃｃｕｓ  ａｌｂｉｄｕｓ、Ｃ．ｄｉｆｆｌｕｅｎｓ、Ｃ．ｌａｕｒｅｎｔｉｉ、Ｓａｃｈａｒｏｍｙｃｅｓ  ｒｏｓｅｉ、Ｓ．ｐｒｅｔｏｒｉｅｎｓｉｓ、Ｓ．ｃａｒｅｖｉｓｉａｅ、Ｓｐｏｒｏｂｏｌｏｍｙｃｅｓ  ｒｏｓｅｕｓ、Ｓ．ｏｄｏｒｕｓ、Ｋｌｕｙｖｅｒｏｍｙｃｅｓ  ｖｅｒｏｎａｅおよびＡｕｒｅｏｂａｓｉｄｉｕｍ  ｐｏｌｌｕｌａｎｓのようなフィトスフィア酵母種である。
５．３  定義
以下の語句およびフレーズは後記する意味を有する。
広いスペクトルは広い範囲の昆虫種をいう。
広いスペクトルの殺虫活性：広い範囲の昆虫種に向けられた毒性
発現：構造遺伝子のようなコーディングＤＮＡ分子によって受けるポリペプチドを生産するための転写および翻訳を含めた、細胞内プロセスの組合せ。
殺虫活性：昆虫に向けられた毒性
殺虫特異性：複数昆虫種に向けられた結晶蛋白質によって呈される毒性
目内特異性：昆虫の目（例えば、鱗翅目）内の昆虫種に向けられた特定の結晶蛋白質の毒性
目間特異性：異なる目（例えば、鱗翅目および双翅目）内の昆虫種に向けられた特定の結晶蛋白質の毒性
ＬＣ50：処理した昆虫の５０％死滅を引き起こす結晶蛋白質の致死濃度
ＬＣ95：処理した昆虫の９５％死滅を引き起こす結晶蛋白質の致死濃度
プロモーター：構造遺伝子用の発現制御を提供し、それにＲＮＡポリメラーゼが特異的に結合し、その遺伝子のＲＮＡ合成（転写）を開始するＤＮＡ配列またはＤＮＡ配列群上の認識部位
再生：植物細胞（例えば、植物プロトプラストおよび外植体）から植物を成長させるプロセス
構造遺伝子：発現されたポリペプチドを生成する遺伝子
形質転換：外因性ＤＮＡ配列（例えば、ベクター、組換えＤＮＡ分子）を細胞またはプロトプラストに導入し、その中で外因性ＤＮＡが染色体に取り込まれ、自律的に複製できるようになるプロセス
形質転換された細胞：そのＤＮＡが外因性ＤＮＡ分子のその細胞への導入によって改変された細胞
トランスジーン：：形質転換、エレクトロポレーション、パーティクル衝撃等のようなプロセスを介して宿主細胞のゲノムに導入された場合に、宿主細胞によって発現され、細胞ゲノムに取り込まれ、それにより、当該トランスジーンの発現によって生成した特性または特性類が形質転換した細胞の子孫に遺伝する外因性遺伝子
トランスジェニック細胞：形質転換細胞に由来するまたはそれから再生された、あるいはトランスジェニック細胞に由来する全ての細胞。例示的トランスジェニック細胞は形質転換植物細胞に由来する植物カルスおよび葉、根、茎のような特定の細胞、例えば、体細胞、またはトランスジェニック植物から得られた再生（胚）細胞を含む。
トランスジェニック植物：形質転換植物細胞またはプロトプラストに由来する植物またはその子孫であり、ここに、植物ＤＮＡは同一株の天然の非トランスジェニック植物に元来は存在しないＤＮＡ分子が導入されている。「トランスジェニック植物」および「形質転換植物」は、時々、当該分野では同義で使用されて、そのＤＮＡが外因性ＤＮＡ分子を含有する植物を定義する。しかしながら、トランスジェニック植物である形質転換植物細胞またはプロトプラストから得られた再生植物またはカルスをいうのがより科学的には正しいと考えられ、その用法は本明細書で後出する。
ベクター：宿主細胞中で複製でき、および／またはもう１つのＤＮＡセグメントが作動可能に連結して、結合されたセグメントの複製が行われるＤＮＡ分子。プラスミドはベクターの例である。
５．４  プローブおよびプライマー
もう１つの局面において、本発明によって提供されたＤＮＡ配列情報は、本明細書に開示された選択ポリヌクレオチドの遺伝子配列に特異的にハイブリダイズする能力を有する比較的短いＤＮＡ（またはＲＮＡ）の調製を可能とする。これらの局面において、適当な長さの核酸プローブを、選択された結晶蛋白質遺伝子配列、例えば、配列番号：９、配列番号：１１、配列番号：１３、配列番号：２５、配列番号：２７、配列番号：２９または配列番号：３３に示されたもののような配列の考慮に基づいて調製する。結晶蛋白質をコードする配列に特異的にハイブリダイズするこのような核酸プローブの能力は、それを種々の具体例において特に有用とする。最も重要には、該プローブは所与の試料中の相補的配列の存在を検出するための種々のアッセイで使用することができる。
ある具体例において、オリゴヌクレオチドプライマーを使用するのが有利である。このようなプライマーの配列は、ＰＣＲTM技術を用いＢ．ｔｈｕｒｉｎｇｉｅｎｓｉｓからの結晶蛋白質遺伝子の規定されたセグメントを検出し、増幅し、または突然変異させるのに使用する本発明のポリヌクレオチドを用いて設計される。他の種からの関連する結晶蛋白質遺伝子のセグメントもこのようなプライマーを用いてＰＣＲTMによって増幅することができる。
本発明による利点のあるものを供するには、ハイブリダイゼーション実験またはアッセイで使用される好ましい核酸配列は、配列番号：９、配列番号：１１、配列番号：１３、配列番号：２５、配列番号：２７、配列番号：２９または配列番号：３３に示されたもののような、結晶蛋白質をコードする配列の少なくとも１４ないし３０等の長さヌクレオチドストレッチに相補的な配列を含む。長さが少なくとも１４ヌクレオチドのサイズは、断片が安定であって選択的であるデュプレックス分子を形成するのに十分な長さであろうことを確実とするのを助ける。ハイブリッドの安定性および選択性を増加させ、それにより得られた特異的ハイブリッド分子の質および程度を改良するには、長さが１４塩基を超えるストレッチにわたる相補的配列を有する分子が一般的には好ましい。一般に、１４ないし２０ヌクレオチド、あるいは所望ならばより長い遺伝子−相補的ストレッチを有する核酸分子を設計するのが好ましい。このような断片は、例えば、化学的手段により断片を直接的に合成することによって、米国特許第４，６８３，１９５号および第４，６８３，２０２号（各々、参照により本明細書に組み込む）のＰＣＲTM技術のような核酸再生技術の適用によって、適当なインサートおよび適当に制限部位を含有する組換えプラスミドから選択されたＤＮＡ断片を切り出すことによって容易に調製することができる。
５．５  発現ベクター
本発明は、本発明のポリヌクレオチドを含む発現ベクターが考えられる。このように、１つの具体例において、発現ベクターは、本発明のポリペプチドをコードするコーディング領域に作動可能に連結したプロモーターを含む単離され精製されたＤＮＡ分子であり、そのコーディング領域は転写終始領域に作動可能に連結し、これにより、該プロモーターはコーディング領域の転写を駆動する。
本明細書で用いる「作動可能に連結」とは、コーディング領域の転写がそのプロモーターによって制御され調節されるように、プロモーターがコーディング領域に連結していることを意味する。
細菌で機能するプロモーターは当該分野でよく知られている。Ｂａｃｉｌｌｕｓ結晶蛋白質用の例示的で好ましいプロモーターはｓｉｇＡ、ｓｉｇＥおよびｓｉｇＫ遺伝子プロモーターを含む。別法として、天然、突然変異誘発、または組換え結晶蛋白質コーディング遺伝子プロモーターそれ自体を使用できる。
本発明の発現ベクターを用いて植物を形質転換する場合、植物における発現を駆動する能力を有するプロモーターが選択される。また、植物で機能するプロモーターは当該分野でよく知られている。植物においてポリペプチドを発現するのに有用なものは、記載されている（Ｐｏｓｚｋｏｗｓｋｉら、１９８９；Ｏｄｅｌｌら、１９８５）ように誘導性、ウイルス、合成、構成的であって、一時的に調節され、空間を隔てて調節され、空間的−一時的に調節される（Ｃｈａｕら、１９８９）プロモーターである。
また、プロモーターは、コーディング領域に対して形質転換植物細胞またはトランスジェニック植物の転写活性を指令する能力につき選択される。構造遺伝子は植物組織において種々のプロモーターによって駆動させることができる。ＣａＭＶ３５Ｓプロモーター、双子葉植物または単子葉植物に影響する組織−特異的または発生的に特異的プロモーターのようなプロモーターはほとんど構成的である。
プロモーターがＣａＭＶ３５Ｓのようなほとんど構成的なプロモーターである場合、ポリペプチド発現の増加が種々の形質転換植物組織で見いだされる（例えば、カルス、葉、種子および根）。別法として、形質転換の効果は、組織特異的プロモーターを含有するベクターを取り込む植物を用いることによって特異的植物組織に向けることができる。
例示的組織特異的プロモーターはレクチンプロモーターであり、これは種子組織に対して特異的である。大豆種子中のレクチン蛋白質は、種子成熟の間でのみ発現される単一遺伝子（Ｌｅｌ）によってコードされ、全種子ｍＲＮＡの約２ないし約５％を占める。レクチン遺伝子および種子特異的プロモーターは十分に特徴付けられており、トランスジェニックタバコ植物において種子特異的発現を指令するのに使用されている（Ｖｏｄｋｉｎら、１９８３；Ｌｉｎｄｓｔｒｏｍら、１９９０）。
注目するポリペプチドをコードするコーディング領域を含有する発現ベクターは、該レクチンプロモーターの制御下にあるよう作成され、そのベクターは、例えば、プロトプラスト方法（Ｄｈｉｒら、１９９１）を用いて植物に導入される。ポリペプチドの発現はトランスジェニック植物の種子に対して特異的に向けられる。
組織特異的プロモーターで形質転換した植物細胞から生産された本発明のトランスジェニック植物は、異なる組織特異的プロモーターで形質転換した植物細胞から発生した第２のトランスジェニック植物と交差させて、１を超える特異的組織において形質転換の効果を示すハイブリッドトランスジェニック植物を得ることができる。
例示的組織特異的プロモーターはトウモロコシスクロースシンテターゼ１（Ｙａｎｇら、１９９０）、トウモロコシアルコールデヒドロゲナーゼ１（Ｖｏｇｅｌら、１９８９）、トウモロコシ光収穫複合体（Ｓｉｍｐｓｏｎ、１９８６）、トウモロコシ熱ショック蛋白質（Ｏｄｅｌｌら、１９８５）、エンドウ小サブユニットＲｕＢＰカルボキシレラーゼ（Ｐｏｕｌｓｅｎら、１９８６；Ｃａｓｈｍｏｒｅら、１９８３）、Ｔｉプラスミドマンノピンシンターゼ（Ｌａｎｇｒｉｄｇｅら、１９８９）、Ｔｉプラスミドノパリンシンターゼ（Ｌａｎｇｒｉｄｇｅら、１９８９）、ペチュニアカルコンイソメラーゼ（Ｖａｎ  Ｔｕｎｅｎら、１９８８）、豆類グリシンリッチプロテイン１（Ｋｅｌｌｅｒら、１９８９）、ＣａＭＶ  ３５ｓ転写体（Ｏｄｅｌｌら、１９８５）およびジャガイモパタチン（Ｗｅｎｚｌｅｒら、１９８９）である。好ましいプロモーターはカリフラワーモザイクウイルス（ＣａＭＶ  ３５Ｓ）プロモーターおよびＳ−Ｅ９小サブユニットＲｕＢＰカルボキシラーゼプロモーターである。
いずれの発現ベクター、最終的にはいずれのプロモーターに、ポリペプチドコーディング領域が作動可能に連結するかの選択は、所望の機能的特性、例えば、蛋白質発現の位置およびタイミング、および形質転換させるべき宿主細胞に直接的に依存する。これらは組換えＤＮＡ分子を構築する分野に固有のよく知られた制限である。しかしながら、本発明を実施するのに有用なベクターは、それが作動可能に連結するポリペプチドコーディング領域の発現を支持できる。
高等植物での遺伝子の発現で有用な典型的ベクターは当該分野でよく知られており、記載されている（Ｒｏｇｅｒｓら、１９８７）Ａｇｒｏｂａｃｔｅｒｉｕｍ  ｔｕｍｅｆａｃｉｅｎｓ腫瘍−誘導（Ｔｉ）プラスミドに由来するベクターを含む。しかしながら、記載されている（Ｆｒｏｍｍら、１９８５）ｐＣａＭＶＣＮ導入制御ベクターを含めたいくつかの他の植物取り込みベクター系が、植物において機能することが知られている。ｐＣａＭＶＣＮ（Ｐｈａｒｍａｃｉａ，Ｐｉｓｃａｔａｗａｙ、ＮＪから入手可能）はカリフラワーモザイクウイルスＣａＭＶ  ３５Ｓプロモーターを含む。
好ましい具体例において、ポリペプチドを発現させるのに使用されるベクターは、植物細胞中で効果的な選択マーカー、好ましくは薬物耐性選択マーカーを含む。１つの好ましい薬物耐性マーカーは、その発現の結果カナマイシン耐性がもたらされる遺伝子、すなわち、記載されている（Ｒｏｇｅｒｓら、１９８８）ノパリンシンターゼプロモーター、Ｔｎ５ネオマイシンホスホトランスフェラーゼＩＩ（ｎｐｔＩＩ）およびノパリンシンターゼ３’非翻訳領域を含有するキメラ遺伝子である。
ＲＮＡポリメラーゼはポリアデニル化が起こる部位を通じてコーディングＤＮＡ配列を転写する。典型的には、ポリアデニル化部位から数１００塩基対下流に位置するＤＮＡ配列が転写を終結させるよう働く。それらのＤＮＡ配列をここでは転写−終始領域という。それらの領域は転写されたメッセンジャーＲＮＡ（ｍＲＮＡ）の効果的ポリアデニル化に必要である。
発現ベクターを調製する手段は当該分野でよく知られている。植物を形質転換するのに使用される発現（形質転換ベクター）およびそれらのベクターを作成する方法は米国特許第４，９７１，９０８号、第４，９４０，８３５号、第４，７６９，０６１号および第４，７５７，０１１号（その各々を、参照により本明細書に組み込む）に述べられている。それらのベクターを修飾して、本発明によるコーディング配列を含ませることができる。
相補的粘着末端または平滑末端を介してＤＮＡをベクターに作動可能に連結させるために、種々の方法が開発されてきた。例えば、相補的ホモポリマートラクトをＤＮＡセグメントに付加して挿入させ、またベクターＤＮＡに付加させることができる。次いで、ベクターおよびＤＮＡセグメントを、相補的ホモポリマーテイルの間の水素結合によって連結させて組換えＤＮＡ分子を形成させることができる。
殺虫活性を細胞に付与する能力を有するホリペプチドをコードするコーディング領域は、好ましくは、キメラＢ．ｔｈｕｒｉｎｇｉｅｎｓｉｓ結晶蛋白質コーディング遺伝子である。好ましい具体例において、このようなポリペプチドは配列番号：１０、配列番号：１２、配列番号：１４、配列番号：２６、配列番号：２８、配列番号：３０または配列番号：３４のアミノ酸残基配列；または１以上のそれらの配列の機能的同等体を有する。このような具体例に関連して、配列番号：９、配列番号：１１、配列番号：１３、配列番号：２５、配列番号：２７、配列番号：２９または配列番号：３３のＤＮＡ配列を含むコーディング領域も好ましい。
５．６  形質転換植物細胞またはトランスジェニック植物細胞
本発明の発現ベクターで形質転換した細菌、酵母細胞、または植物細胞または植物も考えられる。トランスジェニック細菌、酵母細胞、植物細胞または植物（このような形質転換またはトランスジェニック細胞に由来）も考えられる。細菌および酵母細胞を形質転換する手段は当該分野でよく知られている。典型的には、形質転換の手段は、Ｅ．ｃｏｌｉまたはＳ．ｃｅｒｅｖｉｓｉａｅのような他の細菌または酵母を形質転換するのに使用されるよく知られた手段である。
植物細胞のＤＮＡ形質転換の方法はＡｇｒｏｂａｃｔｅｒｉｕｍ−媒介植物形質転換、プロトプラスト形質転換、花粉への遺伝子導入、再生器官への注入、未成熟胚への注入およびパーティクル衝撃を含む。これらの方法の各々は区別される利点および不利を有する。このように、特定の植物株へ遺伝子を導入する１つの特別な方法はもう１つの植物株にとって必ずしも最も効果的ではないであろうが、いずの方法が特定の植物株に対して有用であるかはよく知られている。
このように、ＤＮＡセグメントを細胞に導入する多くの方法があるが、全てがＤＮＡを植物細胞に送達するのに適するのではない。適当な方法は、Ａ．ｔｕｍｅｆａｃｉｅｎｓおよび関連Ａｇｒｏｂａｃｔｅｒｉｕｍによる注入、例えば、プロトプラストのＰＥＧ媒介形質転換（Ｏｍｉｒｕｌｌｅｈら、１９９３）による、解離／阻害媒介ＤＮＡ摂取による、エレクトロポレーションによる、シリコンカーバイド繊維を用いる撹拌による、ＤＮＡ被覆粒子の加速等による、ＤＮＡの直接的送達のような、それによりＤＮＡを導入できる実質的にいずれの方法も含むと考えられる。ある具体例において、加速方法が好ましく、例えば、マイクロプロジェクタイル衝撃等を含む。
ＤＮＡの細胞へ導入する技術は当該分野でよく知られている。遺伝子を細胞に送達する４つの一般的方法が記載されている（１）化学的方法（Ｇｒａｈａｍおよびｖａｎ  ｄｅｒ  Ｅｂ、１９７３）；（２）マイクロインジェクション（Ｃａｐｅｃｃｈｉ、１９８０）、エレクトロポレーション（ＷｏｎｇおよびＮｅｕｍａｎｎ、１９８２；Ｆｒｏｍｍら、１９８５）および遺伝子銃（ＪｏｈｎｓｔｏｎおよびＴａｎｇ、１９９４；Ｆｙｎａｎら、１９９３）；（３）ウイルスベクター（Ｃｌａｐｐ、１９９３；Ｌｕら、１９９３；ＥｇｌｉｔｉｓおよびＡｎｄｅｒｓｏｎ、１９８８ａ；１９８８ｂ）；および（４）受容体−媒介機構（Ｃｕｒｉｅｌら、１９９１；１９９２；Ｗａｇｎｅｒら、１９９２）。
５．６．１  エレクトロポレーション
種々の動物および植物細胞への簡単な高電圧電気パルスの印加は、原形質膜中でのナノメーター−サイズのポアを形成に導く。これらのポアを介して、またはポアの閉鎖を伴う膜成分の再分布の結果としてＤＮＡは細胞の細胞質に直接的に取り込まれる。エレクトロポレーションは極端に効果的であり、クローン遺伝子の一過性発現に、および注目する遺伝子の取り込まれたコピーを担う細胞系の確立に使用することができる。リン酸カルシウム−媒介トランスフェクションおよびプロトプラストとは対照的に、エレクトロポレーションは１つの、またはせいぜい数個の外来性ＤＮＡの取り込まれたコピーを担う細胞系をしばしば生起させる。
エレクトロポレーションによるＤＮＡの導入は当業者によく知られている。この方法では、ペクチン−分解酵素のようなある種の細胞壁−分解酵素を使用して、標的受容体細胞を未処理の細胞よりもエレクトロポレーションによる形質転換に対してより感受性とさせる。別法として、受容体細胞は機械的損傷によって形質転換に対してより感受性とする。エレクトロポレーションによる形質転換を行うには、細胞の懸濁培養、または胚性カルスのような脆い組織を使用することができ、あるいは未成熟胚または他の組織化組織を直接的に形質転換することもできる。選択された細胞をペクチン−分解酵素（ペクトリラーゼ）に暴露することによって、あるいは制御された様式で機械的に損傷させることによって、該細胞の細胞壁が部分的に分解されるであろう。次いで、このような細胞は、この段階で行うことができるエレクトロポレーションによるＤＮＡ導入の受容体となり、次いで、新たに取り込まれたＤＮＡの性質に依存した適当な選択またはスクリーニングプロトコルによって形質転換細胞を同定することができる。
５．６．２  マイクロプロジェクタイル衝撃
形質転換ＤＮＡセグメントを植物細胞に送達するためのさらなる有利な方法はマイクロプロジェクタイル衝撃である。この方法では、粒子を核酸で被覆し、推進力によって細胞に送達する。例示的粒子はタングステン、金、白金等よりなるものである。
マイクロプロジェクタイル衝撃の利点は、それが再現よく安定に単子葉植物を形質転換する効果的な手段であることに加えて、プロトプラスト（Ｃｒｉｓｔｏｕら、１９８８）の単離またはＡｇｒｏｂａｃｔｅｒｉｕｍ感染に関する感受性も必要ではないことである。加速によりトウモロコシへＤＮＡを送達する方法の例示的具体例は、Ｂｉｏｌｉｓｔｉｃｓ  Ｐａｒｔｉｃｌｅ  Ｄｅｌｉｖｅｒｙ  Ｓｙｓｔｅｍであり、これを用いてＤＮＡまたは細胞で被覆された粒子を、ステンレス鋼またはＮｙｔｅｘスクリーンのようなスクリーンを通して、懸濁液中で培養したトウモロコシ細胞を被覆したフィルター表面へと推進させる。該スクリーンは粒子を分散させ、それにより、粒子は大きな凝集にて受容体細胞に送達されない。プロジェクタイル装置および衝撃すべき細胞の間を媒介するスクリーンは、プロジェクタイル凝集のサイズを低下させ、余りにも大きい粒子による受容体細胞が蒙る損傷を減少させることによって高頻度のトランスフォーメーションに寄与することができる。
該衝撃では、懸濁した細胞は好ましくはフィルターまたは固体培養培地上に濃縮させる。別法として、未成熟胚または他の標的細胞を固体培養培地上に配置することもできる。衝撃すべき細胞はマイクロプロジェクタイル停止プレート下方の適当な距離に位置させる。所望ならば、１以上のスクリーンを加速デバイスおよび衝撃すべき細胞の間に位置させる。本明細書に記載した技術の使用を介して、マーカー遺伝子を一時的に発現する細胞の１０００以上までのフォーカスを得ることができる。衝撃から４８時間後に外来性遺伝子産物を発現するフォーカス中の細胞の数は１ないし１０の範囲であり、平均して１ないし３である。
衝撃形質転換において、予備衝撃培養条件および衝撃パラメーターを最適化して、最大数の安定な形質転換体を得ることができる。衝撃についての物理的および生物学的両パラメーターがこの技術で重要である。物理的ファクターは、ＤＮＡ／マイクロプロジェクタイル沈殿を操作することを含むもの、またはマイロ−もしくはマイクロプロジェクタイルいずれかの飛行および速度に影響するものである。生物学的ファクターは、衝撃の前および直後の細胞の操作、衝撃に関係する外傷を軽減するのを助けるための標的細胞の浸透圧調整、および線状化ＤＮＡまたは無傷の超螺旋プラスミドのような形質転換ＤＮＡの性質に関与する全ての工程を含む。予備衝撃操作は未成熟胚の成功した形質転換に対して特に重要であると考えられる。
従って、小規模実験での種々の衝撃パラメーターを調整して条件を十分に最適化することが望まれるであろう。ギャップ距離、飛行距離、組織距離およびヘリウム圧のような物理的パラメーターを調整するのが特に望まれるであろう。また、受容体細胞の生理学的状態に影響し、従って、形質転換および取り込み効率に影響し得る条件を修飾することによって外傷低減ファクター（ＴＲＦ）を最少化することもできる。例えば、浸透圧状態、組織水和および継代段階または受容体細胞の細胞周期を最適形質転換のために調整することができる。他のルーチン的調整の実行は本発明に照らして当業者に公知であろう。
粒子媒介形質転換の方法は当業者によく知られている。米国特許第５，０１５，５８０号（参照により本明細書に組み込む）はこのような技術を用いる大豆の形質転換を記載する。
５．６．３  Ａｇｒｏｂａｃｔｅｒｉｕｍ媒介導入
Ａｇｒｏｂａｃｔｅｒｉｕｍ媒介導入は遺伝子を植物細胞に導入するための広く適用できる系である。何故ならば、ＤＮＡは全細胞組織に導入でき、それによりプロトプラストからの無傷植物の再生の必要性を回避するからである。ＤＮＡを植物細胞に導入するためのＡｇｒｏｂａｃｔｅｒｉｕｍ媒介植物取り込みベクターの使用は当該分野でよく知られている。例えば、記載された方法を参照（Ｆｒａｌｅｙら、１９８５；Ｒｏｇｅｒｓ、１９８７）。Ａｇｒｏｂａｃｔｅｒｉｕｍ−媒介導入を用いる綿植物の遺伝子作成は米国特許第５，００４，８６３号（参照により本明細書に組み込む）に記載されており、他方、レタス植物の形質転換は米国特許第５，３４９，１２４号（参照により本明細書に組み込む）に記載されている。さらに、Ｔｉ−ＤＮＡの取り込みは比較的正確なプロセスであり、その結果、ほとんど転移はない。導入すべきＤＮＡの領域はボーダー配列によって規定され、介入ＤＮＡは通常は記載されているように（Ｓｐｉｅｌｍａｎｎら、１９８６；Ｊｏｒｇｅｎｓｅｎら、１９８７）植物ゲノムに挿入される。
現在のＡｇｒｏｂａｃｔｅｒｉｕｍ形質転換ベクターはＥ．ｃｏｌｉなびにＡｇｒｏｂａｃｔｅｒｉｕｍ中で複製でき、記載されているように（Ｋｌｅｅら、１９８５）便利な操作を可能とする。さらに、Ａｇｒｏｂａｃｔｅｒｉｕｍ媒介遺伝子導入用のベクターの最近の技術的進歩は、種々のポリペプチドコーディング遺伝子を発現できるベクターの構築を容易とするためのベクター中の遺伝子および制限部位の改良された配置を有する。記載された（Ｒｏｇｅｒｓら，１９８７）ベクターは、挿入されたポリペプチドコーディング遺伝子の直接的発現用のプロモーターおよびポリアデニル化部位によってフランクされた便宜な多重リンカー領域を有し、本目的に適する。加えて、アームドおよびジアームド両Ｔｉ遺伝子を含有するＡｇｒｏｂａｃｔｅｒｉｕｍを形質転換に使用することができる。Ａｇｒｏｂａｃｔｅｒｉｕｍ媒介形質転換が有効な植物株において、それは遺伝子導入の容易で規定された性質のため選択された方法である。
葉ディスクならびに子葉および胚軸のような他の組織のＡｇｒｏｂａｃｔｅｒｉｕｍ媒介形質転換は、Ａｇｒｏｂａｃｔｅｒｉｕｍが天然で感染する植物に制限されるようである。Ａｇｒｏｂａｃｔｅｒｉｕｍ媒介形質転換は双子葉植物で最も効果的である。単子葉植物はＡｇｒｏｂａｃｔｅｒｉｕｍについての天然宿主ではほとんどないが、記載されているように（Ｂｙｔｅｂｉｅｒら、１９８７）Ａｇｒｏｂａｃｔｅｒｉｕｍベクターを用いてアスパラガスにてトランスジェニック植物が産生されている。従って、米、トウモロコシ、および小麦のような商業的に重要な穀類は、通常、別の方法を用いて形質転換される。しかしながら、前記したように、Ａｇｒｏｂａｃｔｅｒｉｕｍを用いるアスパラガスの形質転換も達成できる（例えば、Ｂｙｔｅｂｉｅｒら、１９８７参照）。
Ａｇｒｏｂａｃｔｅｒｉｕｍ形質転換方法を用いて形成されたトランスジェニック植物は、典型的には、染色体上の単一の遺伝子を含有する。このようなトランスジェニック植物を付加された遺伝子につきヘテロ接合であるということができる。しかしながら、「ヘテロ接合」という用語の使用は、通常は、染色体の対の第２の染色体の同一遺伝子座における相補的遺伝子の存在を意味し、ここにおけるような１つの付加された遺伝子を含有する植物にはこのような遺伝子はない故に、このような植物に対してより正確な名称は独立分離体である。何故ならば、付加された外因性遺伝子は有糸分裂および減数分裂の間に独立して分離するからである。
より好ましいものは、付加された構造遺伝子につきホモ接合であるトランスジェニック植物、すなわち、２つの付加された遺伝子を含有し、１つの遺伝子は染色体対の各染色体上の同一遺伝子座にあるトランスジェニック植物である。ホモ接合トランスジェニック植物は、付加された単一遺伝子を含有する独立した分離体トランスジェニック植物を性的に接合（セルフィング）させ、産生された種子のうちのいくつかを発芽させ、対照（天然、非トランスジェニック）または独立した分離体トランスジェニック植物に対する増強されたカルボキシラーゼ活性について得られた産生植物を分析することによって得ることができる。
２つの異なるトランスジェニック植物を接合させて、２つの独立して分離する付加された外因性遺伝子を含有する子孫を産生することができるのは理解されるべきである。適当な子孫のセルフィングは、注目するポリペプチドをコードする付加された外因性遺伝子につきホモ接合である植物を産生することができる。親植物への戻し交配および非トランスジェニック植物とのアウト交配も考えられる。
植物プロトプラストの形質転換は、リン酸カルシウム沈殿、ポリエチレングリコール処理、エレクトロポレーション、およびこれらの処理の組合せに基づく方法を用いて達成することができる（例えば、Ｐｏｔｒｙｋｕｓら、１９８５；Ｌｏｒｚら、１９８５；Ｆｒｏｍｍら、１９８５；Ｕｃｈｉｍｉｙａら、１９８６；Ｃａｌｌｉｓら、１９８７；Ｍａｒｃｏｔｔｅら、１９８８）。
これらの系の異なる植物株への適用は、プロトプラストからその特定の植物株を再生する能力に依存する。プロトプラストから穀物を再生する方法は記載されている（例えば、Ｆｕｊｉｍｕｒａら、１９８５；Ｔｏｒｉｙａｍａら、１９８６；Ｙａｍａｄａら、１９８６；Ａｂｄｕｌｌａｈら、１９８６）。
プロトプラストから首尾よく再生できる植物株を形質転換するには、ＤＮＡを無傷細胞または組織に導入する他の方法を利用することができる。例えば、未成熟胚または外植体からの穀物の再生は記載されているように行うことができる（Ｖａｓｉｌ、１９８８）。加えて、「粒子ガン」または高速マイクロプロジェクタイル技術を利用することができる（Ｖａｓｉｌ、１９９２）。
その後者の技術を用い、記載されているように（Ｋｌｅｉｎら、１９８７；Ｋｌｅｉｎら、１９８８；ＭｃＣａｂｅら、１９８８）小金属粒子の表面にてＤＮＡは細胞壁を通して細胞質まで運ばれる。金属粒子は細胞のいくつかの層を貫通し、このように、組織外植体内の形質転換を可能とする。
５．６．４  植物における遺伝子発現
植物コドンの用法は、細菌のような単細胞生物よりもヒトおよび他の高等生物のそれにより密接に似ているという事実により、未修飾細菌遺伝子はしばしばトランスジェニック植物細胞では貧弱に発現される。コドン位置３におけるＧＣ含有量についての見かけの全優先性がＭｕｒｒａｙら（１９９０）によって詳細に記載されている。この文献に記載されている２０７の植物遺伝子は、植物中のアミノ酸についてのコドン優先性の編集を可能とした。これらの著者らは、単子葉植物および双子葉植物におけるコドン用法の差異、ならびに葉緑体をコードする遺伝子および核をコードする遺伝子の間の差異を記載している。提供されたコドン頻度表を利用し、当業者は、ＤＮＡ配列を修飾して第３位置におけるＧまたはＣについてのコドン片寄りを供することによって植物における発現用のこのような細菌配列を作成することができる。
Ｄｉｅｈｎ（１９９６）による文献は、植物における発現を可能とする原核生物−由来遺伝子配列の修飾を詳説する。Ｉａｎｎａｃｏｎｅら（１９９７）は、ｃｒｙ３クラスのエンドトキシンをコードする遺伝工学作成されたＢ．ｔｈｕｒｉｎｇｉｅｎｓｉｓ遺伝子でのナスの形質転換を記載している。ポリアデニル化配列、ＡＴＴＡ配列、およびスプライシング部位を回避する配列を利用し、イン・プランタにてコードされたトキシンの発現を可能とする合成遺伝子を構築した。トランスジェニックタバコにおける、クラゲの緑色蛍光蛋白質の発現がＲｏｕｗｅｎｄａｌら（１９９７）によって記載されている。合成遺伝子を用い、Ｃ＋Ｇについての第３位置コドン片寄りを生じさせて、イン・プランタにての異種遺伝子の発現を可能とした。
ＦｕｔｔｅｒｅｒおよびＨｏｈｎ（１９９６）は、植物における発現に対する、ｍＲＮＡ配列、リーダー配列、ポリシストロニックメッセージ、および内部リボソーム結合部位モチーフの効果を記載している。合成遺伝子の構築によるこのような配列の修飾は、トランスジェニック植物細胞におけるウイルスｍＲＮＡの発現を可能とした。
Ｂ．ｔｈｕｒｉｎｇｉｅｎｓｉｓ結晶蛋白質のような細菌蛋白質を発現するトランスジェニック植物の調製に関し大きな進歩が最近なされているが、植物において天然細菌遺伝子を発現する結果はしばしば失望するものである。微生物遺伝学とは異なり、植物における外来性遺伝子の異種発現に影響するファクターについて初期の植物遺伝学によってはほとんど知られていなかった。しかしながら、最近では、いくつかの可能なファクターが、特定のコーディング配列からの蛋白質発現のレベルにつき程度を変化させることを担うものとして示されている。例えば、科学者は、今や、細胞中で特定のｍＲＮＡの有意なレベルを維持することが、事実、臨界的ファクターであることを知っている。残念ながら、外来性蛋白質をコードするｍＲＮＡの低い定常状態の原因は多い。まず、全長ｍＲＮＡ合成は高頻度では起こらない。これは、例えば、転写の間のＲＮＡの未成熟終始によって引き起こされ、または転写の間の予測されないｍＲＮＡプロセッシングによって引き起こされ得る。第２に、全長ＲＮＡは植物細胞で産生され得るが、次いで、非機能的ｍＲＮＡを生じるように、核中でプロセッシングされる（スプライシング、ポリＡ付加）。もしＲＮＡが適当に合成、終始およびポリアデニル化されなければ、これは翻訳のために細胞質まで移動することはではできない。同様に、細胞質において、もしｍＲＮＡが低下した半減期を有すれば（これは、それらの一次または二次配列によって決定される）、不十分な蛋白質産物が生成される。加えて、その大きさは不確かであるが、ｍＲＮＡ半減期に対する翻訳効率の効果がある。加えて、各ＲＮＡ分子は特定の構造、または恐らくは構造のファミリーに折り畳まれ、これはその配列によって決定される。いずれかのＲＮＡの特定の構造は細胞質におけるより大きなまたはより低い安定性に導き得る。構造はそれ自体が、恐らくは、核中でのｍＲＮＡプロセッシングの決定要素でもあろう。残念ながら、イン・ビトロまたはイン・ビボにおけるいずれのＲＮＡ（ｔＲＮＡを除く）の構造を予測するのは不可能であり、かつそれを決定するのはほとんど不可能である。しかしながら、ＲＮＡの配列を劇的に変化させることは、その折り畳まれた構造に対して大きな効果を有するらしい。構造それ自体または特定の構造特徴はＲＮＡ安定性の決定において役割を果たしているらしい。
外来性遺伝子発現におけるこれらの制限を克服するために、研究者は、ＲＮＡ安定性に対して特異的効果を有する可能性を持つＲＮＡにおいて特定の配列およびシグナルを同定してきた。本発明のある具体例においては、従って、イン・プランタにて開示の核酸セグメントの発現を最適化する要求がある。それを行う１つの特定の方法は、形質転換植物細胞において発現を低下させる配列またはモチーフを除去するための細菌遺伝子の改変による。イン・プランタにての最適発現用のコーディング配列を作成するプロセスは、しばしば、ＤＮＡ配列を「プランティナイズ」するという。
特に問題の配列はＡ＋Ｔリツチのものである。残念ながら、Ｂ．ｔｈｕｒｉｎｇｉｅｎｓｉｓはＡ＋Ｔリッチのゲノムを有するので、天然の結晶蛋白質配列はしばしば植物における最適発現のために修飾されなければならない。モチーフＡＴＴＴＡ（またはＲＮＡで現れるＡＵＵＵＡ）は、哺乳動物細胞ｍＲＮＡにおける脱安定化配列として示されてきた（ＳｈａｗおよびＫａｍｅｎ、１９８６）。多くの短い生きたｍＲＮＡはＡ＋Ｔリッチの３’未翻訳領域を有し、これらの領域は、多数コピーにおいて、またはマルチマー（例えば、ＡＴＴＴＡＴＴＴＡ．．．）として時々は存在するＡＴＴＴＡ配列をしばしば有する。ＳｈａｗおよびＫａｍｅｎは、不安定なｍＲＮＡの３’末端を安定なＲＮＡ（グロビンまたはＶＡ１）に移動させると、安定なＲＮＡの半減期を劇的に低下させたことを示した。彼らは、さらに、ＡＴＴＴＡのペンタマーが安定なメッセージに対する大きな脱安定化効果を有すること、およびこのシグナルが、それが３’末端またはコーディング配列内に位置するかにかわらず、この効果を発揮し得ることを示した。しかしながら、ＡＴＴＴＡ配列および／またはそれらが起こる配列の数も、それらが脱安定化配列として機能するか否かを決定することにおいて重要であるらしい。ＳｈａｗおよびＫａｍｅｎは、ＡＴＴＴＡのトリマーがペンタマーよりもｍＲＮＡ安定性に対してかなり小さい効果を有すること、およびダイマーまたはモノマーは安定性に対して効果を有しない（ＳｈａｗおよびＫａｍｅｎ、１９８７）ことを示した。ペンタマーのようなＡＴＴＴＡのマルチマーは自動的にＡ＋Ｔリッチ領域を生じることに注意されたい。これは、細胞質効果であり、核効果ではないことが示された。他の不安定ｍＲＮＡにおいて、該ＡＴＴＴＡ配列は単一コピーにて存在できるが、それはしばしばＡ＋Ｔリッチ領域に含有される。現在集められている動物データから、少なくともいくつかの意味においてＡＴＴＴＡは不安定において重要であるが、ＡＴＴＴＡのいずれの出現が脱安定化要素であるか、またはこれらの効果のうちいずれが植物で観察されるようなのかを予測するのは未だ可能ではない。
動物細胞におけるｍＲＮＡ分解に対するいくつかの研究も、いくつかの場合にＲＮＡ分解がＡ＋Ｔリッチの領域における核酸分解攻撃で始まり得ることを示している。これらの切断がＡＴＴＴＡ配列で起こるのは明瞭ではない。それらが発現される細胞の型またはそれらが発現される細胞周期内の段階に応じて、異なる安定性を有するｍＲＮＡの例もある。例えば、ヒストンｍＲＮＡはＤＮＡ合成の間は安定であるが、もしＤＮＡ合成が破壊されるなら不安定である。いくつかのヒストンｍＲＮＡの３’末端はこの効果の原因に見える（ＰａｎｄｅｙおよびＭａｒｚｌｕｆｆ、１９８７）。それはＡＴＴＴＡによって媒介されないようであり、このｍＲＮＡの異なる安定性を何が制御するのかは明瞭ではない。もう１つの例はＢ細胞成熟の間のＢリンパ球におけるＩｇＧ  ｍＲＮＡの異なる安定性である（ＧｅｎｏｖｅｓｅおよびＭｉｌｃａｒｅｋ、１９８８）。最後の例は、突然変異体β−タレセミックグロビンｍＲＮＡのその不安定性である。この遺伝子が正常に発現される骨髄細胞では、突然変異体ｍＲＮＡは不安定であり、他方、野生型ｍＲＮＡは安定である。突然変異体遺伝子がＨｅＬａまたはＬ細胞でイン・ビトロにて発現される場合、突然変異体ｍＲＮＡは不安定性を示さない（Ｌｉｍら、１９８８）。これらの例は全て、ｍＲＮＡが細胞型または細胞周期特異的ファクターによって媒介され得る証拠を提供する。さらに、この型の不安定性は未だ特異的配列とは関連付けられていない。これらの不確実性を踏まえると、いずれのＲＮＡが所与の細胞で不安定であるようかを予測するのは可能でない。加えて、ＡＴＴＴＡモチーフでさえ、ＲＮＡが存在する細胞の性質に応じて異なって作用できる。ＳｈａｗおよびＫａｍｅｎ（１９８７）は、プロテインキナーゼＣの活性化がＡＴＴＴＡによって媒介される分解をブロックできることを報告した。
３’末端にポリアデニレートステリングを付加することは、ほとんどの真核生物ｍＲＮＡにとって通常であり、植物および動物に対しても通常である。ポリＡ付加の現在認められている見解は、できたばかりの転写体が成熟３’末端を超えて伸びるということである。この転写体にはポリアデニル化および適当な３’末端形成用のシグナルが含まれる。３’末端におけるこのプロセッシングは、ｍＲＮＡの切断およびポリＡの成熟３’末端への付加を含む。植物および動物ｍＲＮＡ双方におけるポリＡトラクト近くのコンセンサス配列につきサーチすることによって、ポリＡ付加および３’切断に見かけ上関与するコンセンサス配列を同定することが可能であった。同一のコンセンサス配列はこれらのプロセス双方に対して重要に見える。これらのシグナルは、典型的には、配列ＡＡＴＡＡＡに対する変化である。動物細胞においては、機能的であるこの配列のいくつかの変異体が同定されており；植物細胞では、拡大された範囲の機能的配列があるようだ（ＷｉｃｋｅｎｓおよびＳｔｅｐｈｅｎｓｏｎ、１９８４；Ｄｅａｎら、１９８６）。これらのコンセンサス配列の全てがＡＡＴＡＡＡに対する変化であるので、それらは全てＡ＋Ｔリッチ配列である。この配列は、典型的には、成熟ｍＲＮＡにおけるポリＡトラクトの１５ないし２０ｂｐ前に見いだされる。動物細胞における研究は、この配列はポリＡ付加および３’成熟に関与することを示す。この配列における部位特異的突然変異はこれらの機能を破壊できる（ＣｏｎｗａｙおよびＷｉｃｋｅｎｓ、１９８８；Ｗｉｃｋｅｎｓら、１９８７）。しかしながら、推定ポリＡシグナルの５０ないし１００ｂｐまで３’側の配列も必要である、通常のＡＡＴＡＡＡを有するが、置換されているか下流が破壊されている遺伝子は適当にはポリアデニル化されてないことが観察されている（ＧｉｌおよびＰｒｏｕｄｆｏｏｔ、１９８４；ＳａｄｏｆｓｋｙおよびＡｌｗｉｎｅ、１９８４；ＭｃＤｅｖｉｔｔら、１９８４）。すなわち、該ポリＡシグナル自体は完全で適当なプロセッシングに対して十分ではない。何れの特異的下流配列がポリＡシグナルに加えて必要であるか、あるいはこの機能を有する特異的配列があるのかは未だ知られていない。従って、配列分析は可能なポリＡシグナルを同定できるに過ぎない。
正常にポリアデニル化される天然に生じるｍＲＮＡにおいて、ｍＲＮＡ中のポリＡシグナルまたは他の配列を改変することによるこのプロセスの破壊が観察されており、かなりの効果が機能的ｍＲＮＡのレベルで得ることができる。これはいくつかの天然に生じるｍＲＮＡで観察されており、結果はこれまでは遺伝子特異的であるということである。
天然ｍＲＮＡでは、適当なポリアデニル化はｍＲＮＡの蓄積で重要であること、およびこのプロセスの破壊はかなりｍＲＮＡレベルに影響することが示されている。しかしながら、正常遺伝子における変化の効果を予測するには不十分な知識しか存在しない。異種遺伝子においては、結果を予測するにはかなり困難である。しかしながら、同定された推定部位が機能不全であることは可能である。すなわち、これらの部位は適当なポリＡ部位として作用せず、しかし代わりに不安定なｍＲＮＡを生起する異常部位として機能する。
動物細胞系において、ＡＡＴＡＡＡはこれまでポリＡの上流のｍＲＮＡで同定された最も共通するシグナルであるが、少なくとも４つの変異体も見いだされている（ＷｉｃｋｅｎｓおよびＳｔｅｐｈｅｎｓｏｎ、１９８４）。植物においては、それほど多くの分析は行われていないが、ＡＡＴＡＡＡと同様の複数配列を使用することができる。主要または少量と呼ばれる表４中の植物部位は、植物遺伝子の３つの型のみを分析したＤｅａｎら（１９８６）の研究のみを指している。主要または少量としてのポリアデニル化部位の命名は、分析された天然に生じる遺伝子における機能的部位としてのそれらの出現の頻度のみを指している。植物の場合には、これは非常に限定されたデータベースである。主要または少量と命名された部位は、多かれ少なかれ、本発明の結晶蛋白質をコードするもののような異種遺伝子で見いだされる場合に、部分的にまたは完全に機能するようであることを一定の確実性を持って予測するのは困難である。
0004389075.tif 000007
本発明は、従来植物形質転換で通常に使用された野生型遺伝子よりもかなり高いレベルでそれらの蛋白質産物を発現する合成植物遺伝子を調製する方法を提供する。もう１つの局面において、本発明は非植物蛋白質をコードする新規植物遺伝子も提供する。
前記したように、植物における天然Ｂ．ｔｈｕｒｉｎｇｉｅｎｓｉｓ遺伝子の発現はしばしば問題がある。Ｂ．ｔｈｕｒｉｎｇｉｅｎｓｉｓ遺伝子のコーディング配列の性質は、それらを植物遺伝子ならびに植物で発現された多くの他の異種遺伝子から区別する。特に、Ｂ．ｔｈｕｒｉｎｇｉｅｎｓｉｓ遺伝子はアデニン（Ａ）およびチミン（Ｔ）が非常に豊富であり（〜６２％）、他方、植物遺伝子および植物で発現されてきたほとんどの他の細菌遺伝子は４５−５５％のＡ＋Ｔの程度である。
遺伝暗号の縮重およびいずれかのアミノ酸についてのコドン選択の限定された数のため、いくつかのＢａｃｉｌｌｕｓ種の構造コーディング配列の「過剰」Ａ＋Ｔのほとんどはコドンの第３位置で見いだされる。すなわち、いくつかのＢａｃｉｌｌｕｓ種の遺伝子は多くのコドンにおいて第３ヌクレオチドとしてＡまたはＴを有する。このように、Ａ＋Ｔ含有量は、部分的には、コドン用法の片寄りを決定する。加えて、遺伝子はそれがその中で進化する生物における最大機能のために進化することは明瞭である。これは、アミノ酸の特定のストレッチにつきコードすることを除いて役割を有しない、１つの生物からの遺伝子で見いだされた特定のヌクレオチド配列は、もう１つの生物における（転写プロモーターまたはターミネーター、ポリＡ付加部位、イントロンスプライス部位、または特異的ｍＲＮＡ分解シグナルのような）遺伝子制御要素として認識され得る能力を有することを意味する。このような読み違えられたシグナルは異種遺伝子発現のより共通の特徴ではないことは恐らくは驚くべきことであるが、これは、部分的には、多くの生物の比較的均一なＡ＋Ｔ含有量（〜５０％）によって説明することができる。このＡ＋Ｔ含有量プラス遺伝子暗号の性質は、いずれの特定のオリゴヌクレオチド配列の出現の確率に対しても明らかに拘束する。このように、５０％のＡ＋Ｔ含有量を持つＥ．ｃｏｌｉからの遺伝子は、Ｂ．ｔｈｕｒｉｎｇｉｅｎｓｉｓからの遺伝子よりもいずれかの特定のＡ＋Ｔリッチセグメントを含有することはなさそうである。
典型的には、植物においてδ−エンドトキシン遺伝子の高レベル発現を得るには、δ−エンドトキシンをコードする存在する構造コーディング配列（「構造遺伝子」）を、構造遺伝子を含むＤＮＡの部位特異的突然変異誘発によるＡＴＴＴＡ配列および推定ポリアデニル化シグナルの除去によって修飾される。実質的に全てのポリアデニル化シグナルおよびＡＴＴＴＡ配列が除去されるのが最も好ましいが、増強された発現レベルは前記同定の配列いずれかの部分的除去のみで観察される。別法として、もし主題蛋白質の発現につきコードする合成遺伝子が調製されれば、ＡＴＴＴＡ配列および推定ポリアデニル化シグナルを回避するようにコドンが選択される。本発明の目的では、推定ポリアデニル化シグナルは、必ずしも限定されるものではないが、ＡＡＴＡＡＡ、ＡＡＴＡＡＴ、ＡＡＣＣＡＡ、ＡＴＡＴＡＡ、ＡＡＴＣＡＡ、ＡＴＡＣＴＡ、ＡＴＡＡＡＡ、ＡＴＧＡＡＡ、ＡＡＧＣＡＴ、ＡＴＴＡＴＡ、ＡＴＡＣＡＴ、ＡＡＡＡＴＡ、ＡＴＴＡＡＡ、ＡＡＴＴＡＡ、ＡＡＴＡＣＡおよびＣＡＴＡＡＡを含む。該ＡＴＴＴＡ配列およびポリアデニル化シグナルを置き換えるにおいて、植物ゲノムで希にしか見いだされないコドンを回避するコドンが好ましくは利用される。
選択されたＤＮＡをスキャンして、４を超える連続するアデニン（Ａ）またはチミン（Ｔ）ヌクレオチドを持つ領域を同定する。該Ａ＋Ｔ領域は可能な植物ポリアデニル化シグナルにつきスキャンする。５以上の連続するＡまたはＴヌクレオチドの不存在はほとんどの植物ポリアデニル化シグナルを排除するが、もし１を超える少量ポリアデニル化シグナルが相互の１０のヌクレオチド内で同定されれば、この領域のヌクレオチド配列は、好ましくは、元来のコードされたアミノ酸配列を維持しつつこれらのシグナルを除去するように改変される。
第２の工程は、工程１で同定されたＡ＋Ｔリッチ領域の周囲の約１５ないし３０等のヌクレオチド残基を考慮することである。もし周囲領域のＡ＋Ｔ含有量が８０％未満であると、該領域はポリアデニル化シグナルにつき調査すべきである。ポリアデニル化シグナルに基づく領域の改変は、（１）存在するポリアデニル化シグナルの数および（２）主要植物ポリアデニル化シグナルの存在に依存する。
拡大された領域を植物ポリアデニル化シグナルの存在につき調べる。ポリアデニル化シグナルはＤＮＡ配列の部位特異的突然変異誘発によって除去される。拡大された領域はやはり突然変異誘発によって除去されるＡＴＴＴＡ配列の多数コピーについても調べる。
また、多くの連続するＡ＋Ｔ塩基またはＧ＋Ｃ塩基を含む領域は破壊するのが好ましい。というのは、これらの領域は自己相補性のためヘアピン構造を形成するための高い確率を有すると予測されるからである。従って、異種塩基対の挿入はいくつかの生物において転写および／または翻訳を阻害することが知られている自己相補的二次構造の確率を低下させるであろう。ほとんどの場合、悪影響は、５を超える連続したＡ＋ＴまたはＧ＋Ｃを含有しない配列を用いることによって最少化することができる。
５．７  昆虫−耐性トランスジェニック植物の生産
このように、注目するポリペプチド（すなわち、１以上の昆虫種に対して殺虫活性を有する細菌結晶蛋白質またはポリペプチド）につきコードする遺伝子の量は、粒子衝撃方法（Ｍａｄｄｏｃｋら、１９９１）を用いて植物を形質転換することによってトウモロコシのような植物において増加させることができる。例として、Ｂ．ｔｈｕｒｉｎｇｉｅｎｓｉｓ結晶蛋白質についてのコーディング領域および適当な選択マーカーを含む発現ベクターを、粒子ガンを用いて胚性トウモロコシの懸濁液に形質転換して、マイクロプロジェクタイル上に被覆されたＤＮＡを送達する。開示した殺虫性結晶蛋白質を発現する形質転換された胚性カルスからトランスジェニック植物を再生させる。粒子衝撃は小麦を形質転換するのに成功して使用されてきた（Ｖａｓｉｌら、１９９２）。
また、ＤＮＡは記載されているように（Ｚｈｏｕら、１９８３；Ｈｅｓｓ、１９８７；Ｌｕｏら、１９８８）花粉への直接的ＤＮＡ導入によって植物に導入することもできる。ポリペプチドコーディング遺伝子の発現は、記載されているように（Ｐｅｎａら、１９８７）植物の再生器官へのＤＮＡの注入によって得ることができる。また、ＤＮＡは未成熟胚の細胞へ直接的に注射することもでき、乾燥した胚の再水和は記載されている（Ｎｅｕｈａｕｓら、１９８７；Ｂｅｎｂｒｏｏｋら、１９８６）。
単一の植物プロトプラストまたは種々の外植体いずれかからの植物の発生または再生は当該分野でよく知られている（ＷｅｉｓｓｂａｃｈおよびＷｅｉｓｓｂａｃｈ、１９８８）。この再生および増殖プロセスは、典型的には、形質転換細胞の選択、根が出たプラントレット段階を通じて胚の発生の通常の段階を介して個別化された細胞を培養する工程を含む。トランスジェニック胚および種子は同様に再生される。得られたトランスジェニック根の出たシュートをしかる後に土壌のような適当な植物生長培地中に植える。
葉外植体からのＡｇｒｏｂａｃｔｅｒｉｕｍによって産生された注目するポリペプチドをコードする外来性の外因性遺伝子を含有する植物の発生および再生は、記載されているような（Ｈｏｒｓｃｈら、１９８５）当該分野でよく知られている方法によって達成することができる。この手法では、形質転換体を、記載されているように（Ｆｒａｌｅｙら、１９８３）形質転換すべき植物株のシュートの再生を誘導する培地中、選択剤の存在下で培養する。特に、米国特許第５，３４９，１２４号（参照により本明細書に組み込む）は遺伝子的に形質転換したある種のレタス細胞およびこのような植物に対する鱗翅目幼虫に対する殺虫活性を付与するハイブリッド結晶蛋白質を発現するそれから得られた植物を詳説する。
この手法は、典型的には、２ない４ヶ月内のシュートを産生し、それらのシュートを、次いで、選択剤および細菌増殖を防止する抗生物質を含有する適当な発根−誘導培地に移す。プラントレットを形成するための選択剤の存在下で発根したシュートを、次いで、土壌または他の培地に植えて根の発生を可能とした。これらの手法は、使用する特定の植物株に応じて変化し、このような変化は当該分野でよく知られている。
好ましくは、再生された植物を自家受粉させて、前記したホモ接合トランスジェニック植物を得る。そうでなければ、再生した植物から得た花粉を耕種学的に重要な種子−成長植物、好ましくは近親交配系に交配させる。逆に、それらの重要な系の植物からの花粉を用いて、再生植物を受粉させる。所望のポリペプチドを含有する本発明のトランスジェニック植物を、当業者によく知られた方法を用いて培養する。
このように、本発明のトランスジェニック植物は、ここに開示する１以上のキメラＣｒｙポリペプチドをコードする増大した量のゴーディング領域（例えば、ｃｒｙ遺伝子）を有する。好ましいトランスジェニック植物は独立した分離体であり、その遺伝子およびその活性をその子孫に伝える。より好ましいトランスジェニック植物はその遺伝子からのホモ接合であり、その遺伝子を全てのその子孫に性的接合により伝える。トランスジェニック植物からの種子はフィールドまたは温室で成長させることができ、得られた成熟トランスジェニック植物は自家受粉させて、真の育種植物が創製される。これらの植物からの子孫は真の育種系となり、これは例えば、一定範囲の環境条件下で、好ましくはフィールドにて、甲虫昆虫に対する増大した殺虫能力につき評価される。本発明者らは、本発明は、トランスジェニックトウモロコシ、大豆、綿、タバコ、トマト、ジャガイモ、亜麻、ライ麦、大麦、カノラ、小麦、オート麦、米、他の穀物、野菜、果実、果実樹木、ベリー、芝生草、観葉植物、低木および樹木のあるものにおいて特別の利用性を見いだすであろうと考える。
５．８  リボザイム
リボザイムは特定のｍＲＮＡ種を切断する酵素的ＲＮＡ分子である。ある具体例では、本発明者らは、本発明のＲＮＡセグメントを切断できるリボザイムの選択および利用、ならびに特定の細胞型または組織における標的ｍＲＮＡの活性を低下させるそれらの使用を考える。
６つの基本的な種々の天然に生じる酵素ＲＮＡが現在知られている。各々は生理学的条件下でイン・トランスにてＲＮＡホスホジエステル結合の加水分解を触媒することができ（このように、他のＲＮＡ分子を切断することができる）。一般に、酵素的核酸はまず標的ＲＮＡに結合することによって作用する。このような結合は、標的ＲＮＡを切断するように作用する分子の酵素部分に直ぐ隣接して保持された酵素的核酸の標的結合部分を介して起こる。このように、酵素的核酸は、まず、相補的塩基対合を介して標的ＲＮＡを認識し、それに結合し、いったん正しい部位に結合すれば、酵素的に作用して標的ＲＮＡを切断する。このような標的ＲＮＡの戦略的切断はコードされた蛋白質の合成を指令するその能力を破壊する。酵素的核酸がそのＲＮＡ標的に結合しそれを切断した後、それをＲＮＡから放出させてもう１つの標的をサーチし、新しい標的に反復して結合し切断する。
リボザイムの酵素的性質は、アンチセンス技術（ここに、核酸分子を単純に核酸標的に結合させて、その翻訳をブロックする）のような多くの技術よりも有利である。というのは、治療処置に影響するのに必要なリボザイムの濃度はアンチセンスオリゴヌクレオチドのそれよりも低いからである。この利点は酵素的に作用するためのリボザイムの能力を反映する。このように、単一のリボザイム核酸は標的ＲＮＡの多くの分子を切断することができる。加えて、リボザイムは高度に特異的な阻害剤であり、阻害の特異性は標的ＲＮＡに結合する塩基対合機構にのみ依存するだけでなく、標的ＲＮＡ切断の機構にも依存する。切断の部位近くの単一のミスマッチ、または塩基置換は、完全に、リボザイムの触媒活性を排除する。アンチセンスヌクレオチドにおける同様のミスマッチはそれらの作用を妨げない（Ｗｏｏｌｆら、１９９２）。このように、リボザイムの作用の特異性は同一ＲＮＡ部位に結合するアンチセンスオリゴヌクレオチドのそれよも大である。
酵素的核酸分子はハンマーヘッド、ヘアピン、肝炎δウイルス、グループＩイントロンまたはＲＮａｓｅＰ  ＲＮＡ（ＲＮＡガイド配列と組み合わせる）またはＮｅｕｒｏｓｐｏｒａ  ＶＳ  ＲＮＡモチーフに形成することができる。ハンマーヘッドモチーフの例はＲｏｓｓｉら（１９９２）に記載され；ヘアピンモチーフの例はＨａｍｐｅｌら（欧州特許ＥＰ０３６０２５７）、ＨａｍｐｅｌおよびＴｒｉｔｚ（１９８９）、Ｈａｍｐｅｌら（１９９０）およびＣｅｃｈら（米国特許第５，６３１，３５９号）に記載されており；ヘアピンδウイルスモチーフの例はＰｅｒｒｏｔｔａおよびＢｅｅｎ（１９９２）によって記載されており；ＲＮａｓｅｐモチーフの例はＧｕｅｒｒｉｅｒ−ＴａＮａｄａら（１９８３）によって記載されており；Ｎｅｕｒｏｓｐｏｒａ  ＶＳ  ＲＮＡリボザイムモチーフはＣｏｌｌｉｎｓ（ＳａｖｉｌｌｅおよびＣｏｌｌｉｎｓ、１９９０；ＳａｖｉｌｌｅおよびＣｏｌｌｉｎｓ、１９９１；ＣｏｌｌｉｎｓおよびＯｌｉｖｅ、１９９３）によって記載されており：グループＩイントロンの例はＣｅｃｈら（米国特許第４，９８７，０７１号）によって記載されている。本発明の酵素的核酸分子で重要なことの全ては、それが１以上の標的遺伝子ＲＮＡ領域に相補的な特異的基質結合部位を有すること、およびそれがＲＮＡ切断活性を分子に付与するその基質結合部位内またはそれを囲う核酸配列を有することである。このように、リボザイム構築体はここに言及する特異的モチーフに必ずしも限定されない。
本発明は、所望の標的のＲＮＡに対する高度の特異性を呈する酵素切断剤のクラスを産生する方法を提供する。該酵素的核酸分子は、好ましくは、病気または疾患の特異的処置が１またはいくつかの酵素的核酸にて提供されるように、標的ｍＲＮＡの高度に保存的配列に標的化される。このような酵素的核酸分子は要すれば特異的細胞に外因的に送達される。別法として、リボザイムは特異的細胞に送達されるＤＮＡまたはＲＮＡベクターから発現させることができる。
（例えば、ハンマーヘッドまたはヘアピン構造の）小さな酵素的核酸モチーフを外因的送達に使用することができる。これらの分子の単純な構造は、ｍＲＮＡ構造の標的化領域に侵入する酵素的核酸の能力を増加させる。別法として、触媒ＲＮＡ分子は真核生物からの細胞内で発現させることができる（例えば、Ｓｃａｎｌｏｎら、１９９１；Ｋａｓｈａｎｉ−Ｓａｂｅｔら、１９９２；Ｄｒｏｐｕｌｉｃら、１９９２；Ｗｅｃｒａｓｉｎｇｈｅら、１９９１；Ｏｊｗａｎｇら、１９９２；Ｃｈｅｎら、１９９２；Ｓａｒｖｅｒら、１９９０）。当業者ならば、いずれのリボザイムも適当なＤＮＡベクターから真核生物細胞で発現させることができるのを認識できる。このようなリボザイムの活性は二次リボザイムにより一次転写体からのそれらの放出によって増加させることができる（Ｄｒａｐｅｒら、Ｉｎｔ．Ｐａｔ．Ａｐｐｌ．Ｐｕｂｌ．Ｎｏ．ＷＯ９３／２３５６９、およびＳｕｌｌｉｖａｎら、Ｉｎｔ．Ｐａｔ．Ａｐｐｌ．Ｐｕｂｌ．Ｎｏ．ＷＯ  ９４／０２５９５、ともに参照により本明細書に組み込む；Ｏｈｋａｗａら、１９９２；Ｔａｉｒａら、１９９１；Ｖｅｎｔｕｒａら、１９９３）。
リボザイムは直接的に付加させることができ、あるいはカチオン性脂質、脂質複合体とで複合体し、リポソーム内に詰め、あるいは標的細胞に送達することができる。ＲＮＡまたはＲＮＡ複合体は、それらを生体高分子に取り入れてまたは取り入れることなく、注射、アエロゾル吸入、注入ポンプまたはステントを介してエクス・ビボまたはイン・ビボで関連組織に局所投与することができる。
リボザイムはＤｒａｐｅｒら（Ｉｎｔ．Ｐａｔ．Ａｐｐｌ．Ｐｕｂｌ．Ｎｏ．ＷＯ９３／２３５６９）、またはＳｕｌｌｉｖａｎら（Ｉｎｔ．Ｐａｔ．Ａｐｐｌ．Ｐｕｂｌ．Ｎｏ．ＷＯ  ９４／０２５９５）に記載されているように設計し、記載されているように合成してイン・ビトロまたはイン・ビボにてテストすることができる。このようなリボザイムは送達につき最適化することもできる。特異的例を提供するが、当業者ならば他の種における同等ＲＮＡ標的が要すれば利用できることを認識するであろう。
ハンマーヘッドまたはヘアピンリボザイムはコンピューター折り畳み（Ｊａｅｇｅｒら、１９８９）によって個々に分析して、リボザイム配列が適当な二次構造に折り畳まれるか否かを評価することができる。結合アームおよび触媒コアの間の不都合な分子内相互作用を持つリボザイムは考慮から排除される。変化する結合アーム長さを選択して活性を最適化することができる。一般に、各アーム上の少なくとも５塩基が標的ＲＮＡに結合しまたはそれと相互作用することができる。
ハンマーヘッドまたはヘアピンモチーフのリボザイムは、ｍＲＮＡメッセージ中の種々の部位にアニールするように設計することができ、化学的に合成できる。使用する合成方法はＵｓｍａｎら（１９８７）およびＳｃａｒｉｎｇｅら（１９９０）に記載された正常ＲＮＡ合成手法に従い、５’末端におけるジメトキシトリチルおよび３’末端におけるホスホルアミダイトのような通常の核酸保護およびカップリング剤を使用する。平均的段階的カップリング収率は典型的には＞９８％である。ヘアピンリボザイムは２部分にて合成することができ、アニールして活性リボザイムを再構築することができる（ＣｈｏｗｒｉｒａおよびＢｕｒｋｅ、１９９２）。リボザイムは、ヌクレアーゼ耐性基、例えば、２’−アミノ、２’−Ｃ−アリル、２’−フルオロ、２’−ｏ−メチル、２’−Ｈでの修飾によって広く修飾した安定性を増強することができる（レビューについては、ＵｓｍａｎおよびＣｏｄｅｒｇｒｅｎ、１９９２参照）。リボザイムは一般的方法を用いるゲル電気泳動によって、あるいは高圧液体クロマトグラフィーによって精製し、水に再懸濁することができる。
リボザイム活性は、リボザイム結合アームの長さを変化させることによって、あるいは血清リボヌクレアーゼによるそれらの分解を防止する修飾（例えば、Ｉｎｔ．Ｐａｔ．Ａｐｐｌ．Ｐｕｂｌ．Ｎｏ．ＷＯ９２／０７０６５；Ｐｅｒｒａｕｌｔら、１９９０；Ｐｉｅｋｅｎら、１９９１；ＵｓｍａｎおよびＣｅｄｅｒｇｒｅｎ、１９９２；Ｉｎｔ．Ｐａｔ．Ａｐｐｌ．Ｐｕｂｌ．Ｎｏ．ＷＯ９３／１５１８７；Ｉｎｔ．Ｐａｔ．Ａｐｐｌ．Ｐｕｂｌ．Ｎｏ．ＷＯ９１／０３１６２；米国特許第５，３３４，７１１号；およびＩｎｔ．Ｐａｔ．Ａｐｐｌ．Ｐｕｂｌ．Ｎｏ．ＷＯ９４／１３６８８参照。これらは、酵素的ＲＮＡ分子の糖部位に行うことができる種々の化学的修飾を記載する）、細胞中でのそれらの効率を増強する修飾、およびＲＮＡ合成時間を短くし、化学的要件を減少させるためのステムＩＩの除去を施したリボザイムを化学的に合成することによって最適化することができる。
Ｓｕｌｌｉｖａｎら（Ｉｎｔ．Ｐａｔ．Ａｐｐｌ．Ｐｕｂｌ．Ｎｏ．ＷＯ９４／０２５９５）は酵素的ＲＮＡ分子の送達のための一般的方法を記載する。リボザイムは限定されるものではないがリポソーム中へのカプセル化、イオントフォレシス、またはヒドロゲル、シクロデキストリン、生分解性ナノカプセル、および生物接着性ミクロスフィアのような他のビヒクルへの配合を含めた、当業者に公知の種々の方法によって細胞に投与することができる。いくつかの適応症では、前記したビヒクルの有り無しにて、リボザイムをエクス・ビボにて細胞または組織に直接的に送達することができる。別法として、ＲＮＡ／ビヒクル組合せは直接的吸入によって、直接的注射によって、またはカテーテル、注入ポンプまたはステントの使用によって局所的に送達することができる。他の送達経路は限定されるものではないが静脈内、筋肉内、皮下またはジョイント注射、アエロゾル吸入、経口（錠剤または丸剤形態）、局所、全身、眼内、腹腔内および／またはクモ膜下腔送達を含む。リボザイム送達および投与のより詳細な記載は、参照により本明細書に組み込むＳｕｌｌｉｖａｎら（Ｉｎｔ．Ｐａｔ．Ａｐｐｌ．Ｐｕｂｌ．Ｎｏ．ＷＯ９４／０２５９５）およびＤｒａｐｅｒら（Ｉｎｔ．Ｐａｔ．Ａｐｐｌ．Ｐｕｂｌ．Ｎｏ．ＷＯ９３／２３５６９）に供されている。
細胞内に高濃度のリボザイムを蓄積させるもう１つの手段は、ＤＮＡ発現ベクターにリボザイム−コーディング配列を取り込むことである。リボザイム酵素の転写は真核生物ＲＮＡポリメラーゼＩ（ＰｏｌＩ）、ＲＮＡポリメラーゼＩＩ（ｐｏｌＩＩ）またはＲＮＡポリメラーゼＩＩＩ（ｐｏｌＩＩＩ）用のプロモーターによって駆動される。ｐｏｌＩＩまたはｐｏｌＩＩＩプロモーターからの転写体は全ての細胞中で高レベルで発現され；所与の細胞型中の所与のｐｏｌＩＩプロモーターのレベルは近くに存在する遺伝子調節配列（エンハンサー、サイレンサー等）の性質に依存するであろう。原核生物ＲＮＡポリメラーゼプロモーターも使用することができ、但し、原核生物ＲＮＡポリメラーゼ酵素は適当な細胞中で発現される（Ｅｌｒｏｙ−ＳｔｅｉｎおよびＭｏｓｓ、１９９０；ＧａｏおよびＨｕａｎｇ、１９９３；Ｌｉｅｂｅｒら、１９９３；Ｚｈｏｕら、１９９０）。このようなプロモーターから発現されたリボザイムは哺乳動物細胞中で機能することができる（例えば、Ｋａｓｈａｎｉ−Ｓａｂｅｒら、１９９２；Ｏｊｗａｎｇら、１９９２；Ｃｈｅｎら、１９９２；Ｙｕら、１９９３；Ｌ’Ｈｕｉｌｉｉｅｒら、１９９２；Ｌｉｓｚｉｅｗｉｃｚら、１９９３）。このような転写ユニットは、哺乳動物細胞への導入のために、限定されるものではないがプラスミドＤＮＡベクター、（アデノウイルスまたはアデノ−会合ベクターのような）ウイルスＤＮＡベクター、または（レトロウイルス、セムリキフォレストウイルス、シンドビウイルスベクターのような）ウイルスＲＮＡベクターを含めた種々のベクターに取り込むことができる。
本発明のリボザイムは、細胞系または細胞型内の遺伝ドリフトおよび突然変異を調べるための診断ツールとして使用することができる。それらは標的ＲＮＡ分子のレベルを評価するのにも使用することができる。リボザイム活性および標的ＲＮＡの間の密接な関係は、標的ＲＮＡの塩基対合および三次元構造を改変する分子のいずれかの領域において突然変異を検出するのを可能とする。本発明で記載した複数リボザイムを使用することによって、ＲＮＡ構造に重要であり、イン・ビトロに、ならびに細胞または組織で機能するヌクレオチド変化をマップすることができる。リボザイムでの標的ＲＮＡの切断を用いて、特定の細胞または細胞型において、遺伝子発現を阻害し、（実質的に）特定の遺伝子産物の役割を規定することができる。
５．９  相同遺伝子および遺伝子断片の単離
本発明による遺伝子およびδ−エンドトキシンはここに開示した全長配列のみならず、ここに具体的に例示した配列の特徴的殺虫活性を保持するそれらの配列の断片、または融合蛋白質を含む。
当業者には、殺虫性δ−エンドトキシンはいくかの手段を介して同定し得ることができることは明らかなはずである。特異的遺伝子、またはその一部は培養物寄託機関から得ることができるか、あるいは、例えば、遺伝子マシーンの使用によって、合成により構築することができる。これらの遺伝子の変異体は点突然変異を作成するための標準的技術を用いて容易に構築することができる。また、これらの遺伝子の断片は、標準的手法に従い商業的に入手できるエンドヌクレアーゼまたはエンドヌクレアーゼ類を用いて作成することができる。例えば、Ｂａｌ３１または部位特異的突然変異誘発のような酵素を用いてこれらの遺伝子の末端からヌクレオチドを系統的に切り離すことができる。また、活性な断片につきコードする遺伝子は、種々の他の制限酵素を用いて得ることができる。プロテアーゼを用いて、これらのδ−エンドトキシンの活性断片を直接的に得ることができる。
また、これらの同等δ−エンドトキシンをコードする同等δ−エンドトキシンおよび／または遺伝子を、ここに提供した教示を用いてＢａｃｉｌｌｕｓ株および／またはＤＮＡライブラリーから単離することもできる。例えば、ここに開示し特許請求するδ−エンドトキシンに対する抗体を用いて、蛋白質の混合物から他のδ−エンドトキシンを同定し単離することができる。具体的には、最も一定であって、他のＢ．ｔｈｕｒｉｎｇｉｅｎｓｉｓ  δ−エンドトキシンから最も区別されるδ−エンドトキシンの一部にたいして抗体を生起させることができる。次いで、これらの抗体を用いて、免疫沈降、酵素結合免疫検定法（ＥＬＩＳＡ）またはウェスタンブロッティングによって特徴的殺虫活性を持つ同等δ−エンドトキシンを特異的に同定することができる。
本発明のδ−エンドトキシンおよび遺伝子を同定するさらなる方法はオリゴヌクレオチドプローブの使用を介するものである。これらのプローブは検出可能な標識を有するヌクレオチド配列である。当該分野でよく知られているように、もしプローブ分子および核酸試料が２つの分子の間の強力な結合を形成することによってハイブリダイズするならば、該プローブおよび試料は実質的に同一であると合理的に推定される。該プローブの検出可能な標識は、ハイブリダイゼーションが起こったか否かを公知の方法で測定する手段を提供する。このようなプローブ分析は本発明の殺アリ性δ−エンドトキシンを同定する迅速な方法を提供する。
本発明に従ってプローブとして使用されるヌクレオチドセグメントは、標準的な手法を用いてＤＮＡシンセサイザーの使用によって合成することができる。プローブとしてのヌクレオチドセグメントの使用において、特定のプローブを、放射性および非放射性標識を含めた当業者に公知のいずれかの適当な標識で標識する。典型的な放射性標識は32Ｐ、125Ｉ、35Ｓ等を含む。放射性同位体で標識したプローブは、ＤＮａｓｅおよびＤＮＡポリメラーゼを用い、通常のニックトランスレーション反応によってＤＮＡ試料に対して相補的なヌクレオチド配列から構築することができる。次いで、プローブおよび試料をハイブリダイゼーション緩衝溶液中で合わせ、アリーリングが起こるまで適当な温度で維持する。しかる後、膜を外来性物質がなくなるように洗浄し、試料を遊離させ、典型的にはオートラジオグラフィーおよび／または液体シンチレーションカウンティングによって結合したプローブ分子を検出し定量する。
非放射性標識は、例えば、ビオチンまたはチロキシンのようなリガンド、ならびにヒドロラーゼまたはペルオキシダーゼのような酵素、あるいはルシフェリン、またはフルオレセインおよびその誘導体のような蛍光性化合物を含む。該プローブは、例えば、前記した末端で放射性同位体をおよび他の末端でビオチン標識を用いることによって、分離の容易性のために異なるタイプの標識で両末端にて標識することもできる。
デュプレックス形成および安定性は、ハイブリッドの２つの鎖の間の実質的相補性に依存し、前記したように、ある程度のミスマッチは許容できる。従って、本発明のプローブは、記載した配列の突然変異（単一および複数の双方）、欠失、挿入、およびその組合せを含み、ここに該突然変異、挿入および欠失は注目する標識ポリヌクレオチドとの安定なハイブリッドの形成を可能とする。突然変異、挿入および欠失は、当業者に現在知られている方法によって、および恐らくは将来知られることになる他の方法によって、多くの方法で所与のポリヌクレオチド配列にて生産することができる。挙げたプローブにおける可能な変形は、部分的には、遺伝暗号の縮重によるものである。遺伝暗号の縮重、すなわち１を超えるコーディングヌクレオチドのため、トリプレット（コドン）を蛋白質を作成すたるめの使用するアミノ酸のほとんどのために使用できる。従って、異なるヌクレオチド配列が特定のアミノ酸につきコードできる。このように、Ｂ．ｔｈｕｒｉｎｇｉｅｎｓｉｓδ−エンドトキシンのアミノ酸配列は、蛋白質またはペプチドの同一アミノ酸配列をコードする同等ヌクレオチド配列によって調製することができる。従って、本発明はこのような同等ヌクレオチド配列を含む。また、逆および相補的配列は本発明の局面であって、当業者ならば容易に使用することができる。加えて、同定された構造および機能の蛋白質は、もしこのような変化が蛋白質の二次構造を改変しないならば（ＫａｉｓｅｒおよびＫｅｚｄｙ、１９８４）アミノ酸配列を変化することによって構築することができる。このように、本発明は、蛋白質の二次構造を改変しない、ここに記載するアミノ酸配列の突然変異体を含み、もし該構造が改変されるならば、生物学的活性は実質的に保持される。さらに、本発明は、本発明のδ−エンドトキシンをコードする遺伝子の全てまたは一部を入れた生物の突然変異体を含む。このような突然変異体は当業者によく知られた技術によって作成することができる。例えば、ＵＶ照射を用いて、宿主生物の突然変異体を調製することができる。同様に、このような突然変異体は、当該分野でよく知られた手法によってやはり調製することができる胞子無形成宿主細胞を含み得る。
６．０  実施例
以下の実施例は本発明の好ましい具体例を説明するために含める。以下の実施例に開示した技術は、本発明の実施においてよく機能させるために発明者によって発見された技術を表し、このように、その実施のために好ましい局面を構成すると考えることができるのは当業者によって認識されるべきである。しかしながら、当業者ならば、本開示に徴すれば、開示した特別の具体例で多くの変化をさせることができ、依然として本発明の精神および範囲を逸脱することなく同様または類似の結果を得ることができることを認識するであろう。
６．１  実施例１−ハイブリッドＢ．ｔｈｕｒｉｎｇｉｅｎｓｉｓδ−エンドトキシンの構築
本発明で使用されるＢ．ｔｈｕｒｉｎｇｉｅｎｓｉｓシャトルベクターｐＥＧ８５３、ｐＥＧ８５４およびｐＥＧ８５７は記載されている（Ｂａｕｍら、１９９０）。ｐＥＧ８５７はＳｐｈＩ−ＢａｍＨＩ  ＤＮＡ断片としてｐＥＧ８５３にクローン化されたＣｒｙ１Ａｃ遺伝子を含有する。ｐＥＧ１０６４は、Ｃｒｙ１Ａｃ遺伝子内のＫｐｎＩ部位が保存され、ｐＥＧ８５７の複数クローニング部位（ＭＣＳ）中のＫｐｎＩが排除されるように構築した。これは、順次、１つのＫｐｎＩ部位のみが切断されるようにｐＥＧ８５７ＤＮＡを限定されたＫｐｎＩ消化に付し、ＤＮＡポリメラーゼＩのクレノウ断片によってＫｐｎＩの５’突出を満たして平滑ＤＮＡ末端を作成し、Ｔ４ＤＮＡリガーゼによってＤＮＡの平滑末端を連結することによって達成された。ｐＥＧ３１８はＸｈｏＩ−ＳａｌＩ  ＤＮＡ断片としてｐＥＧ８５４のＸｈｏＩ部位にクローン化されたＣｒｙ１Ｆ遺伝子（Ｃｈａｍｂｅｒｓら、１９９１）を含有する。ｐＥＧ３１５はＳａｌＩ−ＢａｍＨＩ  ＤＮＡ断片としてｐＥＧ８５４のＸｈｏＩ−ＢａｍＨＩ部位にクローン化された株ＥＧ６３４６（Ｃｈａｍｂｅｒｓら、１９９１）からのＣｒｙ１Ｃ遺伝子を含有する。
図１は、各々、ｐＥＧ８５４／ｐＥＧ１０６４、ｐＥＧ２０、ｐＥＧ３１５、およびｐＥＧ３１８上に含有された完全なＣｒｙ１Ａｃ、Ｃｒｙ１Ａｂ、Ｃｒｙ１Ｃ、およびＣｒｙ１Ｆ遺伝子をコードするＤＮＡの模式的表示を示す。あるハイブリッド遺伝子を構築するのに使用したユニークな制限部位も示す。図１Ｂは本発明に関係するハイブリッド遺伝子の模式的表示である。いくつかの場合において、突然変異誘発性オリゴヌクレオチドプライマーにての標準的ＰＣＲTM増幅を用いて、適当な制限部位をハイブリッド遺伝子構築で使用するＤＮＡ断片に取り込む。あるハイブリッド遺伝子構築は制限断片サブクローニングによって達成できなかった。それらの場合、ＰＣＲTM重複延長（ＰＯＥ）を用いて、所望のハイブリッド遺伝子を構築した（Ｈｏｒｔｏｎら、１９８９）。以下のオリゴヌクレオチドプライマー（Ｉｎｔｅｇｒａｔｅｄ  ＤＮＡ  Ｔｅｃｈｎｏｌｏｇｉｅｓ  Ｉｎｃ．，Ｃｏｒａｌｖｉｌｌｅ、ＩＡから購入）を用いた。
0004389075.tif 000008
本発明に関連するハイブリッドδ−エンドトキシン遺伝子を含有する図１Ｂに記載したプラスミドを以下に記載する。プラスミドＤＮＡ、ＰＣＲTM増幅、またはＰＯＥによって生じたＤＮＡ断片の単離または精製はアガロース−ＴＡＥゲル電気泳動および製造業者の推奨によるＧｅｎｅｃｌｅａｎキット（Ｂｉｏ１０１）の使用をいう。ｐＥＧ１０６５はプライマー対ＡおよびＢならびにＤＮＡ鋳型としてｐＥＧ３１８を用いてＣｒｙ１Ｆ  ＤＮＡのＰＣＲTM増幅によってｐＥＧ１０６５を構築した。得られたＰＣＲTM産物を単離し、ＡｓｕＩＩおよびＫｐｎＩで切断し、これを用いてｐＥＧ８５７中の対応するＡｓｕＩＩ−ＫｐｎＩ  ＤＮＡ断片を置き換えた。プラスミドｐＥＧ１０６７は、ＰＯＥならびにＤＮＡ断片である各々、ｐＥＧ３１８およびｐＥＧ８５７から単離されたＣｒｙ１ＦのＳａｌＩ−ＫｐｎＩおよびＣｒｙ１ＡｃのＡｓｕＩＩ−ＣｌａＩを用いて構築した。得られたＰＯＥ産物をプライマー対ＡおよびＢにてＰＣＲTM増幅し、ＡｓｕＩＩおよびＫｐｎＩで切断し、これを用いてｐＥＧ８５７中の対応するＡｓｕＩＩ−ＫｐｎＩ断片を置き換えた。
ｐＥＧ１０６８は、Ｃｒｙ１Ｆ（ｐＥＧ３１８）から単離された対応するＳａｃＩ−ＫｐｎＩ  ＤＮＡ断片でｐＥＧ８５７から単離されたＣｒｙ１ＡｃのＳａｃＩ−ＫｐｎＩ  ＤＮＡ断片を置き換えることによって構築した。ｐＥＧ１０７０は、Ｃｒｙ１Ａｃ（ｐＥＧ８５７）から単離した対応するＳａｃＩ−ＫｐｎＩ  ＤＮＡ断片でｐＥＧ１０６５から単離されたＳａｃＩ−ＫｐｎＩ  ＤＮＡ断片を置き換えることによって構築した。ｐＥＧ１０７２は、Ｃｒｙ１Ａｃ（ｐＥＧ８５７）から単離された対応するＳａｃＩ−ＫｏｎＩ  ＤＮＡ断片でｐＥＧ１０６７から単離されたＳａｃＩ−ＫｐｎＩ  ＤＮＡ断片を置き換えることによって構築した。ｐＥＧ１０７４、ｐＥＧ１０７６、およびｐＥＧ１０７７は、プライマー対ＣおよびＤを用い、ｐＥＧ１０６５、ｐＥＧ１０６７、ｐＥＧ１０６８からのＰＣＲTM増幅したＳｐｈＩ−ＸｈｏＩ  ＤＮＡ断片でｐＥＧ１０６４からのＳｐｈＩ−ＸｈｏＩ  ＤＮＡ断片を置き換えることによって構築した。ｐＥＧ１０８９は、プライマー対ＤおよびＥならびに鋳型ｐＥＧ３１８を用いて生成されたＣｒｙ１Ｆの単離されたＳｐｈＩおよびＳａｃＩ切断ＰＣＲTM産物でｐＥＧ１０６４のＳｐｈＩ−ＳａｃＩ  ＤＮＡ断片を置き換えることによって構築した。
ｐＥＧ１０９１は、プライマー対ＤおよびＨならびに鋳型ｐＥＧ３１５を用いて生成されたＣｒｙ１Ｃの単離されＳｐｈＩおよびＳａｃＩ切断ＰＣＲTM産物でｐＥＧ１０６４のＳｐｈＩ−ＳａｃＩ  ＤＮＡ断片を置き換えることによって構築した。
ｐＥＧ１０８８は、プライマー対ＢおよびＦを用いて生成したＣｒｙ１Ａｃ  ＤＮＡ断片およびプライマー対ＡおよびＧを用いて生成したＣｒｙ１Ｃ  ＤＮＡ断片を用いるＰＯＥによって構築した。該ＳａｃＩ−ＫｐｎＩ断片は得られたＰＯＥ産物から単離し、これを用いてｐＥＧ１０６４中の対応するＳａｃＩ−ＫｐｎＩ断片を置き換えた。
ｐＥＧ３６５は、まずｐＥＧ２０から単離された対応するＣｒｙ１Ａｂ  ＤＮＡ断片でｐＥＧ１０６５からのＳｐｈＩ−ＫｐｎＩ  ＤＮＡ断片を置き換えて、ｐＥＧ３６４を得ることによって構築した。次いで、ｐＥＧ３６４からのＳａｃＩ−ＫｐｎＩ  ＤＮＡ断片をｐＥＧ３１８から単離したＣｒｙ１Ｆ  ＤＮＡ断片で置き換えた。
ｐＥＧ１０９２は、ｐＥＧ３１５から単離した対応するＤＮＡ断片でｐＥＧ１０８８からのＫｐｎＩ−ＢａｍＨＩ  ＤＮＡ断片を置き換えることによって構築した。ｐＥＧ１０９２はＩｎｔｌ．Ｐａｔ．Ａｐｐｌ．Ｐｕｂｌ．Ｎｏ．Ｗｏ９５／０６７３０に開示されたＣｒｙ１Ａｂ／Ｃｒｙ１Ｃハイブリッドδ−エンドトキシン遺伝子から区別される。ｐＥＧ１０９３はｐＥＧ２０から単離された対応するＳｐｈＩ−ＡｓｕＩＩＤＮＡ断片でｐＥＧ１０６８からＳｐｈＩ−ＡｓｕＩＩＤＮＡ断片を置き換えることによって構築した。
ｐＥＧ３７８は、鋳型としてｐＥＧ８５７を用い、プライマー対ＢおよびＩを用いて生成したＣｒｙ１Ａｃ  ＤＮＡ断片および鋳型としてｐＥＧ３１８を用い、プライマー対ＡおよびＪを用いて生成したＣｒｙ１Ｆ  ＤＮＡ断片を用いるＰＯＥによって構築した。得られたＰＯＥ産物をＡｓｕＩＩおよびＫｐｎＩで切断し、得られた単離ＤＮＡ断片を用いて、ｐＥＧ１０６４中の対応するＡｓｕＩＩ−ＫｐｎＩ  ＤＮＡ断片を置き換えた。
ｐＥｇ３８１は、プライマー対ＣおよびＫを用いるｐＥＧ３７８のＰＣＲTM増幅から単離された対応するＡｓｕＩＩ−ＸｈｏＩ  ＤＮＡ断片でｐＥｇ１０６４中のＡｓｕＩＩ−ＸｈｏＩ  ＤＮＡ断片を置き換えることによって構築した。
６．２  実施例２−Ｂ．ｔｈｕｒｉｎｇｉｅｎｓｉｓにおけるハイブリッドトキシンの産生
実施例１に記載したハイブリッドトキシンをコードするプラスミドを、記載されているように（ＭｅｔｔｕｓおよびＭａｃａｌｕｓｏ、１９９０）Ｂ．ｔｈｕｒｉｎｇｉｅｎｓｉｓに形質転換した。得られたＢ．ｔｈｕｒｉｎｇｉｅｎｓｉｓ株を、培養が十分に胞子形成されるまでＣ−２培地５０ｍｌ中で増殖させ、溶解させた（ほぼ４８時間）。結晶形成はＢ．ｔｈｕｒｉｎｇｉｅｎｓｉｓ中のδ−エンドトキシンの効果的な商業的生産に必要であるので、顕微鏡分析を用いて、胞子形成された培養中の結晶を同定した（表５）。
0004389075.tif 000009
表５で特定されるＢ．ｔｈｕｒｉｎｇｉｅｎｓｉｓのいくつか用のδ−エンドトキシン生産は、Ｂａｕｍら、１９９０によって記載されていてようにドデシル硫酸ナトリウム−ポリアクリルアミドゲル電気泳動（ＳＤＳ−ＰＡＧＥ）によって調べた。各Ｂ．ｔｈｕｒｉｎｇｉｅｎｓｉｓ株の同等容量培養を十分胞子形成されるまでＣ−２培地中で増殖させ、溶解させた。該培養を遠心し、胞子／結晶ペレットを等容量の蒸留した脱イオン水で２回洗浄した。最終ペレットを０．００５％  トリトンＸ−１００（登録商標）の半分の培養容量に懸濁させた。等容量の各洗浄培養を図２に示したようにＳＤＳ−ＰＡＧＥによって分析した。
ＣｒｙＡｃおよびＣｒｙ１Ｆを含むハイブリッドの大部分はＢ．ｔｈｕｒｉｎｇｉｅｎｓｉｓ中で安定な結晶を形成した。注目すべき例外は、活性トキシン断片がＥＧ１１０６３の相互交換であろうＥＧ１１０８８である。Ｃｒｙ１ＡｃおよびＣｒｙ１Ｃを含む３つのハイブリッドのうちの２つ、ＥＧ１１０８７およびＥＧ１１０９０は、これらの相互ハイブリッドは結晶形成性ＥＧ１１０６３およびＥＧ１１０７４の活性化トキシン断片を模倣したのに拘わらず、Ｂ．ｔｈｕｒｉｎｇｉｅｎｓｉｓ中で結晶を生成しなかった。
ＳＤＳ−ＰＡＧＥによって調べた各株はあるレベルのδ−エンドトキシンを産生した。しかしながら、予測されるように、結晶陰性として同定されるそれらの培養はほとんど蛋白質を産生しなかった（例えば、レーンｃ：ＥＧ１１０６５、レーンｆ：ＥＧ１１０６７、レーンｊ：ＥＧ１１０８８、およびレーンｋ：ＥＧ１１０９０）。例えば、結晶形成性δ−エンドトキシンからの典型的な収率はＣｒｙ１Ａｃにつき示す（レーンａ）。ＥＧ１１０６０（レーンｂ）、ＥＧ１１０６２（レーンｃ）、ＥＧ１１０６３（レーンｄ：配列番号：１０）、およびＥＧ１１０７４（レーンｉ：配列番号：１２）を含めたいくつかのハイブリッドδ−エンドトキシンは匹敵するレベルの蛋白質を産生する。データは、Ｂ．ｔｈｕｒｉｎｇｉｅｎｓｉｓにおける効果的なハイブリッドδ−エンドトキシン産生が予測不可能であり、ハイブリッドを構築するのに使用した親δ−エンドトキシンに依存して変化することを明瞭に示す。
６．３  実施例３−ハイブリッドδ−エンドトキシンの蛋白質分解プロセッシング
安定な活性トキシンに対するδ−エンドトキシンのプロトキシン形態の蛋白質分解性分解は、一旦δ−エンドトキシン結晶が幼虫の中腸で可溶化されると起きる。δ−エンドトキシンの可能な活性の１つの尺度は蛋白質分解環境における活性δ−エンドトキシンの安定性である。ハイブリッドδ−エンドトキシンの蛋白質分解感度をテストするために、可溶化されたトキシンをトリプシン消化に付した。該δ−エンドトキシンは、記載されているように（Ｃｈａｍｂｅｒｓ、１９９１）胞子形成したＢ．ｔｈｕｒｉｎｇｉｅｎｓｉｓ培養から精製し、定量した。正確に２５０μｇの各ハイブリッドμ−エンドトキシン結晶を３０ｍＭ  ＮａＨＣＯ3、１０ｍＭ  ＤＴＴ（合計容量０．５ｍｌ）に可溶化させた。トリプシンを１：１０の比率で可溶化トキシンに添加した。適当な時点で、５０μｌのアリコートを５０μのＬａｅｍｍｌｉ緩衝液に取り出し、１００℃まで３分間で加熱し、引き続いての分析のためにドライアイスエタノール浴中で凍結した。可溶化トキシンのトリプシン消化物はＳＤＳ−ＰＡＧＥによって分析し、各時点における活性δ−エンドトキシンの量をデンシトメーターによって定量した。これらの実験からの結果のグラフ表示を図３に示す。
野生型Ｃｒｙ１Ａｃを迅速にプロセッシングして活性δ−エンドトキシンとし、これは実験の間は安定である。ＥＧ１１０６３およびＥＧ１１０７４からのハイブリッドδ−エンドトキシンもプロセッシングして活性δ−エンドトキシン断片とし、これは実験の間は安定である。ＥＧ１１０６３δ−エンドトキシンのプロセッシングは遅い速度で起こり、高パーセントのこの活性δ−エンドトキシン断片は各時点でそのままである。ＥＧ１１０６０およびＥＧ１１０６２からのハイブリッドδ−エンドトキシンをプロセッシングして活性δ−エンドトキシンとし、これらの断片はさらなる切断に対してより感受性であって、実験の間に種々の速度で分解する。ＥＧ１１０６２およびＥＧ１１０６３についてのＣｒｙ１ＡｃおよびＣｒｙ１Ｆの間の５’交換点の結果、２１アミノ酸残基のみが異なるトキシンが得られる（図１参照）。しかしながら、これらの位置でＣｒｙ１Ａｃ配列を維持する重要性は、ＥＧ１１０６２δ−エンドトキシンのより迅速な分解によって明らかである。これらのデータは、同一の親δ−エンドトキシンを用いて構築した異なるハイブリッドδ−エンドトキシンは蛋白質分解安定性のような生化学的特徴がかなり変化し得ることを示す。
６．４  実施例４−−ハイブリッドδ−エンドトキシンの生物活性
所望のδ−エンドトキシンを発現するＢ．ｔｈｕｒｉｎｇｉｅｎｓｉｓ培養を、実施例２に記載したように十分に胞子形成するまで増殖させ、溶解し、洗浄した。各培養についてのδ−エンドトキシンレベルは記載されているように（Ｂａｕｍら、１９９０）ＳＤＳ−ＰＡＧＥによって定量した。バイオアッセイスクリーンの場合において、各洗浄された単一の適当な濃度のδ−エンドトキシン培養を、ウェル当たり１．０ｍｌの人工ダイエットを含有する３２ウェルに局所適用した（１７５ｍｍ2の表面積）。単一の新生幼虫を各処理したウェルに入れ、トレイを清澄な開口したマイラーシートによって被覆した。幼虫の死亡率を供給の７日後にスコア取りし、パーセント死亡率は処理した幼虫の合計数３２に対する死亡した幼虫の数の比率として表した。
ＬＣ50決定の場合おいて（δ−エンドトキシンは５−％死亡率を与える）、δ−エンドトキシンをＢ．ｔｈｕｒｉｎｇｉｅｎｓｉｓ培養から精製し、Ｃｈａｍｂｅｒｓら（１９９１）によって記載されているように定量した。８つの濃度のδ−エンドトキシンを０．００５％トリトンＸ−１００（登録商標）中の系列希釈によって調製し、各濃度のものを１．０ｍｌの人工ダイエットを含有するウェルに局所適用した。幼虫の死亡率を供給の７日後にスコア取りした（各δ−エンドトキシン濃度について３２の幼虫）。全ての場合において、希釈剤は対照として機能した。
バイオアッセイスクリーンによるＣｒｙ１Ａ／Ｃｒｙ１Ｆハイブリッドトキシンの比較は表６に示す。株ＥＧ１１０６３およびＥＧ１１０７４からのハイブリッドδ−エンドトキシンは親Ｃｒｙ１ＡｃおよびＣｒｙ１Ｆ  δ−エンドトキシンの活性を維持する。さらに、ＥＧ１１７３５からのハイブリッドδ−エンドトキシンは親Ｃｒｙ１ＡｂおよびＣｒｙ１Ｆ  δ−エンドトキシンの活性を維持する。株ＥＧ１１０６１、ＥＧ１１０６２、ＥＧ１１０７１およびＥＧ１１０７３によって産生されたδ−エンドトキシンは１）示された幼虫に対して活性である少なくとも１つの親δ−エンドトキシンよりなり、２）Ｂ．ｔｈｕｒｉｎｇｉｅｎｓｉｓにおいて安定でよく規定された結晶を形成するにも拘わらず、テストした昆虫幼虫に対して殺虫活性を有しない。これらの結果はハイブリッドトキシン構築の予測できない性質を示す。
表６中のデータについて。全ての株は洗浄した胞子形成した培養としてテストした。テストした各昆虫については、等量のδ−エンドトキシンを用い、殺虫活性は最高パーセントの死亡率（＋＋＋＋）を示す株に基づくものであった。
0004389075.tif 000010
図１に記載されたδ−エンドトキシンは、バイオアッセイスクリーンにおける殺虫活性がそれらのＬＣ50を測定するために精製された結晶としてテストされたことを示す（表７参照）。株ＥＧ１１０６３、ＥＧ１１０７４、ＥＧ１１０９１、およびＲＧ１１７３５から精製されたδ−エンドトキシンは、全て、テストしたいずれもの野生型δ−エンドトキシンの比較した増大したアワヨトウ（Ｓ．ｆｒｕｇｉｐｅｒｄａおよびＳ．ｅｘｉｇｕａ）活性を示す。ＥＧ１１０６３およびＥＧ１１０７４δ−エンドトキシンは同一の活性トキシン断片（図１Ｂ）を生じ、これは調べた昆虫に対するそれらの同様のＬＣ50値によって明らかである。これらのデータからの予測されない結果は、ＥＧ１１０６３、ＥＧ１１０９２、ＥＧ１１０７４、ＥＧ１１７３５、またはＥＧ１１７５１のようなハイブリッドδ−エンドトキシンがそれらの各親δ−エンドトキシンの活性を保持し、Ｓ．ｅｘｉｇｕａのようなある昆虫に対して、いずれの親δ−エンドトキシンよりもかなり良好な活性を有し得るということである。トキシン産生の野生型レベルと共に（実施例２）、親δ−エンドトキシンと接近したまたはより低い用量におけるこの広い範囲の殺虫活性は、これらの蛋白質をＢ．ｔｈｕｒｉｎｇｉｅｎｓｉｓにおける産生に特に適したものとする。ＥＧ１１０９１由来のδ−エンドトキシンはその親δ−エンドトキシンよりもＳ．ｆｒｕｇｉｐｅｒｄａおよびＳ．ｅｘｉｇｕａに対して良好な活性を有するが、それはそのＣｒｙ１Ａｃ親に帰せられるＨ．ｖｉｒｅｓｃｅｎｓおよびＨ．ｚｅａ活性を喪失した。ＥＧ１１０９１δ−エンドトキシンで観察された低いトキシン収率と共にこの制限された宿主範囲（実施例２）は、それをＢ．ｔｈｕｒｉｎｇｉｅｎｓｉｓにおける産生に適用できないものとする。
0004389075.tif 000011
表７において、ＬＣ50値はウェル（１７５ｍｍ2）当たりの精製されたδ−エンドトキシンのナノグラムで表し、２ないし６連の複合値である。ｎｄ＝測定せず。
0004389075.tif 000012
表８は本発明に関連するハイブリッドδ−エンドトキシンについての５’および３’交換点を囲むＤＮＡを記載する。配列番号によって明らかであるように、あるハイブリッドδ−エンドトキシンは交換部位を有する。
ハイブリッドエンドトキシン構築に選択された交換部位における他の小さな変化の効果を調べるために、Ｓ．ｅｘｉｇｕａおよびＨ．ｚｅａに対するＥＧ１１７５１およびＥＧ１１０６３の活性を比較した（表９）。データは、ハイブリッドδ−エンドトキシン改良は、２つの親δ−エンドトキシンの間の交換部位を改変することによって行うことができることを示す。この例において、ＥＧ１１７５１δ−エンドトキシンにおける交換部位はＥｇ１１０６３δ−エンドトキシンと比較して７５塩基対だけ３’側に動かし、その結果改良された殺虫活性がもたらされる。Ｓ．ｅｘｉｇｕａ活性における有意な改良はＥＧ１１０６３およびＥＧ１１７５１の間で観察されなかったが、約４倍のＨ．ｚｅａ活性における有意な改良がＥＧ１１７５１で観察される。交換部位を改変することによるハイブリッドδ−エンドトキシン生物活性における改良は予測できないことに注意するのは重要である。ＥＧ１１０６２の場合においては、ＥＧ１１０６３交換部位を６３塩基対５’側に移動させると、表８に示すように殺虫活性が無くなる。
0004389075.tif 000013
ハイブリッドδ−エンドトキシンについての交換部位のおける変化の効果を調べるために、ｐＥＧ３８１によってコードされたハイブリッドδ−エンドトキシンをｐＥＧ３７８およびｐＥＧ１０６８によってコードされたものと比較した。この例においては、ｐＥＧ３８１がコードするハイブリッドδ−エンドトキシンについての３’交換部位を、ｐＥＧ３７８ハイブリッドδ−エンドトキシンと比較して３４０塩基対５’だけ移動させた。表９におけるデータは、この変化の結果、ｐＥＧ１０６８がコードするδ−エンドトキシンよりもｐＥＧ３７８がコードするδ−エンドトキシンにつき観察された増大された活性を維持しつつ、ｐＥＧ３７８およびｐＥＧ１０６６と比較してＳ．ｆｒｕｇｉｐｅｒｄａ活性の増加がもたらされることを示す（表８参照）。この結果は予測されないものである。というのは、ｐＥＧ３７８およびｐＥＧ３８１からのコードされたδ−エンドトキシンの蛋白質分解から得られる活性化トキシンは同一であるべきだからである。この例はさらにδ−エンドトキシンのプロトキシン断片内の交換部位が殺虫活性に対してかなりの効果を有し得ることを示す。
0004389075.tif 000014
６．５  実施例５−さらなる害虫に対するハイブリッドトキシンの活性
また、南西部トウモロコシ穿刺虫（ｓｏｕｔｈｅｒｎｗｅｓｔｅｒｎ  ｃｏｒｎ  ｂｏｒｅｒ）および大豆に対して活性な２つの害虫を含めたさらなる害虫に対して本発明のトキシンをアッセイした。トキシン蛋白質を可溶化させ、ダイエットに添加し、標的害虫に対してバイオアッセイした。ハイブリッドトキシンは３つの害虫の非常に効果的な防除を示した。
0004389075.tif 000015
0004389075.tif 000016
６．６  実施例６−新規結晶蛋白質のアミノ酸配列
６．６．１  ＥＧ１１０６３結晶蛋白質のアミノ酸配列（配列番号：１０）
0004389075.tif 000017
0004389075.tif 000018
６．６．２  ＥＧ１１０７４結晶蛋白質のアミノ酸配列（配列番号：１２）
0004389075.tif 000019
0004389075.tif 000020
６．６．３  ＥＧ１１７３５結晶蛋白質のアミノ酸配列（配列番号：１４）
0004389075.tif 000021
0004389075.tif 000022
６．６．４  ＥＧ１１０９２結晶蛋白質のアミノ酸配列（配列番号：２６）
0004389075.tif 000023
0004389075.tif 000024
0004389075.tif 000025
６．６．５  ＥＧ１１７５１結晶蛋白質のアミノ酸配列（配列番号：２８）
0004389075.tif 000026
0004389075.tif 000027
６．６．６  ＥＧ１１０９１結晶蛋白質のアミノ酸配列（配列番号：３０）
0004389075.tif 000028
0004389075.tif 000029
６．６．７  ＥＧ１１７６８結晶蛋白質のアミノ酸配列（配列番号：３４）
0004389075.tif 000030
0004389075.tif 000031
６．７  実施例７−−新規結晶蛋白質をコードするＤＮＡ配列
６．７．１  ＥＧ１１０６３結晶蛋白質をコードするＤＮＡ配列（配列番号：９）
0004389075.tif 000032
0004389075.tif 000033
0004389075.tif 000034
６．７．２  ＥＧ１１０７４結晶蛋白質をコードするＤＮＡ配列（配列番号：１１）
0004389075.tif 000035
0004389075.tif 000036
0004389075.tif 000037
６．７．３  ＥＧ１１７３５結晶蛋白質をコードするＤＮＡ配列（配列番号：１３）
0004389075.tif 000038
0004389075.tif 000039
0004389075.tif 000040
６．７．４  ＥＧ１１０９２結晶蛋白質をコードするＤＮＡ配列（配列番号：２５）
0004389075.tif 000041
0004389075.tif 000042
0004389075.tif 000043
６．７．５  ＥＧ１１７５１結晶蛋白質をコードするＤＮＡ配列（配列番号：２７）
0004389075.tif 000044
0004389075.tif 000045
0004389075.tif 000046
６．７．６  ＥＧ１１０９１結晶蛋白質をコードするＤＮＡ配列（配列番号：２９）
0004389075.tif 000047
0004389075.tif 000048
0004389075.tif 000049
６．７．７  ＥＧ１１７６８結晶蛋白質をコードするＤＮＡ配列（配列番号：３３）
0004389075.tif 000050
0004389075.tif 000051
0004389075.tif 000052
６．８  実施例８−−ＣＲＹ*変異体に対して耐性のトランスジェニック植物の単離
６．８．１  植物遺伝子構築
二本鎖ＤＮＡ形態で存在する植物遺伝子の発現はＲＮＡポリメラーゼ酵素によるＤＮＡの１つの鎖からのメッセンジャーＲＮＡ（ｍＲＮＡ）の転写、および核内部のｍＲＮＡ一次転写体の引き続いてのプロセッシングを含む。このプロセッシングはポリアデニレートヌクレオチドをＲＮＡの３’末端に付加する３’非翻訳領域を含む。ＤＮＡのｍＲＮＡへの転写は通常「プロモーター」というＤＮＡの領域によって調節される。該プロモーター領域は、ＲＮＡポリメラーゼに信号を出して、該ＤＮＡと会合させ、鋳型としてＤＮＡ鎖の１つを用いてｍＲＮＡの転写を開始させてＲＮＡの対応する鎖を得る塩基の配列を含有する。
植物細胞で活性な多数のプロモーターが文献に記載されている。このようなプロモーターは植物または植物ウイルスから得ることができ、限定されるものではないが、ノパリンシンターゼ（ＮＯＳ）およびオクトピンシンターゼ（ＯＣＳ）プロモーター（これは、Ａｇｒｏｂａｃｔｅｒｉｕｍ  ｔｕｍｅｆａｃｉｅｎｓの腫瘍−誘導プラスミドに運ばれている）、カリフラワーモザイクウイルス（ＣａＭＶ）１９Ｓおよび３５Ｓプロモーター、リブロース１，５−ビスリン酸カルボキシラーゼの小サブユニットからの光誘導性プロモーター（ｓｓＲＵＢＩＳＣＯ、非常に豊富な植物ポリペプチド）、およびヒナノウスツボモザイクウイルス（ＦＭＶ）３５Ｓプロモーターを含む。これらのプロモーターの全ては、植物で発現されてきた種々のタイプのＤＮＡ構築体を創製するのに使用されてきた（例えば、参照により本明細書に組み込む米国特許第５，４６３，１７５号参照）。
選択された特定のプロモーターは酵素コーディング配列の十分な発現を引き起こして、その結果、有効量の蛋白質の産生がもたらされるべきである。１組の好ましいプロモーターはほとんどの植物器官で高レベルの発現を生むＣａＭＶ３５ＳおよびＦＭＶ３５Ｓプロモーターのような構成的プロモーターである（参照により本明細書に組み込む米国特許第５，３７８，６１９号）。もう１つの組の好ましいプロモーターはＣａＭＶ由来の４−ａｓ−１プロモーターまたは小麦ＰＯＸ１プロモーターのような根増強されたまたは特異的プロモーターである（参照により本明細書に組み込む米国特許第５，０２３，１７９号；Ｈｅｒｔｉｇら、１９９１）。根増強されたまたは特異的プロモーターはトランスジェニックトウモロコシ植物におけるトウモロコシ根食い虫（Ｄｉａｂｒｏｔｉｃｕｓ  ｓｐｐ．）の防除に特に好ましいであろう。
本発明のＤＮＡ構築体（すなわち、キメラ植物遺伝子）で用いるプロモーターは、所望ならば、修飾してそれらの防除特性に影響し得る。例えば、ＣａＭＶ３５Ｓプロモーターは、光の不存在下でｓｓＲＵＢＩＳＣＯの発現を抑制するｓｓＲＵＢＩＳＣＯ遺伝子の一部に連結させて、根ではなく葉で活性なプロモーターを創製することができる。得られたキメラプロモーターは本明細書で記載するように使用することができる。本記載の目的では、「ＣａＭＶ３５Ｓ」プロモーターなるフレーズは、このように、ＣａＭＶ３５Ｓプロモーターの変形、例えば、オペレーター領域との連結、ランダムもしくは制御された突然変異誘発によって駆動されるプロモーターを含む。さらに、該プロモーターを改変させて、複数の「エンハンサー配列」を含有させ、遺伝子発現を上昇させるのを助けることができる。
また、本発明のＤＮＡ構築体によって産生されたＲＮＡは５’非翻訳リーダー配列を含有する。この配列は選択されたプロモーターから誘導されて、該遺伝子を発現させることができ、ｍＲＮＡの翻訳を増加させるように特異的に修飾することができる。該５’非翻訳領域はウイルスＲＮＡから、適当な真核生物遺伝子から、または合成遺伝子配列から得ることができる。本発明は、非翻訳領域がプロモーター配列を伴う５’非翻訳配列に由来する構築体に限定されるものではない。
トウモロコシのような単子葉植物における最適化発現では、イントロンもＤＮＡ発現構築体に含めるべきである。このイントロンは、典型的には、非翻訳配列におけるｍＲＮＡの５’末端近くに位置させる。このイントロンは限定されるものではないがトウモロコシｈｓｐ７０イントロン（参照により本明細書に組み込む米国特許第５，４２４，４１２号）または米Ａｃｔｌイントロン（ＭｃＥｌｏｒｙら、１９９０）よりなるイントロンの組から得ることができよう。後記に示すように、トウモロコシｈｓｐ７０イントロンは本発明で有用である。
前記したように、本発明のキメラ植物遺伝子の３’非翻訳領域は植物中で機能してアデニレートヌクレオチドのＲＮＡの３’末端への付加を引き起こすポリアデニル化シグナルを含有する。好ましい３’領域の例は（１）ノパリンシンターゼ（ＮＯＳ）遺伝子のようなＡｇｒｏｂａｃｔｅｒｉｕｍ腫瘍−誘導（Ｔｉ）プラスミド遺伝子のポリアデニル化シグナルを含有する３’の転写された非翻訳領域および（２）エンドウｓｓＲＵＢＩＳＣＯ  Ｅ９遺伝子（Ｆｉｓｃｈｈｏｆｆら、１９８７）のような植物遺伝子である。
６．８．２  植物形質転換および発現
本発明の構造コーディング配列を含有するキメラトランスジーンは、前記にて詳説したもののようないずれかの適当な方法によって植物のゲノムに挿入することができる。適当な植物形質転換ベクターはＡｇｒｏｂａｃｔｅｒｉｕｍ  ｔｕｍｅｆａｃｉｅｎｓのＴｉプラスミドに由来するもの、ならびに例えばＨｅｒｒｅｒａ−Ｅｓｔｒｅｌｌａ（１９８３）、Ｂｅｖａｎ（１９８３）、Ｋｌｅｅ（１９８５）および欧州特許出願公開番号ＥＰ０１２０５１６によって開示されているものを含む。ＡｇｒｏｂａｃｔｅｒｉｕｍのＴｉまたは根−誘導（Ｒｉ）プラスミドに由来する植物形質転換ベクターに加えて、別の方法を用いて本発明のＤＮＡ構築体を植物細胞に挿入することができる。このような方法は、例えば、リポソーム、エレクトロポレーション、遊離ＤＮＡ摂取を増大させる化学物質、マイクロプロジェクタイル衝撃を介する遊離ＤＮＡ送達、およびウイルスまたは花粉を用いる形質転換の使用を含み得る（Ｆｒｏｍｍら、１９８６；Ａｒｍｓｔｒｏｎｇら、１９９０；Ｆｒｏｍｍら、１９９０）。
６．８．３  ＣＲＹ*トランスジーン用の植物発現ベクターの構築
トランスジェニック植物におけるここに開示したｃｒｙ*変異体の効率的発現のためには、該変異体をコードする遺伝子は適当な配列組成を有しなければならない（Ｄｉｅｈｎら、１９９６）。
単子葉植物における発現に適したベクターにｃｒｙ*遺伝子を入れるには（すなわち、参照により本明細書に組み込む米国特許第５，４２４，４１２号におけるように、増強されたカリフラワーモザイクウイルス３５Ｓプロモーターの制御下であって、ｈｓｐ７０イントロン、続いてノパリンシンターゼポリアデニル化部位に連結している）、該ベクターをＮｃｏＩおよびＥｃｏＲＩのような適当な酵素で消化する。次いで、ほぼ４．６ｋｂのより大きなベクターバンドを電気泳動に付し、精製し、Ｔ４  ＤＮＡリガーゼでプランタイズされたｃｒｙ*遺伝子を含有する適当な制限断片に連結する。次いで、連結ミックスをＥ．ｃｏｌｉに形質転換し、カルベニシリン耐性コロニーを回収し、プラスミドＤＮＡをＤＮＡミニプレプ手法によって回収する。次いで、該ＤＮＡを、ＮｃｏＩおよびＥｃｏＲＩ（一緒）、ＮｏｔＩおよびＰｓｔＩのような酵素を用いる制限エンドヌクレアーゼ分析に付して、増強されたＣａＭＶ３５Ｓプロモーターの制御下にあるｈｓｐ７０イントロンに融合させたｃｒｙ*遺伝子コーディング配列を含有するクローンを同定する。
安定に形質転換された昆虫耐性植物に該遺伝子を入れるには、増強されたＣａＭＶ３５Ｓプロモーターの制御下にあるｈｓｐ７０イントロンに融合したリシンオキシダーゼコーディング配列を含有するｐＭＯＮ３３７０８からの制限断片を、ゲル電気泳動および精製によって単離することができる。次いで、この断片を、ＮｏｔＩおよび子ウシ腸アルカリ性ホスファターゼで処理したｐＭＯＮ３０４６０のようなベクターと連結することができる（ｐＭＯＮ３０４６０はＣａＭＶ３５Ｓプロモーターの制御下にあるネオマイシンホスホトランスフェラーゼコーディング配列を含有する）。次いで、Ｅ．ｃｏｌｉへのこの連結ミックスの形質転換によってカナマイシン耐性コロニーを得ることができ、得られたプラスミドを含有するコロニーをプラスミドミニプレプＤＮＡの制限エンドヌクレアーゼ消化によって同定することができる。ＮｏｔＩ、ＥｃｏＲＶ、ＨｉｎｄＩＩＩ、ＮｃｏＩ、ＥｃｏＲＩおよびＢｇｌＩＩのような制限酵素を用いて、両遺伝子がタンデムとなる向きで（すなわち、ｃｒｙ*遺伝子発現カセットの３’末端はｎｐｔＩＩ発現カセットの５’末端に連結している）、ｐＭＯＮ３０４６０の対応する部位に適当に挿入された制限断片を含有する適当なクローンを同定することができる。次いで、得られたベクターによるＣｒｙ*蛋白質の発現は、該ベクターのプロトプラストへのエレクトロポレーション、続いての蛋白質ブロットおよびＥＬＩＳＡ分析によって植物プロトプラスト中で確認される。このベクターは、参照により本明細書に組み込む米国特許第５，２４２，４１２号に実質的に記載されているように、粒子ガン衝撃、続いてパロモマイシン選択を行って、ｃｒｙ*遺伝子を発現するトウモロコシ植物を得ることによってトウモロコシのような植物胚のゲノムＤＮＡに導入することができる。この例では、ベクターは、トウモロコシの未成熟胚盤（ｉｅｓ）へのヒグロマイシン耐性付与プラスミドとの共衝撃、続いてのヒグロマイシン選択および再生を介して導入した。次いで、ｃｒｙ*蛋白質を発現するトランスジェニックトウモロコシ系をＥＬＩＳＡ分析によって同定する。次いで、これらの事象からの子孫種子を引き続いて罹患性昆虫供給からの保護につきテストする。
７．０  文献
以下の文献は、例示的手法または本明細書に記載したものを補足する他の詳細を提供する程度で、参照により本明細書に組み込む。
0004389075.tif 000053
0004389075.tif 000054
0004389075.tif 000055
0004389075.tif 000056
0004389075.tif 000057
0004389075.tif 000058
0004389075.tif 000059
0004389075.tif 000060
0004389075.tif 000061
0004389075.tif 000062
0004389075.tif 000063
本明細書に開示し特許請求する組成物および方法の全ては、本開示に徴して過度な実験なくしてなし、実行することができる。本発明の組成物および方法を好ましい具体例により記載してきたが、本発明の概念、精神および範囲を逸脱することなく、ここに記載した方法の工程においてまたは工程の系列において、変形を該組成物および方法に適用することができるのは当業者に明らかであろう。より詳しくは、化学的および生理学的に関連するある剤は、同一または同様の結果が達成されつつ、本明細書で記載する剤に代えて置き換えられる。当業者に明らかな全てのこのような同様の置換および修飾は、添付の請求の範囲によって定義される発明の精神、範囲および概念内にあるものとみなされる。
８．０
【配列表】
配列番号：１
配列の長さ：２３
配列の型：核酸
鎖の数：一本鎖
トポロジー：直鎖状
配列
0004389075.tif 000064
配列番号：２
配列の長さ：２７
配列の型：核酸
鎖の数：一本鎖
トポロジー：直鎖状
配列
0004389075.tif 000065
配列番号：３
配列の長さ：２８
配列の型：核酸
鎖の数：一本鎖
トポロジー：直鎖状
配列
0004389075.tif 000066
配列番号：４
配列の長さ：１７
配列の型：核酸
鎖の数：一本鎖
トポロジー：直鎖状
配列
0004389075.tif 000067
配列番号：５
配列の長さ：１７
配列の型：核酸
鎖の数：一本鎖
トポロジー：直鎖状
配列
0004389075.tif 000068
配列番号：６
配列の長さ：１６
配列の型：核酸
鎖の数：一本鎖
トポロジー：直鎖状
配列
0004389075.tif 000069
配列番号：７
配列の長さ：２０
配列の型：核酸
鎖の数：一本鎖
トポロジー：直鎖状
配列
0004389075.tif 000070
配列番号：８
配列の長さ：３９
配列の型：核酸
鎖の数：一本鎖
トポロジー：直鎖状
配列
0004389075.tif 000071
配列番号：９
配列の長さ：３５３１
配列の型：核酸
鎖の数：一本鎖
トポロジー：直鎖状
特徴を表す記号：ＣＤＳ
存在位置：１．．３５３１
配列
0004389075.tif 000072
0004389075.tif 000073
0004389075.tif 000074
0004389075.tif 000075
0004389075.tif 000076
0004389075.tif 000077
配列番号：１０
配列の長さ：１１７７
配列の型：アミノ酸
トポロジー：直鎖状
分子の型：蛋白質
配列
0004389075.tif 000078
0004389075.tif 000079
0004389075.tif 000080
0004389075.tif 000081
0004389075.tif 000082
配列番号：１１
配列の長さ：３５３１
配列の型：核酸
鎖の数：一本鎖
トポロジー：直鎖状
特徴を表す記号：ＣＤＳ
存在位置：１．．３５３１
配列
0004389075.tif 000083
0004389075.tif 000084
0004389075.tif 000085
0004389075.tif 000086
0004389075.tif 000087
0004389075.tif 000088
配列番号：１２
配列の長さ：１１７７
配列の型：アミノ酸
トポロジー：直鎖状
分子の型：蛋白質
配列
0004389075.tif 000089
0004389075.tif 000090
0004389075.tif 000091
0004389075.tif 000092
0004389075.tif 000093
配列番号：１３
配列の長さ：３５３１
配列の型：核酸
鎖の数：一本鎖
トポロジー：直鎖状
特徴を表す記号：ＣＤＳ
存在位置：１．．３５３１
配列
0004389075.tif 000094
0004389075.tif 000095
0004389075.tif 000096
0004389075.tif 000097
0004389075.tif 000098
0004389075.tif 000099
配列番号：１４
配列の長さ：１１７７
配列の型：アミノ酸
トポロジー：直鎖状
分子の型：蛋白質
配列
0004389075.tif 000100
0004389075.tif 000101
0004389075.tif 000102
0004389075.tif 000103
配列番号：１５
配列の長さ：２０
配列の型：核酸
鎖の数：一本鎖
トポロジー：直鎖状
配列
0004389075.tif 000104
配列番号：１６
配列の長さ：２０
配列の型：核酸
鎖の数：一本鎖
トポロジー：直鎖状
配列
0004389075.tif 000105
配列番号：１７
配列の長さ：２０
配列の型：核酸
鎖の数：一本鎖
トポロジー：直鎖状
配列
0004389075.tif 000106
配列番号：１８
配列の長さ：２０
配列の型：核酸
鎖の数：一本鎖
トポロジー：直鎖状
配列
0004389075.tif 000107
配列番号：１９
配列の長さ：２０
配列の型：核酸
鎖の数：一本鎖
トポロジー：直鎖状
配列
0004389075.tif 000108
配列番号：２０
配列の長さ：２０
配列の型：核酸
鎖の数：一本鎖
トポロジー：直鎖状
配列
0004389075.tif 000109
配列番号：２１
配列の長さ：２０
配列の型：核酸
鎖の数：一本鎖
トポロジー：直鎖状
配列
0004389075.tif 000110
配列番号：２２
配列の長さ：２０
配列の型：核酸
鎖の数：一本鎖
トポロジー：直鎖状
配列
0004389075.tif 000111
配列番号：２３
配列の長さ：１８
配列の型：核酸
鎖の数：一本鎖
トポロジー：直鎖状
配列
0004389075.tif 000112
配列番号：２４
配列の長さ：１９
配列の型：核酸
鎖の数：一本鎖
トポロジー：直鎖状
配列
0004389075.tif 000113
配列番号：２５
配列の長さ：３５３４
配列の型：核酸
鎖の数：一本鎖
トポロジー：直鎖状
特徴を表す記号：ＣＤＳ
存在位置：１．．３５３１
配列
0004389075.tif 000114
0004389075.tif 000115
0004389075.tif 000116
0004389075.tif 000117
0004389075.tif 000118
0004389075.tif 000119
配列番号：２６
配列の長さ：１１７７
配列の型：アミノ酸
トポロジー：直鎖状
分子の型：蛋白質
配列
0004389075.tif 000120
0004389075.tif 000121
0004389075.tif 000122
0004389075.tif 000123
0004389075.tif 000124
配列番号：２７
配列の長さ：３５３４
配列の型：核酸
鎖の数：一本鎖
トポロジー：直鎖状
特徴を表す記号：ＣＤＳ
存在位置：１．．３５３１
配列
0004389075.tif 000125
0004389075.tif 000126
0004389075.tif 000127
0004389075.tif 000128
0004389075.tif 000129
0004389075.tif 000130
0004389075.tif 000131
配列番号：２８
配列の長さ：１１７７
配列の型：アミノ酸
トポロジー：直鎖状
分子の型：蛋白質
配列
0004389075.tif 000132
0004389075.tif 000133
0004389075.tif 000134
0004389075.tif 000135
0004389075.tif 000136
配列番号：２９
配列の長さ：３５７９
配列の型：核酸
鎖の数：一本鎖
トポロジー：直鎖状
配列
0004389075.tif 000137
0004389075.tif 000138
0004389075.tif 000139
配列番号：３０
配列の長さ：１１９３
配列の型：アミノ酸
鎖の数：
トポロジー：直鎖状
配列
0004389075.tif 000140
0004389075.tif 000141
0004389075.tif 000142
0004389075.tif 000143
配列番号：３１
配列の長さ：１６
配列の型：核酸
鎖の数：一本鎖
トポロジー：直鎖状
配列
0004389075.tif 000144
配列番号：３２
配列の長さ：２０
配列の型：核酸
鎖の数：一本鎖
トポロジー：直鎖状
配列
0004389075.tif 000145
配列番号：３３
配列の長さ：３５３４
配列の型：核酸
鎖の数：一本鎖
トポロジー：直鎖状
配列
0004389075.tif 000146
0004389075.tif 000147
0004389075.tif 000148
配列番号：３４
配列の長さ：１１７７
配列の型：アミノ酸
鎖の数：
トポロジー：直鎖状
配列
0004389075.tif 000149
0004389075.tif 000150
0004389075.tif 000151
0004389075.tif 000152
配列番号：３５
配列の長さ：２０
配列の型：核酸
鎖の数：一本鎖
トポロジー：直鎖状
配列
0004389075.tif 000153
【図１Ａ】
0004389075.tif 000154
【図１Ｂ】
0004389075.tif 000155
【図２】
0004389075.tif 000156
【図３】
0004389075.tif 000157
【図４】
0004389075.tif 000158